(57)【要約】  本願は、アップリンク伝送方法および端末デバイスを提供する。当該方法は、端末デバイスが、第１アップリンクチャネルの第１送信電力を、第１アップリンクチャネルのチャネル優先度、および、第１物理ランダムアクセスチャネルＰＲＡＣＨのチャネル優先度に基づいて設定する段階であって、第１アップリンクチャネルは、物理アップリンク共有チャネルＰＵＳＣＨおよび物理アップリンク制御チャネルＰＵＣＣＨのうち少なくとも１つを含み、第１アップリンクチャネルが位置する第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しく、第１送信電力は０より大きい、段階と、端末デバイスが、第１送信電力で第１アップリンクチャネルを送信する段階とを備える。既存の解決手段と比較して、本願における方法では、送信電力が、ＰＵＳＣＨおよび／またはＰＵＣＣＨのためにより優先的に設定され、その結果、サービス伝送品質を改善できる。
2020530246.tif 000002
【特許請求の範囲】
【請求項１】
アップリンク伝送方法であって、
端末デバイスが、第１アップリンクチャネルの第１送信電力を、前記第１アップリンクチャネルのチャネル優先度、および、第１物理ランダムアクセスチャネルＰＲＡＣＨのチャネル優先度に基づいて設定する段階であって、前記第１アップリンクチャネルは、物理アップリンク共有チャネルＰＵＳＣＨおよび物理アップリンク制御チャネルＰＵＣＣＨのうち少なくとも１つを含み、前記第１アップリンクチャネルが位置する第１時間領域リソース、および、前記第１ＰＲＡＣＨが位置する第２時間領域リソースは重複し、前記第１アップリンクチャネルの前記チャネル優先度は、前記第１ＰＲＡＣＨの前記チャネル優先度より高い、またはそれに等しく、前記第１送信電力は０より大きい、段階と、
前記端末デバイスが、前記第１送信電力で前記第１アップリンクチャネルを送信する段階と
を備える方法。
【請求項２】
前記第１ＰＲＡＣＨは、以下のＰＲＡＣＨ、すなわち、
二次タイムアライメントグループｓＴＡＧのサービングセルにおけるＰＲＡＣＨと、
第１フォーマットのＰＲＡＣＨと
のうち少なくとも１つを含む、請求項１に記載の方法。
【請求項３】
端末デバイスが、第１アップリンクチャネルの第１送信電力を、前記第１アップリンクチャネルのチャネル優先度、および、第１ＰＲＡＣＨのチャネル優先度に基づいて設定する前記段階は、
前記端末デバイスが、前記第１アップリンクチャネルの前記第１送信電力を、第２ＰＲＡＣＨのチャネル優先度、前記第１アップリンクチャネルの前記チャネル優先度、および、前記第１ＰＲＡＣＨの前記チャネル優先度に基づいて設定する段階であって、前記第１アップリンクチャネルが位置する前記第１時間領域リソース、前記第１ＰＲＡＣＨが位置する前記第２時間領域リソース、および、前記第２ＰＲＡＣＨが位置する第３時間領域リソースは、重複し、前記第２ＰＲＡＣＨの前記チャネル優先度は、前記第１アップリンクチャネルの前記チャネル優先度より高い、段階を含む、請求項１または２に記載の方法。
【請求項４】
前記方法は、前記端末デバイスが、前記第１ＰＲＡＣＨを破棄し、前記第１ＰＲＡＣＨのために、第２送信電力を０に設定する段階を更に備える、請求項１から３のいずれか一項に記載の方法。
【請求項５】
前記方法は、
前記端末デバイスが、前記第１ＰＲＡＣＨの第２送信電力を、前記第１アップリンクチャネルの前記チャネル優先度、および、前記第１ＰＲＡＣＨの前記チャネル優先度に基づいて設定する段階であって、前記第１送信電力および前記第２送信電力の和は、前記端末デバイスの最大許容送信電力より低い、またはそれに等しく、前記第２送信電力は０より大きい、段階と、
前記端末デバイスが、前記第１ＰＲＡＣＨを前記第２送信電力で送信する段階と
を更に備える、請求項１から３のいずれか一項に記載の方法。
【請求項６】
前記第２送信電力は、前記第１ＰＲＡＣＨの要求電力未満である、請求項５に記載の方法。
【請求項７】
前記第１アップリンクチャネルの要求電力、および、前記第１ＰＲＡＣＨの前記要求電力の和は、第１の利用可能な電力値より大きく、前記第１の利用可能な電力値は、前記最大許容送信電力より低い、またはそれに等しく、前記第１送信電力および前記第２送信電力の前記和は、前記第１の利用可能な電力値より低い、またはそれに等しい、請求項５または６に記載の方法。
【請求項８】
前記第１の利用可能な電力値は、前記端末デバイスの利用可能な送信電力から前記第２ＰＲＡＣＨの要求電力を減算したものである、請求項７に記載の方法。
【請求項９】
前記第１アップリンクチャネルは、以下のＰＵＳＣＨ、すなわち、
グラントフリーＰＵＳＣＨ伝送、
再伝送ＰＵＳＣＨ、
第１データ伝送リソースを要求するために前記端末デバイスによって使用される第１スケジューリング要求に対応するＰＵＳＣＨ、
第１論理チャネルに対応するＰＵＳＣＨ、
第１トランスポートブロックサイズのトランスポートブロックを搬送するＰＵＳＣＨ、
第１符号レートのトランスポートブロックを搬送するＰＵＳＣＨ、
第１変調方式のトランスポートブロックを搬送するＰＵＳＣＨ、および、
第１時間閾値より低い、またはそれに等しい第１レイテンシ要件についての情報を搬送するＰＵＳＣＨ
のうち少なくとも１つを含む、請求項１に記載の方法。
【請求項１０】
前記第１アップリンクチャネルは、前記ＰＵＣＣＨおよび／または前記ＰＵＳＣＨを含み、前記ＰＵＣＣＨおよび／または前記ＰＵＳＣＨは、以下のアップリンク制御情報、すなわち、
肯定応答ＡＣＫ情報、
第２時間閾値より低い、またはそれに等しい第２レイテンシ要件に対応する情報、および、
第２データ伝送リソースを要求するために前記端末デバイスによって使用される第２スケジューリング要求
のうち少なくとも１つを含む、請求項１または９に記載の方法。
【請求項１１】
前記第１ＰＲＡＣＨは、以下のＰＲＡＣＨ、すなわち、
二次タイムアライメントグループｓＴＡＧのサービングセルにおけるＰＲＡＣＨ、および、
第１フォーマットのＰＲＡＣＨ
のうち少なくとも１つを含む、請求項９または１０に記載の方法。
【請求項１２】
前記方法は、前記端末デバイスが第１の情報を受信する段階であって、前記第１の情報は、前記第１ＰＲＡＣＨを送信するよう前記端末デバイスに命令するために使用され、前記第１の情報は、上位層シグナリングにおいて構成される、または、物理チャネルで搬送される、段階を更に備える、請求項１または９から１１のいずれか一項に記載の方法。
【請求項１３】
前記方法は更に、
前記端末デバイスが、第３時間領域リソースで第２の情報を受信する段階であって、前記第２の情報は、前記第１時間領域リソースで前記第１アップリンクチャネルを送信するよう前記端末デバイスに命令するために使用され、前記第１アップリンクチャネルの前記チャネル優先度は、前記第１ＰＲＡＣＨの前記チャネル優先度より高い、またはそれに等しい、段階、または、
前記端末デバイスが、第３時間領域リソースで第２の情報を受信する段階であって、前記第２の情報は、前記第１時間領域リソースで前記第１アップリンクチャネルを送信するよう前記端末デバイスに命令するために使用され、前記第３時間領域リソースの開始時点から前記第１時間領域リソースの開始時点までの時間間隔は第３時間閾値より低い、またはそれに等しい、段階
を備える、請求項１または９から１２のいずれか一項に記載の方法。
【請求項１４】
前記第１時間領域リソースの長さは、第１時間長であり、および／または、前記第１アップリンクチャネルが位置する周波数領域リソースのサブキャリア間隔は、第１サブキャリア間隔である、および／または、
前記第２時間領域リソースの長さは、第２時間長であり、および／または、前記第１ＰＲＡＣＨが位置する周波数領域リソースのサブキャリア間隔は、第２サブキャリア間隔である、および／または、
前記第１アップリンクチャネルは第Ｋ回目に再伝送される第１アップリンクチャネルであり、Ｋは１より高い、またはそれに等しい整数である、
請求項１または９から１３のいずれか一項に記載の方法。
【請求項１５】
前記方法は更に、
前記端末デバイスが、前記第１ＰＲＡＣＨの第２送信電力を、前記第１アップリンクチャネルの前記チャネル優先度、および、前記第１ＰＲＡＣＨの前記チャネル優先度に基づいて設定する段階であって、前記第１送信電力および前記第２送信電力の和は、前記端末デバイスの最大許容送信電力より低い、またはそれに等しく、前記第２送信電力は０より大きい、段階と、
前記端末デバイスが、前記第２送信電力で、前記第１ＰＲＡＣＨを送信する段階と
を備える、請求項９から１４のいずれか一項に記載の方法。
【請求項１６】
前記第２送信電力は、前記第１ＰＲＡＣＨの要求電力未満である、請求項１５に記載の方法。
【請求項１７】
前記第１アップリンクチャネルの要求電力、および、前記第１ＰＲＡＣＨの前記要求電力の和は、第１の利用可能な電力値より大きく、前記第１の利用可能な電力値は、前記最大許容送信電力より低い、またはそれに等しく、前記第１送信電力および前記第２送信電力の前記和は、前記第１の利用可能な電力値より低い、またはそれに等しい、請求項９から１６のいずれか一項に記載の方法。
【請求項１８】
端末デバイスであって、
第１アップリンクチャネルの第１送信電力を、前記第１アップリンクチャネルのチャネル優先度、および、第１物理ランダムアクセスチャネルＰＲＡＣＨのチャネル優先度に基づいて設定するよう構成される処理モジュールであって、前記第１アップリンクチャネルは、物理アップリンク共有チャネルＰＵＳＣＨ、および、物理アップリンク制御チャネルＰＵＣＣＨのうち少なくとも１つを含み、前記第１アップリンクチャネルが位置する第１時間領域リソース、および、前記第１ＰＲＡＣＨが位置する第２時間領域リソースは重複し、前記第１アップリンクチャネルの前記チャネル優先度は、前記第１ＰＲＡＣＨの前記チャネル優先度より高い、またはそれに等しく、前記第１送信電力は０より大きい、処理モジュールと、
前記処理モジュールによって取得された前記第１送信電力で、前記第１アップリンクチャネルを送信するよう構成される送信モジュールと
を備える端末デバイス。
【請求項１９】
前記第１ＰＲＡＣＨは、以下のＰＲＡＣＨ、すなわち、
二次タイムアライメントグループｓＴＡＧのサービングセル上のＰＲＡＣＨ、および、
第１フォーマットのＰＲＡＣＨ
のうち少なくとも１つを含む、請求項１８に記載の端末デバイス。
【請求項２０】
前記処理モジュールは、具体的には、
前記第１アップリンクチャネルの前記第１送信電力を、第２ＰＲＡＣＨのチャネル優先度、前記第１アップリンクチャネルの前記チャネル優先度、および、前記第１ＰＲＡＣＨの前記チャネル優先度に基づいて設定するよう構成され、前記第１アップリンクチャネルが位置する前記第１時間領域リソース、前記第１ＰＲＡＣＨが位置する前記第２時間領域リソース、および、前記第２ＰＲＡＣＨが位置する第３時間領域リソースは重複し、前記第２ＰＲＡＣＨの前記チャネル優先度は、前記第１アップリンクチャネルの前記チャネル優先度より高い、請求項１８または１９に記載の端末デバイス。
【請求項２１】
前記処理モジュールは更に、前記第１ＰＲＡＣＨを破棄し、前記第１ＰＲＡＣＨのために第２送信電力を０に設定するよう構成される、請求項１８から２０のいずれか一項に記載の端末デバイス。
【請求項２２】
前記処理モジュールは更に、前記第１ＰＲＡＣＨの前記第２送信電力を、前記第１アップリンクチャネルの前記チャネル優先度、および、前記第１ＰＲＡＣＨの前記チャネル優先度に基づいて設定するよう構成され、前記第１送信電力および前記第２送信電力の和は、前記端末デバイスの最大許容送信電力より低い、またはそれに等しく、前記第２送信電力は０より大きく、
前記送信モジュールは更に、前記処理モジュールによって取得された前記第２送信電力で、前記第１ＰＲＡＣＨを送信するよう構成される、
請求項１８から２１のいずれか一項に記載の端末デバイス。
【請求項２３】
前記第２送信電力は、前記第１ＰＲＡＣＨの要求電力未満である、請求項２２に記載の端末デバイス。
【請求項２４】
前記第１アップリンクチャネルの要求電力、および、前記第１ＰＲＡＣＨの前記要求電力の和は、第１の利用可能な電力値より大きく、前記第１の利用可能な電力値は、前記最大許容送信電力より低い、またはそれに等しく、前記第１送信電力および前記第２送信電力の前記和は、前記第１の利用可能な電力値より低い、またはそれに等しい、請求項２２または２３に記載の端末デバイス。
【請求項２５】
前記第１の利用可能な電力値は、前記端末デバイスの利用可能な送信電力から前記第２ＰＲＡＣＨの要求電力を減算したものである、請求項２４に記載の端末デバイス。
【請求項２６】
前記第１アップリンクチャネルは、以下のＰＵＳＣＨ、すなわち、
グラントフリーＰＵＳＣＨ伝送、
再伝送ＰＵＳＣＨ、
第１データ伝送リソースを要求するために前記端末デバイスによって使用される第１スケジューリング要求に対応するＰＵＳＣＨ、
第１論理チャネルに対応するＰＵＳＣＨ、
第１トランスポートブロックサイズのトランスポートブロックを搬送するＰＵＳＣＨ、
第１符号レートのトランスポートブロックを搬送するＰＵＳＣＨ、
第１変調方式のトランスポートブロックを搬送するＰＵＳＣＨ、および、
第１時間閾値より低い、またはそれに等しい第１レイテンシ要件についての情報を搬送するＰＵＳＣＨ
のうち少なくとも１つを含む、請求項１８に記載の端末デバイス。
【請求項２７】
前記第１アップリンクチャネルは、前記ＰＵＣＣＨおよび／または前記ＰＵＳＣＨを含み、前記ＰＵＣＣＨおよび／または前記ＰＵＳＣＨは、以下のアップリンク制御情報、すなわち、
肯定応答ＡＣＫ情報、
第２時間閾値より低い、またはそれに等しい第２レイテンシ要件に対応する情報、および、
第２データ伝送リソースを要求するために前記端末デバイスによって使用される第２スケジューリング要求
のうち少なくとも１つを含む、請求項１８または２６に記載の端末デバイス。
【請求項２８】
前記第１ＰＲＡＣＨは、以下のＰＲＡＣＨ、すなわち、
二次タイムアライメントグループｓＴＡＧのサービングセル上のＰＲＡＣＨ、および、
第１フォーマットのＰＲＡＣＨ
のうち少なくとも１つを含む、請求項２６または２７に記載の端末デバイス。
【請求項２９】
前記端末デバイスは更に、第１の情報を受信するよう構成される受信モジュールを備え、前記第１の情報は、前記第１ＰＲＡＣＨを送信するよう前記端末デバイスに命令するために使用され、前記第１の情報は、上位層シグナリングにおいて構成される、または、物理チャネルで搬送される、請求項１８または２６から２８のいずれか一項に記載の端末デバイス。
【請求項３０】
前記端末デバイスは更に、受信モジュールを備え、
前記受信モジュールは、第３時間領域リソースで第２の情報を受信するよう構成され、前記第２の情報は、前記第１時間領域リソースで前記第１アップリンクチャネルを送信するよう前記端末デバイスに命令するために使用され、前記第１アップリンクチャネルの前記チャネル優先度は、前記第１ＰＲＡＣＨの前記チャネル優先度より高い、またはそれに等しい、または、
前記受信モジュールは、第３時間領域リソースで第２の情報を受信するよう構成され、前記第２の情報は、前記第１時間領域リソースで前記第１アップリンクチャネルを送信するよう前記端末デバイスに命令するために使用され、前記第３時間領域リソースの開始時点から前記第１時間領域リソースの開始時点までの時間間隔は、第３時間閾値より低い、またはそれに等しい、
請求項１８または２６から２９のいずれか一項に記載の端末デバイス。
【請求項３１】
前記第１時間領域リソースの長さは、第１時間長であり、および／または、前記第１アップリンクチャネルが位置する周波数領域リソースのサブキャリア間隔は、第１サブキャリア間隔である、および／または、
前記第２時間領域リソースの長さは、第２時間長であり、および／または、前記第１ＰＲＡＣＨが位置する周波数領域リソースのサブキャリア間隔は、第２サブキャリア間隔である、および／または、
前記第１アップリンクチャネルは第Ｋ回目に再伝送される第１アップリンクチャネルであり、Ｋは１より高い、またはそれに等しい整数である、
請求項１８または２６から３０のいずれか一項に記載の端末デバイス。
【請求項３２】
前記処理モジュールは更に、前記第１ＰＲＡＣＨの第２送信電力を、前記第１アップリンクチャネルの前記チャネル優先度、および、前記第１ＰＲＡＣＨの前記チャネル優先度に基づいて設定するよう構成され、前記第１送信電力および前記第２送信電力の和は、前記端末デバイスの最大許容送信電力より低い、またはそれに等しく、前記第２送信電力は０より大きく、
前記送信モジュールは更に、前記処理モジュールによって取得された前記第２送信電力で、前記第１ＰＲＡＣＨを送信するよう構成される、
請求項２６から３１のいずれか一項に記載の端末デバイス。
【請求項３３】
前記第２送信電力は、前記第１ＰＲＡＣＨの要求電力未満である、請求項３２に記載の端末デバイス。
【請求項３４】
前記第１アップリンクチャネルの要求電力、および、前記第１ＰＲＡＣＨの前記要求電力の和は、第１の利用可能な電力値より大きく、前記第１の利用可能な電力値は、前記最大許容送信電力より低い、またはそれに等しく、前記第１送信電力および前記第２送信電力の前記和は、前記第１の利用可能な電力値より低い、またはそれに等しい、請求項２６から３３のいずれか一項に記載の端末デバイス。
【請求項３５】
アップリンク受信方法であって、
ネットワークデバイスが第１の情報を送信する段階であって、前記第１の情報は、第１ＰＲＡＣＨを送信するよう端末デバイスに命令するために使用され、前記第１の情報は、上位層シグナリングにおいて構成され、または、物理チャネルで搬送され、前記第１ＰＲＡＣＨが位置する第２時間領域リソース、および、第１アップリンクチャネルが位置する第１時間領域リソースは重複し、前記第１アップリンクチャネルは、物理アップリンク共有チャネルＰＵＳＣＨ、および、物理アップリンク制御チャネルＰＵＣＣＨのうち少なくとも１つを含み、前記第１アップリンクチャネルのチャネル優先度は、前記第１ＰＲＡＣＨのチャネル優先度より高い、またはそれに等しい、段階と、
前記ネットワークデバイスが、前記第２時間領域リソースで前記第１ＰＲＡＣＨを検出する段階と
を備えるアップリンク受信方法。
【請求項３６】
アップリンク受信方法であって、
ネットワークデバイスが、第３時間領域リソースで第２の情報を送信する段階であって、前記第２の情報は、第１時間領域リソースで第１アップリンクチャネルを送信するよう端末デバイスに命令するために使用され、前記第１アップリンクチャネルのチャネル優先度は、第１ＰＲＡＣＨのチャネル優先度より高い、またはそれに等しい、段階、または、ネットワークデバイスが、第３時間領域リソースで第２の情報を送信する段階であって、前記第２の情報は、第１時間領域リソースで第１アップリンクチャネルを送信するよう端末デバイスに命令するために使用され、前記第３時間領域リソースの開始時点から前記第１時間領域リソースの開始時点までの時間間隔は、第３時間閾値より低い、またはそれに等しく、
前記第１アップリンクチャネルは、物理アップリンク共有チャネルＰＵＳＣＨ、および、物理アップリンク制御チャネルＰＵＣＣＨのうち少なくとも１つを含み、前記第１時間領域リソース、および、前記第１ＰＲＡＣＨが位置する第２時間領域リソースは重複し、前記第１アップリンクチャネルの前記チャネル優先度は、前記第１ＰＲＡＣＨの前記チャネル優先度より高い、またはそれに等しい、段階と、
前記ネットワークデバイスが、前記第１時間領域リソースで前記第１アップリンクチャネルを検出する段階と
を備えるアップリンク受信方法。
【請求項３７】
ネットワークデバイスであって、
第１の情報を送信するよう構成される送信モジュールであって、前記第１の情報は、第１ＰＲＡＣＨを送信するよう端末デバイスに命令するために使用され、前記第１の情報は、上位層シグナリングにおいて構成され、または、物理チャネルで搬送され、前記第１ＰＲＡＣＨが位置する第２時間領域リソース、および、第１アップリンクチャネルが位置する第１時間領域リソースは重複し、
前記第１アップリンクチャネルは、物理アップリンク共有チャネルＰＵＳＣＨ、および、物理アップリンク制御チャネルＰＵＣＣＨのうち少なくとも１つを含み、前記第１アップリンクチャネルのチャネル優先度は、前記第１ＰＲＡＣＨのチャネル優先度より高い、またはそれに等しい、送信モジュールと、
前記第２時間領域リソースで前記第１ＰＲＡＣＨを検出するよう構成される処理モジュールと
を備えるネットワークデバイス。
【請求項３８】
ネットワークデバイスであって、
第３時間領域リソースで第２の情報を送信することであって、前記第２の情報は、第１時間領域リソースで第１アップリンクチャネルを送信するよう端末デバイスに命令するために使用され、前記第１アップリンクチャネルのチャネル優先度は、第１ＰＲＡＣＨのチャネル優先度より高い、またはそれに等しい、ことを行うよう構成される、または、第３時間領域リソースで第２の情報を送信することであって、前記第２の情報は、第１時間領域リソースで第１アップリンクチャネルを送信するよう端末デバイスに命令するために使用される、ことを行うよう構成される送信モジュールであって、前記第３時間領域リソースの開始時点から前記第１時間領域リソースの開始時点までの時間間隔は、第３時間閾値より低い、またはそれに等しく、前記第１アップリンクチャネルは、物理アップリンク共有チャネルＰＵＳＣＨ、および、物理アップリンク制御チャネルＰＵＣＣＨのうち少なくとも１つを含み、前記第１時間領域リソース、および、前記第１ＰＲＡＣＨが位置する第２時間領域リソースは重複し、前記第１アップリンクチャネルの前記チャネル優先度は、前記第１ＰＲＡＣＨの前記チャネル優先度より高い、またはそれに等しい、送信モジュールと、
前記第１時間領域リソースで前記第１アップリンクチャネルを検出するよう構成される処理モジュールと
を備えるネットワークデバイス。
【請求項３９】
プロセッサおよびメモリを備える通信機器であって、
前記メモリは、命令を格納するよう構成され、前記プロセッサは、前記メモリに格納された前記命令を実行するよう構成され、その結果、前記通信機器は、請求項１から１７のいずれか一項に記載の方法を実行する、通信機器。
【請求項４０】
命令を格納するコンピュータ記憶媒体であって、前記命令がコンピュータ上で実行されるとき、前記コンピュータは、請求項１から１７のいずれか一項に記載の方法を実行することが可能になる、コンピュータ記憶媒体。
【請求項４１】
プロセッサおよびメモリを備える通信機器であって、前記メモリは命令を格納するよう構成され、前記プロセッサは、前記メモリに格納された前記命令を実行するよう構成され、その結果、前記通信機器は、請求項３５または３６に記載の方法を実行する、通信機器。
【請求項４２】
命令を格納するコンピュータ記憶媒体であって、前記命令がコンピュータ上で実行されるとき、前記コンピュータは、請求項３５または３６に記載の方法を実行することが可能になる、コンピュータ記憶媒体。
【発明の詳細な説明】
【技術分野】
【０００１】
本願は、「アップリンク伝送方法、端末デバイス、およびネットワークデバイス」と題する、２０１７年８月１０日に中国特許庁に出願された中国特許出願第２０１７１０６８２５７１．１号に対する優先権を主張するものであり、それは、参照によって全体が本明細書に組み込まれる。
【０００２】
本願は、無線通信の分野に関し、より具体的には、アップリンク伝送方法、端末デバイス、およびネットワークデバイスに関する。
【背景技術】
【０００３】
第４世代（４ｔｈ  Ｇｅｎｅｒａｔｉｏｎ、４Ｇ）モバイル通信技術（ｔｈｅ  ４ｔｈ  Ｇｅｎｅｒａｔｉｏｎ  ｍｏｂｉｌｅ  ｃｏｍｍｕｎｉｃａｔｉｏｎｓ  ｔｅｃｈｎｏｌｏｇｙ）のロングタームエボリューション（Ｌｏｎｇ  Ｔｅｒｍ  Ｅｖｏｌｕｔｉｏｎ、ＬＴＥ）システムおよびロングタームエボリューション−アドバンスト（Ｌｏｎｇ  Ｔｅｒｍ  Ｅｖｏｌｕｔｉｏｎ−Ａｄｖａｎｃｅｄ、ＬＴＥ−Ａ）システムにおいて、端末デバイスは、ネットワークデバイスのアップリンクスケジューリング（Ｕｐｌｉｎｋ  Ｇｒａｎｔ、ＵＬ  ｇｒａｎｔ）情報に基づいて、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）を送信する、または、ネットワークデバイスへの接続をセットアップするプロセスにおいて、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を送信する、または、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を送信する、または、サウンディング参照信号（Ｓｏｕｎｄｉｎｇ  Ｒｅｆｅｒｅｎｃｅ  Ｓｉｇｎａｌ、ＳＲＳ）などを送信する。
【０００４】
人体の健康の要件を満たすべく、端末デバイスの最大許容送信電力には制限が設定されている。複数のチャネル（例えば、ＰＲＡＣＨ、ＰＵＳＣＨ、ＰＵＣＣＨおよびＳＲＳ）が同一の時間領域リソースで送信される必要があるとき、最大許容送信電力の制限に起因して、いかにして電力を設定するかは解決すべき問題である。電力設定の原理は、４Ｇモバイル通信技術のプロトコルにおいて規定されている。
【０００５】
４Ｇモバイル通信技術と比較して、第５世代（５ｔｈ  Ｇｅｎｅｒａｔｉｏｎ、５Ｇ）モバイル通信技術の新無線（Ｎｅｗ  Ｒａｄｉｏ、ＮＲ）システムには、複数のサービスタイプがあり、異なるサービスタイプは異なるサービス要件に対応する。例えば、超高信頼性低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ、ＵＲＬＬＣ）サービスは、短いレイテンシ、および、高い信頼性を要求し、すなわち、伝送は、１ｍｓで完了する。エンハンスドモバイルブロードバンド（ｅｎｈａｎｃｅｄ  Ｍｏｂｉｌｅ  Ｂｒｏａｄｂａｎｄ、ｅＭＢＢ）サービスには、レイテンシ要件は無いが、高いスペクトル効率を要求する。マシンタイプ通信（Ｍａｃｈｉｎｅ  Ｔｙｐｅ  Ｃｏｍｍｕｎｉｃａｔｉｏｎ、ＭＴＣ）サービスは、周期的な低電力伝送を要求する。
【０００６】
ＮＲシステムがまだ４Ｇモバイル通信技術のプロトコルに従う場合、短いレイテンシおよび高い信頼性を要求するサービスのうち、いくつかの種類のチャネルは、伝送に失敗し、サービス伝送品質に影響を与える。
【発明の概要】
【０００７】
本願は、アップリンク伝送方法、端末デバイスおよびネットワークデバイスを提供し、その結果、端末デバイスは、より適切に送信電力を設定してサービス伝送品質を改善できる。
【０００８】
第１態様によれば、アップリンク伝送方法が提供される。当該方法は、端末デバイスが、第１アップリンクチャネルの第１送信電力を、第１アップリンクチャネルのチャネル優先度、および、第１物理ランダムアクセスチャネルＰＲＡＣＨのチャネル優先度に基づいて設定する段階であって、第１アップリンクチャネルは、物理アップリンク共有チャネルＰＵＳＣＨおよび物理アップリンク制御チャネルＰＵＣＣＨのうち少なくとも１つを含み、第１アップリンクチャネルが位置する第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しく、第１送信電力は０より大きい、段階と、端末デバイスが、第１送信電力で第１アップリンクチャネルを送信する段階とを備える。
【０００９】
第１態様におけるアップリンク伝送方法によれば、ＰＵＳＣＨの時間領域リソースおよび／またはＰＵＣＣＨの時間領域リソース、および、第１ＰＲＡＣＨの時間領域リソースが重複するとき、ＰＵＳＣＨのチャネル優先度および／またはＰＵＣＣＨのチャネル優先度は、第１ＰＲＡＣＨのチャネル優先度より高く、またはそれに等しく設定され、端末デバイスは、ＰＵＳＣＨおよび／またはＰＵＣＣＨのための第１送信電力を、チャネル優先度に基づいて設定し、その結果、既存の解決手段と比較して、送信電力は、ＰＵＳＣＨおよび／またはＰＵＣＣＨのために、より優先的に設定でき、電力設定は、ＰＵＳＣＨおよび／またはＰＵＣＣＨに対して、より適切に、より好適になり、それにより、サービス伝送品質が改善する。
【００１０】
第１アップリンクチャネルは、１または複数のアップリンクチャネルを含み得て、第１アップリンクチャネルが位置する時間領域リソースの長さは同一でも、または、異なってもよい。第１ＰＲＡＣＨは、１または複数のＰＲＡＣＨを含み得て、第１ＰＲＡＣＨは、同一のシステムでも、または、異なるシステムでもよいことが理解されるべきである。
【００１１】
ＰＵＳＣＨは、従来のＰＵＳＣＨであり得る、または、ショート物理アップリンク共有チャネル（ｓｈｏｒｔ  ＰＵＳＣＨ、ｓＰＵＳＣＨ）であり得て、ｓＰＵＳＣＨが位置する時間領域リソースの長さは、１シンボルから１スロットであることを理解すべきである。
【００１２】
ＰＵＣＣＨは、従来のＰＵＣＣＨであり得る、または、ショート物理アップリンク制御チャネル（ｓｈｏｒｔ  ＰＵＣＣＨ、ｓＰＵＣＣＨ）であり得て、ｓＰＵＣＣＨが位置する時間領域リソースの長さは、１シンボルから１スロットであることを理解すべきである。
【００１３】
第１態様の可能な実装において、第１アップリンクチャネルは、以下のＰＵＳＣＨ、すなわち、グラントフリーＰＵＳＣＨ伝送、再伝送ＰＵＳＣＨ、第１データ伝送リソースを要求するために端末デバイスによって使用される第１スケジューリング要求に対応するＰＵＳＣＨ、第１論理チャネルに対応するＰＵＳＣＨ、第１トランスポートブロックサイズのトランスポートブロックを搬送するＰＵＳＣＨ、第１符号レートのトランスポートブロックを搬送するＰＵＳＣＨ、第１変調方式のトランスポートブロックを搬送するＰＵＳＣＨ、および、第１時間閾値より低い、またはそれに等しい第１レイテンシ要件についての情報を搬送するＰＵＳＣＨのうち少なくとも１つを含む。この可能な実装において、ＰＵＳＣＨは、スケジューリング要求に対応するＰＵＳＣＨ、論理チャネルに対応するＰＵＳＣＨ、トランスポートブロックサイズのトランスポートブロックを搬送するＰＵＳＣＨ、符合レートのトランスポートブロックを搬送するＰＵＳＣＨ、および、レイテンシ要件についての情報を搬送するＰＵＳＣＨの少なくとも１つであると予め規定され、および／または、ＰＵＳＣＨは、グラントフリーＰＵＳＣＨ伝送および再伝送されたＰＵＳＣＨのうち少なくとも１つであると予め規定される。ＰＵＳＣＨが予め規定された条件に従うとき、ＰＵＳＣＨは、重要度が比較的高いとみなされ、第１アップリンクチャネルのチャネル優先度は、第１ＰＲＡＣＨのチャネル優先度より高い、またはそれに等しい。
【００１４】
第１アップリンクチャネルは、第１トランスポートブロックサイズのトランスポートブロックを搬送するＰＵＳＣＨを含み、第１トランスポートブロックサイズは、Ａビット（ｂｉｔｓ）（または、Ａバイト（ｂｙｔｅｓ））であり、Ａは、より大きい正の整数である、または、第１アップリンクチャネルは、第１トランスポートブロックサイズのトランスポートブロックを搬送するＰＵＳＣＨを含み、第１トランスポートブロックサイズの最小値はＢビット（またはＢバイト）であり、Ｂは正の整数である、または、第１アップリンクチャネルは、第１トランスポートブロックサイズのトランスポートブロックを搬送するＰＵＳＣＨを含み、第１トランスポートブロックサイズの最大値はＣビット（またはＣバイト）であり、Ｃは正の整数である、または、第１アップリンクチャネルは、第１トランスポートブロックサイズのトランスポートブロックを搬送するＰＵＳＣＨを含み、第１トランスポートブロックサイズの範囲はＰ〜Ｑビット（またはＰ〜Ｑバイト）であり、ＰおよびＱは正の整数であることを理解すべきである。
【００１５】
第１アップリンクチャネルは、第１符号レートのトランスポートブロックを搬送するＰＵＳＣＨを含み、第１符号レートはＦであり、Ｆは正数である、または、第１アップリンクチャネルは、第１符号レートのトランスポートブロックを搬送するＰＵＳＣＨを含み、第１符号レートの最小値はＧであり、Ｇは正数である、または、第１アップリンクチャネルは、第１符号レートのトランスポートブロックを搬送するＰＵＳＣＨを含み、第１符号レートの最大値はＨであり、Ｈは正数である、または、第１アップリンクチャネルは、第１符号レートのトランスポートブロックを搬送するＰＵＳＣＨを含み、第１符号レートの範囲は、Ｉ〜Ｊであり、ＩおよびＪは正数であることを理解すべきである。
【００１６】
第１態様の可能な実装において、第１アップリンクチャネルは、ＰＵＣＣＨおよび／またはＰＵＳＣＨを含み、ＰＵＣＣＨおよび／またはＰＵＳＣＨは、以下のアップリンク制御情報、すなわち、肯定応答ＡＣＫ情報、第２時間閾値より低い、またはそれに等しい第２レイテンシ要件に対応する情報、および、第２データ伝送リソースを要求するために端末デバイスによって使用される第２スケジューリング要求のうち少なくとも１つを含む。この可能な実装において、ＰＵＣＣＨおよび／またはＰＵＳＣＨが、ＡＣＫ情報、および、第２スケジューリング要求についての予め規定された情報のうち少なくとも１つを含むとき、ＰＵＣＣＨおよび／またはＰＵＳＣＨは、重要度が比較的高いものであるとみなされ、第１アップリンクチャネルのチャネル優先度は、第１ＰＲＡＣＨのチャネル優先度より高い、またはそれに等しい。
【００１７】
第１態様の可能な実装において、第１ＰＲＡＣＨは、以下のＰＲＡＣＨ、すなわち、二次タイムアライメントグループｓＴＡＧのサービングセル上のＰＲＡＣＨ、および、第１フォーマットのＰＲＡＣＨのうち、少なくとも１つを含む。この可能な実装において、第１ＰＲＡＣＨがｓＴＡＧのサービングセルにある、および／または、第１ＰＲＡＣＨが第１フォーマットであるとき、第１ＰＲＡＣＨは重要度が比較的低いとみなされ、第１アップリンクチャネルのチャネル優先度は第１ＰＲＡＣＨのチャネル優先度より高い、またはそれに等しい。
【００１８】
第１態様の可能な実装において、端末デバイスが、第１アップリンクチャネルの第１送信電力を、第１アップリンクチャネルのチャネル優先度、および、第１ＰＲＡＣＨのチャネル優先度に基づいて設定する段階は、端末デバイスが、第１アップリンクチャネルの第１送信電力を、第２ＰＲＡＣＨのチャネル優先度、第１アップリンクチャネルのチャネル優先度、および、第１ＰＲＡＣＨのチャネル優先度に基づいて設定する段階であって、第１アップリンクチャネルが位置する第１時間領域リソース、第１ＰＲＡＣＨが位置する第２時間領域リソース、および、第２ＰＲＡＣＨが位置する第３時間領域リソースは、重複し、第２ＰＲＡＣＨのチャネル優先度は、第１アップリンクチャネルのチャネル優先度より高い、段階を含む。
【００１９】
第１態様の可能な実装において、方法は、端末デバイスが、第１ＰＲＡＣＨを破棄し、第１ＰＲＡＣＨのために、第２送信電力を０に設定する段階を更に備える。
【００２０】
第１態様の可能な実装において、方法は、端末デバイスが第１の情報を受信する段階であって、第１の情報は、第１ＰＲＡＣＨを送信するよう端末デバイスに命令するために使用され、第１の情報は、上位層シグナリングにおいて構成される、または、物理チャネルで搬送される、段階を更に備える。この可能な実装において、第１ＰＲＡＣＨが、情報を使用することによって指定される特定のＰＲＡＣＨであるとき、第１ＰＲＡＣＨは重要度が比較的低いとみなされ、第１アップリンクチャネルのチャネル優先度は、第１ＰＲＡＣＨのチャネル優先度より高い、またはそれに等しい。
【００２１】
第１態様の可能な実装において、方法は更に、端末デバイスが、第３時間領域リソースで第２の情報を受信する段階であって、第２の情報は、第１時間領域リソースで第１アップリンクチャネルを送信するよう端末デバイスに命令するために使用され、第１アップリンクチャネルのチャネル優先度は、第１ＰＲＡＣＨのチャネル優先度より高い、またはそれに等しい、段階、または、端末デバイスが、第３時間領域リソースで第２の情報を受信する段階であって、第２の情報は、第１時間領域リソースで第１アップリンクチャネルを送信するよう端末デバイスに命令するために使用され、第３時間領域リソースの開始時点から第１時間領域リソースの開始時点までの時間間隔は第３時間閾値より低い、またはそれに等しい、段階を備える。この可能な実装において、第１アップリンクチャネルが重要なチャネルとして明示的に、または暗示的に示されるとき、および／または、第１アップリンクチャネルをスケジューリングするために使用される第２の情報を送信する時間から、第１アップリンクチャネルを送信する時間までの時間間隔が、特定の閾値未満であるとき、第１アップリンクチャネルは、重要度が比較的高いとみなされ、第１アップリンクチャネルのチャネル優先度は、第１ＰＲＡＣＨのチャネル優先度より高い、またはそれに等しい。
【００２２】
第１態様の可能な実装において、第１時間領域リソースの長さは、第１時間長であり、および／または、第１アップリンクチャネルが位置する周波数領域リソースのサブキャリア間隔は、第１サブキャリア間隔である、および／または、第２時間領域リソースの長さは、第２時間長であり、および／または、第１ＰＲＡＣＨが位置する周波数領域リソースのサブキャリア間隔は、第２サブキャリア間隔である、および／または、第１アップリンクチャネルは第Ｋ回目に再伝送される第１アップリンクチャネルであり、Ｋは１より高い、またはそれに等しい整数である。この可能な実装において、第１アップリンクチャネルが特定の時間長および／または特定のサブキャリア間隔を使用するとき、第１ＰＲＡＣＨは、特定の時間長および／または特定のサブキャリア間隔を使用し、および／または、第１アップリンクチャネルは、第Ｋ回目に再伝送され、第１アップリンクチャネルは重要度が比較的高いとみなされ、第１アップリンクチャネルのチャネル優先度は、第１ＰＲＡＣＨのチャネル優先度より高い、またはそれに等しい。
【００２３】
第１態様の可能な実装において、方法は、端末デバイスが、第１ＰＲＡＣＨの第２送信電力を、第１アップリンクチャネルのチャネル優先度、および、第１ＰＲＡＣＨのチャネル優先度に基づいて設定する段階であって、第１送信電力および第２送信電力の和は、端末デバイスの最大許容送信電力より低い、またはそれに等しく、第２送信電力は０より大きい、段階と、端末デバイスが、第１ＰＲＡＣＨを第２送信電力で送信する段階とを更に備える。
【００２４】
第１態様の可能な実装において、第２送信電力は、第１ＰＲＡＣＨの要求電力未満である。
【００２５】
第１態様の可能な実装において、第１アップリンクチャネルの要求電力、および、第１ＰＲＡＣＨの要求電力の和は、第１の利用可能な電力値より大きく、第１の利用可能な電力値は、最大許容送信電力より低い、またはそれに等しく、第１送信電力および第２送信電力の和は、第１の利用可能な電力値より低い、またはそれに等しい。
【００２６】
第１態様の可能な実装において、第１の利用可能な電力値は、端末デバイスの利用可能な送信電力から第２ＰＲＡＣＨの要求電力を減算したものである。
【００２７】
第２態様によれば、第１態様、または、第１態様の任意の可能な実装における方法を実行するよう構成される端末デバイスが提供される。具体的には、端末デバイスは、第１態様、または、第１態様の任意の可能な実装に係る方法を実行するよう構成されるモジュールを含み得る。
【００２８】
第３態様によれば、通信機器が提供される。通信機器は端末デバイスであり得る、または、端末デバイスに配置されるチップであり得る。通信機器はプロセッサおよびメモリを含み、メモリは、命令を格納するよう構成され、プロセッサは、メモリに格納された命令を実行するよう構成され、メモリに格納された命令の実行により、通信機器は、第１態様、または、第１態様の任意の可能な実装に係る方法を実行することが可能になる。当然、通信機器は、送受信機を更に含み得て、送受信機は、データを受信および送信するために、プロセッサおよび／またはメモリと通信接続する。
【００２９】
第４態様によれば、コンピュータ記憶媒体が提供され、コンピュータ記憶媒体は命令を格納し、命令がコンピュータ上で実行されるとき、コンピュータは、第１態様、または、第１態様の任意の可能な実装に従って方法を実行することが可能である。
【００３０】
第５態様によれば、命令を含むコンピュータプログラムプロダクトが提供され、コンピュータプログラムプロダクトの命令がコンピュータ上で実行されるとき、コンピュータは、第１態様、または、第１態様の任意の可能な実装に係る方法を実行することが可能になる。
【００３１】
第６態様によれば、アップリンク伝送方法が提供される。方法は、ネットワークデバイスが第１の情報を送信する段階であって、第１の情報は、第１ＰＲＡＣＨを送信するよう端末デバイスに命令するために使用され、第１の情報は、上位層シグナリングにおいて構成され、または、物理チャネルで搬送され、第１ＰＲＡＣＨが位置する第２時間領域リソース、および、第１アップリンクチャネルが位置する第１時間領域リソースは重複し、第１アップリンクチャネルは、物理アップリンク共有チャネルＰＵＳＣＨ、および、物理アップリンク制御チャネルＰＵＣＣＨのうち少なくとも１つを含み、第１アップリンクチャネルのチャネル優先度は、第１ＰＲＡＣＨのチャネル優先度より高い、またはそれに等しい、段階と、ネットワークデバイスが、第２時間領域リソースで第１ＰＲＡＣＨを検出する段階とを備える。
【００３２】
第６態様におけるアップリンク伝送方法によれば、ネットワークデバイスは、第１ＰＲＡＣＨを送信するよう端末デバイスに命令する。ＰＵＳＣＨの時間領域リソースおよび／またはＰＵＣＣＨの時間領域リソース、および、第１ＰＲＡＣＨの時間領域リソースが重複するとき、ＰＵＳＣＨのチャネル優先度および／またはＰＵＣＣＨのチャネル優先度が、第１ＰＲＡＣＨのチャネル優先度より高く、またはそれに等しく設定され、その結果、既存の解決手段と比較して、端末デバイスは、ＰＵＳＣＨおよび／またはＰＵＣＣＨのために、送信電力をより優先的に設定でき、電力設定は、ＰＵＳＣＨおよび／またはＰＵＣＣＨに対して、より適切に、より好適になり、それにより、サービス伝送品質が改善する。
【００３３】
第７態様によれば、アップリンク伝送方法が提供される。方法は、ネットワークデバイスが、第３時間領域リソースで第２の情報を送信する段階であって、第２の情報は、第１時間領域リソースで第１アップリンクチャネルを送信するよう端末デバイスに命令するために使用され、第１アップリンクチャネルのチャネル優先度は、第１ＰＲＡＣＨのチャネル優先度より高い、またはそれに等しい、段階、または、ネットワークデバイスが、第３時間領域リソースで第２の情報を送信する段階であって、第２の情報は、第１時間領域リソースで第１アップリンクチャネルを送信するよう端末デバイスに命令するために使用され、第３時間領域リソースの開始時点から第１時間領域リソースの開始時点までの時間間隔は、第３時間閾値より低い、またはそれに等しく、第１アップリンクチャネルは、物理アップリンク共有チャネルＰＵＳＣＨ、および、物理アップリンク制御チャネルＰＵＣＣＨのうち少なくとも１つを含み、第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しい、段階と、ネットワークデバイスが、第１時間領域リソースで第１アップリンクチャネルを検出する段階とを備える。
【００３４】
第７態様におけるアップリンク伝送方法によれば、ネットワークデバイスは、第１アップリンクチャネルを送信するよう端末デバイスに命令する。ＰＵＳＣＨの時間領域リソースおよび／またはＰＵＣＣＨの時間領域リソース、および、第１ＰＲＡＣＨの時間領域リソースが重複するとき、第１アップリンクチャネルは、重要なチャネルとして、明示的に、または暗示的に示され、および／または、第１アップリンクチャネルをスケジューリングするのに使用される第２の情報を送信する時間から、第１アップリンクチャネルを送信する時間までの時間間隔が、特定の閾値未満であるとき、第１アップリンクチャネルは、暗示的に、重要度が比較的高いと示され、第１アップリンクチャネルのチャネル優先度は、第１ＰＲＡＣＨのチャネル優先度より高い、またはそれに等しく、その結果、既存の解決手段と比較して、端末デバイスは、ＰＵＳＣＨおよび／またはＰＵＣＣＨの送信電力をより優先的に設定でき、電力設定は、ＰＵＳＣＨおよび／またはＰＵＣＣＨに、より適切に、より好適であり、それにより、サービス伝送品質が改善する。
【００３５】
第８態様によれば、第６態様または第７態様における方法を実行するよう構成されるネットワークデバイスが提供される。具体的には、ネットワークデバイスは、第６態様または第７態様における方法を実行するよう構成されるモジュールを含み得る。
【００３６】
第９態様によれば、通信機器が提供される。通信機器は、ネットワークデバイスであり得る、または、ネットワークデバイスに配置されるチップであり得る。通信機器はプロセッサおよびメモリを含み、メモリは、命令を格納するよう構成され、プロセッサは、メモリに格納された命令を実行するよう構成され、メモリに格納された命令の実行により、通信機器は、第６態様または第７態様における方法を実行することが可能になる。当然、通信機器は、送受信機を更に含み得て、送受信機は、データを受信および送信するために、プロセッサおよび／またはメモリと通信接続する。
【００３７】
第１０態様によれば、コンピュータ記憶媒体が提供され、コンピュータ記憶媒体は命令を格納し、命令がコンピュータ上で実行されるとき、コンピュータは、第６態様または第７態様の方法を実行することが可能になる。
【００３８】
第１１態様によれば、命令を含むコンピュータプログラムプロダクトが提供され、コンピュータプログラムプロダクトにおける命令がコンピュータ上で実行されるとき、コンピュータは、第６態様または第７態様における方法を実行する。
【００３９】
第２態様から第１１態様に従って取得できる効果は、第１態様に従って取得できる効果に対応する。ここでは詳細を再度説明しない。
【図面の簡単な説明】
【００４０】
【図１】本願の実施形態の解決手段を適用できるアプリケーションシナリオの概略図である。
【００４１】
【図２】電力設定方法の概略図である。
【００４２】
【図３】電力設定方法の概略図である。
【００４３】
【図４】本願の実施形態に係るアップリンク伝送方法の概略フローチャートである。
【００４４】
【図５】本願の実施形態に係るアップリンク伝送方法の概略図である。
【００４５】
【図６】本願の別の実施形態に係るアップリンク伝送方法の概略図である。
【００４６】
【図７】本願の別の実施形態に係るアップリンク伝送方法の概略図である。
【００４７】
【図８】本願の別の実施形態に係るアップリンク伝送方法の概略図である。
【００４８】
【図９】ＵＲＬＬＣサービスの伝送の概略図である。
【００４９】
【図１０】本願の実施形態に係る端末デバイスの概略ブロック図である。
【００５０】
【図１１】本願の別の実施形態に係る端末デバイスの概略ブロック図である。
【００５１】
【図１２】本願の実施形態に係るネットワークデバイスの概略ブロック図である。
【００５２】
【図１３】本願の別の実施形態に係るネットワークデバイスの概略ブロック図である。
【発明を実施するための形態】
【００５３】
以下に、添付図面を参照して、本願の技術的解決手段について説明する。
【００５４】
本願の実施形態は、複数の無線通信システム、例えば、モバイル通信のためのグローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）システム、およびユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）に適用され得て、特に、ＬＴＥシステム、ＬＴＥ−ＡシステムおよびＮＲシステムに適用される。
【００５５】
本願は、ネットワークデバイスおよび端末デバイスを参照して実施形態を説明する。
【００５６】
端末デバイスはまた、ユーザ機器（Ｕｓｅｒ  Ｅｑｕｉｐｍｅｎｔ、ＵＥ）、アクセス端末、加入者ユニット、加入者局、移動局、モバイルコンソール、リモート局、リモート端末、モバイルデバイス、ユーザ端末、端末、無線通信デバイス、ユーザエージェントまたはユーザ機器と称され得る。端末デバイスは、無線ローカルエリアネットワーク（Ｗｉｒｅｌｅｓｓ  Ｌｏｃａｌ  Ａｒｅａ  Ｎｅｔｗｏｒｋ、ＷＬＡＮ）における局（ＳＴＡＴＩＯＮ、ＳＴ）であり得て、または、セルラ電話、コードレス電話、セッション初期化プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）デバイス、無線通信機能を有するハンドヘルドデバイス、コンピューティングデバイス、または、無線モデムに接続された別の処理デバイス、車載デバイス、またはウェアラブルデバイスであり得て、または、５Ｇシステムなどの次世代通信システムにおける端末デバイス、将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）における端末デバイス、ＮＲシステムにおける端末デバイス、または同様のものであり得る。
【００５７】
制限ではなく、例として、本願の実施形態において、端末デバイスはウェアラブルデバイスであり得る。ウェアラブルデバイスは、ウェアラブルインテリジェントデバイスとも称され得て、ウェアラブル技術を使用することによって日常的に着用されるインテリジェント設計に基づいて開発された、着用できるデバイスの総称であり得て、例えば、眼鏡、手袋、腕時計、衣類、または靴がある。ウェアラブルデバイスは、人体に直接着用される、または、ユーザの衣類もしくはアクセサリに組み込まれるポータブルデバイスである。ウェアラブルデバイスは、ただのハードウェアデバイスではなく、ソフトウェアサポート、データ交換、およびクラウド交換を通じて強力な機能を実装する。広い意味では、ウェアラブルインテリジェントデバイスは、完全な機能を提供し、より大きいサイズを有し、スマートフォンに依存することなく、すべての、または一部の機能を実装できるデバイス、例えば、スマートウォッチまたはスマートグラスを含み、特定の種類のアプリケーション機能のみに着目した、スマートフォンなどの別のデバイスと組み合わせて使用される必要があるデバイス、例えば、バイタルサインのモニタリングに使用される様々なスマートバンドおよびスマートジュエリを含む。
【００５８】
ネットワークデバイスは、モバイルデバイスと通信するよう構成されるデバイスであり得る。例えば、ネットワークデバイスは、ＷＬＡＮにおけるアクセスポイント（Ａｃｃｅｓｓ  Ｐｏｉｎｔ、ＡＰ）、ＧＳＭ（登録商標）もしくはＣＤＭＡにおけるベーストランシーバ基地局（Ｂａｓｅ  Ｔｒａｎｓｃｅｉｖｅｒ  Ｓｔａｔｉｏｎ、ＢＴＳ）、または、ＷＣＤＭＡ（登録商標）におけるノードＢ（ＮｏｄｅＢ、ＮＢ）、または、ＬＴＥにおける進化型ノードＢ（ｅｖｏｌｖｅｄ  ＮｏｄｅＢ、ｅＮＢまたはｅＮｏｄｅＢ）であり得る、または、将来の５Ｇシステムにおけるリレーノード、アクセスポイント、車載デバイス、ウェアラブルデバイスおよびネットワークデバイス、または、将来の進化型ＰＬＭＮにおけるネットワークデバイス、または、ＮＲシステムにおける新世代ノードＢ（ｎｅｗ  ｇｅｎｅｒａｔｉｏｎ  ＮｏｄｅＢ、ｇＮｏｄｅＢ）であり得る。
【００５９】
本願の実施形態において、ネットワークデバイスは、セルのためのサービスを提供し、端末デバイスは、セルによって使用される伝送リソース（例えば、周波数領域リソース、または、スペクトルリソースと称される）を使用することによって、ネットワークデバイスと通信する。セルは、ネットワークデバイス（例えば基地局）に対応するセルであり得る。セルは、マクロ基地局、または、スモールセル（ｓｍａｌｌ  ｃｅｌｌ）に対応する基地局に属し得る。本明細書におけるスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）または同様のものを含み得る。スモールセルは、小さいカバレッジ、および、低い送信電力を特徴とし、高速データ伝送サービスを提供するのに好適である。
【００６０】
加えて、複数のセルは、ＬＴＥシステムまたはＮＲシステムのキャリアで同一周波数において動作し得る。いくつかの特定のシナリオにおいて、キャリアの概念はセルの概念と同一であるとみなされ得る。例えば、キャリアアグリゲーション（Ｃａｒｒｉｅｒ  Ａｇｇｒｅｇａｔｉｏｎ、ＣＡ）シナリオにおいて、二次コンポーネントキャリアが端末デバイスに構成されているとき、二次コンポーネントキャリアのキャリアインデックス、および、二次コンポーネントキャリアで動作する二次セルのセル識別子（Ｃｅｌｌ  Ｉｄｅｎｔｉｆｉｅｒ、Ｃｅｌｌ  ＩＤ）の両方が搬送される。この場合、キャリアの概念は、セルの概念と同一であるとみなされ得て、例えば、端末デバイスがキャリアにアクセスすることは、端末デバイスがセルにアクセスすることと等しい。
【００６１】
本願の実施形態において提供される方法およびデバイスは、端末デバイスまたはネットワークデバイスに適用でき、端末デバイスまたはネットワークデバイスは、ハードウェア層、ハードウェア層の上で動作するオペレーティングシステム層、および、オペレーティングシステム層の上で動作するアプリケーション層を含む。ハードウェア層は、中央演算処理装置（Ｃｅｎｔｒａｌ  Ｐｒｏｃｅｓｓｉｎｇ  Ｕｎｉｔ、ＣＰＵ）、メモリ管理ユニット（Ｍｅｍｏｒｙ  Ｍａｎａｇｅｍｅｎｔ  Ｕｎｉｔ、ＭＭＵ）およびメモリ（メインメモリとも称される）などのハードウェアを含む。オペレーティングシステムは、プロセス（Ｐｒｏｃｅｓｓ）を通じてサービス処理を実装するコンピュータオペレーティングシステム、例えば、Ｌｉｎｕｘ（登録商標）オペレーティングシステム、Ｕｎｉｘ（登録商標）オペレーティングシステム、Ａｎｄｒｏｉｄ（登録商標）オペレーティングシステム、ｉＯＳオペレーティングシステム、またはＷｉｎｄｏｗｓ（登録商標）オペレーティングシステムのうち任意の１または複数であり得る。アプリケーション層は、ブラウザ、連絡先、ワードプロセッシングソフトウェア、およびインスタントメッセージングソフトウェアなどのアプリケーションを含む。加えて、本発明の実施形態において提供される方法のプログラムレコーディングコードを実行することによって、本願の実施形態において提供される方法に係る通信を実行することができる限り、本願の実施形態において提供される方法の実行主体の特定の構造は、本願の実施形態に具体的に限定されない。例えば、本願の実施形態において提供される方法の実行主体は、端末デバイスまたはネットワークデバイス、または、端末デバイスまたはネットワークデバイスにおいてプログラムを呼び出してプログラムを実行することができる機能モジュールであり得る。
【００６２】
加えて、本願の実施形態における態様または特徴は、標準的なプログラミングおよび／または工学技術を使用する方法、デバイスまたはプロダクトとして実装され得る。本願において使用される「プロダクト」という用語は、任意のコンピュータ可読コンポーネント、キャリア、または媒体からアクセス可能なコンピュータプログラムを包含する。例えば、コンピュータ可読媒体は、これらに限定されるものではないが、磁気ストレージコンポーネント（例えば、ハードディスク、フロッピーディスクまたは磁気テープ）、光ディスク（例えば、コンパクトディスク（Ｃｏｍｐａｃｔ  Ｄｉｓｃ、ＣＤ）、またはデジタルバーサタイルディスク（Ｄｉｇｉｔａｌ  Ｖｅｒｓａｔｉｌｅ  Ｄｉｓｃ、ＤＶＤ））、スマートカード、および、フラッシュメモリコンポーネント（例えば、消去可能プログラマブルリードオンリメモリ（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ）、カード、スティック、またはキードライブ）を含み得る。加えて、本明細書において説明される様々な記憶媒体は、情報を格納するよう構成される、１または複数のデバイスおよび／または他の機械可読媒体を示し得る。「機械可読媒体」という用語は、これらに限定されるものではないが、無線チャネル、命令および／またはデータを格納、保持および／または伝送できる様々な他の媒体を含み得る。
【００６３】
図１は、本願の実施形態の解決手段を適用できるアプリケーションシナリオの概略図である。図１に示されるように、アプリケーションシナリオは、セル基地局１０１、ならびに、セル基地局１０１のカバレッジにありセル基地局１０１と通信する端末デバイス１０２および端末デバイス１０３を含む。セル基地局１０１は、ＬＴＥシステムにおける進化型ノードＢであり得て、端末デバイス１０２および端末デバイス１０３は、対応するＬＴＥシステムにおける端末デバイスであり得て、セル基地局１０１および端末デバイス１０２の両方は、短い伝送時間間隔（Ｔｒａｎｓｍｉｓｓｉｏｎ  Ｔｉｍｅ  Ｉｎｔｅｒｖａｌ、ＴＴＩ）伝送をサポートするデバイスであり、端末デバイス１０３は、ショートＴＴＩ（ｓｈｏｒｔ  ＴＴＩ、ｓＴＴＩ）伝送をサポートしないデバイスである。セル基地局１０１は、ショートＴＴＩ、または、正常な１ミリ秒（ｍｓ）のＴＴＩを使用することによって、端末デバイス１０２と別個に通信し得る。セル基地局１０１は、正常な１ｍｓ  ＴＴＩを使用することによって端末デバイス１０３と通信し得る。
【００６４】
以下では、本願における、いくつかの概念および技術を簡潔に説明する。
【００６５】
ＬＴＥ−Ａシステムにおけるアップリンク伝送およびダウンリンク伝送
【００６６】
ＬＴＥ−Ａシステムにおける時間領域は、無線フレーム（Ｒａｄｉｏ  Ｆｒａｍｅ）を使用することによって識別される。各無線フレームは、１０個の１ｍｓサブフレーム（ｓｕｂｆｒａｍｅ）を含み、各サブフレームは２個のスロット（ｓｌｏｔ）を含む。標準サイクリックプリフィクス（ｎｏｒｍａｌ  ＣＰ、ｎｏｒｍａｌ  Ｃｙｃｌｉｃ  Ｐｒｅｆｉｘ）については、各スロットは、７シンボル（ｓｙｍｂｏｌ）を含み、拡張サイクリックプリフィクス（Ｅｘｔｅｎｄｅｄ  Ｃｙｃｌｉｃ  Ｐｒｅｆｉｘ）については、各スロットは６シンボルを含む。リソース要素（Ｒｅｓｏｕｒｃｅ  Ｅｌｅｍｅｎｔ、ＲＥ）は、ＬＴＥ−Ａシステムにおける最小の時間−周波数リソース単位であり、時間領域において１シンボルを含み、周波数領域において１つのサブキャリアを含む。ＬＴＥ−Ａシステムのアップリンクシンボルは、単一キャリア周波数分割多重アクセス（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）シンボルであり、ダウンリンクシンボルは、直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルである。直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）のアップリンク多元接続方式は、ＬＴＥ−Ａシステムのその後の技術に導入され、したがって、アップリンクシンボルは代替的にＯＦＤＭシンボルであり得ることに注意すべきである。本願において、アップリンクシンボルおよびダウンリンクシンボルは各々、簡潔にシンボルと称される。ＴＴＩが０．５ｍｓまで１シンボルに短縮されたデータパケットは、ｓＴＴＩデータパケットと総称される。または、ＴＴＩが１ｍｓより大きくないデータパケットは、ｓＴＴＩデータパケットと称される。
【００６７】
ＮＲシステムにおけるアップリンク伝送およびダウンリンク伝送
【００６８】
ＮＲシステムにおいて、各サブフレームは、複数のＯＦＤＭシンボル、または、複数のＳＣ−ＦＤＭＡシンボルを含むが、サブフレームの長さは１ｍｓでなくてよく、これは、サブキャリア間隔の値に依存する。サブキャリア間隔が１５ｋＨｚである場合、サブフレーム長さは１ｍｓである。または、サブキャリア間隔が１５ｋＨｚより大きい場合、サブフレームの長さは１ｍｓ未満であり得る。ＮＲシステムは、複数のサブキャリア間隔の伝送を含み得て、異なるサブキャリア間隔構成は異なるｎｕｍｅｒｏｌｏｇｙと称される。言い換えれば、異なるｎｕｍｅｒｏｌｏｇｙにおいて、シンボルの時間長は異なる。
【００６９】
上位層シグナリング
【００７０】
上位層シグナリングは、上位層プロトコル層によって送信されたシグナリングであり得て、上位層プロトコル層は、物理層の上のプロトコル層のうち少なくとも１つである。上位層プロトコル層は具体的には、以下のプロトコル層、すなわち、媒体アクセス制御（Ｍｅｄｉｕｍ  Ａｃｃｅｓｓ  Ｃｏｎｔｒｏｌ、ＭＡＣ）層、無線リンク制御（Ｒａｄｉｏ  Ｌｉｎｋ  Ｃｏｎｔｒｏｌ、ＲＬＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層、無線リソース制御（Ｒａｄｉｏ  Ｒｅｓｏｕｒｃｅ  Ｃｏｎｔｒｏｌ、ＲＲＣ）層、および非アクセス層（Ｎｏｎ−Ａｃｃｅｓｓ  Ｓｔｒａｔｕｍ、ＮＡＳ）などのうち、少なくとも１つであり得る。
【００７１】
グラントフリー伝送
【００７２】
５Ｇモバイル通信技術のＮＲシステムには複数のサービスタイプがあり、異なるサービスタイプは異なるサービス要件に対応する。したがって、グラントフリー（ｇｒａｎｔ−ｆｒｅｅまたはｇｒａｎｔ−ｌｅｓｓ）伝送はＮＲシステムに導入される。本願の実施形態において、グラントフリー伝送は、以下の意味のうち、任意の１または複数として理解され得る、または、以下の複数の意味のうち、いくつかの技術的特徴の組み合わせとして、または、別の同様の意味として理解され得る。
【００７３】
グラントフリー伝送は以下の通りであり得る。ネットワークデバイスは、複数の伝送リソースを端末デバイスに予め割り当て、端末デバイスに複数の伝送リソースを通知する。アップリンクデータ伝送需要があるとき、端末デバイスは、ネットワークデバイスによって予め割り当てられた複数の伝送リソースから、少なくとも１つの伝送リソースを選択し、選択された伝送リソースを使用することによってアップリンクデータを送信する。ネットワークデバイスは、予め割り当てられた複数の伝送リソースにおける１または複数の伝送リソースで、端末デバイスによって送信されたアップリンクデータを検出する。検出は、ブラインド検出であり得て、または、アップリンクデータにおける制御フィールドに基づいて実行される検出であり得て、または、別の方式で実行される検出であり得る。
【００７４】
グラントフリー伝送は以下の通りであり得る。ネットワークデバイスは、複数の伝送リソースを端末デバイスに予め割り当て、端末デバイスに複数の伝送リソースを通知し、その結果、アップリンクデータ伝送需要があるとき、端末デバイスは、ネットワークデバイスによって予め割り当てられた複数の伝送リソースから少なくとも１つの伝送リソースを選択し、選択された伝送リソースを使用することによって、アップリンクデータを送信する。
【００７５】
グラントフリー伝送は以下の通りであり得る。端末デバイスは、複数の予め割り当てられた伝送リソースについての情報を取得し、アップリンクデータ伝送需要があるとき、複数の伝送リソースから、少なくとも１つの伝送リソースを選択し、選択された伝送リソースを使用することによってアップリンクデータを送信する。複数の伝送リソースは、ネットワークデバイスから取得され得る、または、予め規定され得る。
【００７６】
グラントフリー伝送とは、ネットワークデバイスの動的スケジューリングなしで、端末デバイスのアップリンクデータ送信を実装する方法を指し得る。動的スケジューリングは、ネットワークデバイスが、シグナリングを使用することによって、端末デバイスの各アップリンクデータ送信についての伝送リソースを示すスケジューリング方式であり得る。任意選択で、端末デバイスのアップリンクデータ送信の実装は、２つ以上の端末デバイスのデータのアップリンクデータ送信が、同一の時間−周波数リソースで許容されるものとして理解され得る。任意選択で、端末デバイスがシグナリングを受信した時点の後に、伝送リソースは、１または複数の時間領域リソースの伝送リソースであり得る。
【００７７】
グラントフリー伝送とは、端末デバイスがネットワークデバイスのグラントなしでアップリンクデータ送信を実行することを意味し得る。グラントとは、以下の通りであり得る。端末デバイスがアップリンクスケジューリング要求をネットワークデバイスへ送信し、スケジューリング要求の受信後、ネットワークデバイスがアップリンクグラントを端末デバイスへ送信し、アップリンクグラントは端末デバイスに割り当てられたアップリンク伝送リソースを示す。
【００７８】
グラントフリー伝送とは、競合ベースの伝送方式であり得て、具体的には、複数の端末が、基地局のグラントなしで、同一の予め割り当てられた時間−周波数リソースでアップリンクデータ送信を同時に実行することであり得る。
【００７９】
ＬＴＥシステムおよびＬＴＥ−Ａシステムにおいて、端末デバイスがＰＲＡＣＨ、ＰＵＳＣＨおよびＰＵＣＣＨを送信する場合は以下の通りである。
【００８０】
ＰＵＳＣＨの送信
【００８１】
現在、ＬＴＥシステムおよびＬＴＥ−Ａシステムにおいて、端末デバイスは、スケジューリングに基づいてＰＵＳＣＨを送信する。端末デバイスは、サブフレームｎにおいて、ネットワークデバイスによって送信された、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）で搬送されるアップリンクスケジューリング（Ｕｐｌｉｎｋ  ｇｒａｎｔ、ＵＬ  ｇｒａｎｔ）情報を受信する。端末デバイスは、アップリンクスケジューリング情報に基づいて、最も早くサブフレームｎ＋４においてＰＵＳＣＨを送信する。
【００８２】
ＰＵＣＣＨの送信
【００８３】
（１）肯定応答（ＡＣＫｎｏｗｌｅｄｇｅｍｅｎｔ、ＡＣＫ）または否定応答（Ｎｅｇａｔｉｖｅ  ＡＣＫｎｏｗｌｅｄｇｅｍｅｎｔ、ＮＡＣＫ）を含むハイブリッド自動再送要求（Ｈｙｂｒｉｄ  Ａｕｔｏｍａｔｉｃ  Ｒｅｐｅａｔ  ｒｅｑｕｅｓｔ、ＨＡＲＱ）の送信
【００８４】
端末デバイスは、サブフレームｎにおいて、ネットワークデバイスによって送信されたＰＤＳＣＨおよびＰＤＣＣＨを受信し、ＰＤＳＣＨおよびＰＤＣＣＨは、ダウンリンクスケジューリング（Ｄｏｗｎｌｉｎｋ  ｇｒａｎｔ、ＤＬ  ｇｒａｎｔ）情報を搬送し得て、端末デバイスは、ＰＤＳＣＨの復号のステータスに基づいて、ＡＣＫまたはＮＡＣＫを生成し、最も早くサブフレームｎ＋４においてＰＵＣＣＨを送信する。
【００８５】
（２）チャネル状態情報（Ｃｈａｎｎｅｌ  Ｓｔａｔｅ  Ｉｎｆｏｒｍａｔｉｏｎ、ＣＳＩ）の非周期送信
【００８６】
端末デバイスは、サブフレームｎにおいて、ＰＤＣＣＨで搬送されるＵＬグラントまたはＤＬグラントを受信する。端末デバイスは、ＰＤＣＣＨのインジケーション情報に基づいて、サブフレームｎ＋４またはサブフレームｎ＋５においてＰＵＣＣＨを送信する。
【００８７】
（３）ＣＳＩの周期的送信：端末デバイスはＰＵＣＣＨを周期的に送信する。
【００８８】
（４）スケジューリング要求の送信：アップリンクデータが送信される必要があるとき、端末デバイスは、スケジューリング要求の送信周期時点まで待機し、スケジューリング要求の送信周期時点でＰＵＣＣＨを送信する。
【００８９】
ＰＲＡＣＨの送信
【００９０】
（１）端末デバイス自体は、ＰＲＡＣＨを送信することを決定し得る、または、ネットワークデバイスによって送信されたＰＤＣＣＨのトリガに基づいてＰＲＡＣＨを送信する、または、ネットワークデバイスによって送信された無線リソース制御（Ｒａｄｉｏ  Ｒｅｓｏｕｒｃｅ  Ｃｏｎｔｒｏｌ、ＲＲＣ）シグナリングのトリガに基づいてＰＲＡＣＨを送信する。ＰＲＡＣＨは、端末デバイスとネットワークデバイスとの間の同期、セルハンドオーバ、または同様のものに使用され得る。
【００９１】
（２）端末デバイスとネットワークデバイスとの間の接続をセットアップするプロセスは、ランダムアクセスプロセスであり、端末デバイスは、ランダムアクセスプロセスにおいてＰＲＡＣＨを送信する。ランダムアクセスプロセスは具体的には、以下の段階、すなわち、端末デバイスがＰＲＡＣＨを使用してランダムアクセスプリアンブルをネットワークデバイスへ送信する段階を含む。ランダムアクセスプリアンブルを受信した後に、ネットワークデバイスは、ＰＤＳＣＨを使用することによって、ランダムアクセス応答（Ｒａｎｄｏｍ  Ａｃｃｅｓｓ  Ｒｅｓｐｏｎｓｅ、ＲＡＲ）で端末デバイスに応答する。次に、端末デバイスは、ＰＵＳＣＨを使用することによって、ランダムアクセスプロセスにおいてメッセージ３を送信する。最後に、ネットワークデバイスは、競合解決メッセージで端末デバイスに応答する。ランダムアクセスプロセスにおいて、ネットワークデバイスおよび端末デバイスは、１ｍｓのＴＴＩの基本伝送単位においてメッセージを伝送する。
【００９２】
ＬＴＥシステムおよびＬＴＥ−Ａシステムにおいて、端末デバイスによる各チャネルの電力設定は以下の通りである。
【００９３】
ＬＴＥシステムおよびＬＴＥ−Ａシステムの規格（またはプロトコル）において、各チャネルはチャネル優先度を有する。チャネルのチャネル優先度を設計する原理は、重要なチャネルの優先的送信を保証することである。規格では、電力は、高いチャネル優先度を有するアップリンクチャネルに優先的に設定され、次に、電力は、低いチャネル優先度を有するアップリンクチャネルに設定され、１つより多いアップリンクチャネルが同一のチャネル優先度を有する場合、電力圧縮が複数のアップリンクチャネルに同一の比率で実行されることが規定されている。
【００９４】
例えば、端末デバイスの最大許容送信電力が１００シェアの電力であり、第１アップリンクチャネルの要求電力が５０シェアの電力であり、第２アップリンクチャネルの要求電力が７０シェアの電力であり、第３アップリンクチャネルの要求電力が３０シェアの電力である。
【００９５】
チャネル優先度は、第１アップリンクチャネルのチャネル優先度＞第２アップリンクチャネルのチャネル優先度＝第３アップリンクチャネルのチャネル優先度であると想定されている。端末デバイスは、第１アップリンクチャネルのために、送信電力を５０シェアに優先的に設定し、１００−５０＝５０シェアの電力が残る。次に端末デバイスは、第２アップリンクチャネルおよび第３アップリンクチャネルに送信電力を設定する。第２アップリンクチャネルおよび第３アップリンクチャネルは、同一のチャネル優先度を有するので、Ａ＊（第２アップリンクチャネルの要求電力＋第３アップリンクチャネルの要求電力）＝５０であり、それは、Ａ＝０．５である計算を通じて取得できる。したがって、端末デバイスは、第２アップリンクチャネルのために、電力を０．５＊７０＝３５シェアに設定し、第３アップリンクチャネルのために、電力を０．５＊３０＝１５シェアに設定する。
【００９６】
ＰＲＡＣＨ、および、別の種類のアップリンクチャネル（例えば、ＰＵＳＣＨおよび／またはＰＵＣＣＨ）が同一のサブフレームにおいて送信される必要がある場合、ＬＴＥシステムおよびＬＴＥ−Ａシステム規格における仕様は、具体的には以下の通りである。
【００９７】
（１）図２は電力設定方法の概略図である。図２に示されるように、ＰＲＡＣＨの要求電力＋別の種類のアップリンクチャネルの要求電力が、端末デバイスの最大許容送信電力を超えない場合、端末デバイスは、ＰＲＡＣＨの要求電力を、ＰＲＡＣＨの送信電力として使用することによって、ＰＲＡＣＨを送信し、別の種類のアップリンクチャネルの要求電力を別の種類のアップリンクチャネルの送信電力として使用することによって、別の種類のアップリンクチャネルを送信する。
【００９８】
（２）図３は電力設定方法の概略図である。図３に示されるように、ＰＲＡＣＨの要求電力＋別の種類のアップリンクチャネルの要求電力が、端末デバイスの最大許容送信電力を超える場合、端末デバイスは、ＰＲＡＣＨの送信電力を優先的に保証する。ＰＲＡＣＨの送信電力が端末デバイスの最大許容送信電力から減算された後に、残りの電力がある場合、残りの電力は、別の種類のアップリンクチャネルのために設定される。別の種類のアップリンクチャネルの要求電力に対して、別の種類のアップリンクチャネルのために設定される送信電力は、圧縮後に取得される電力である。
【００９９】
本願の実施形態において、要求電力は、パラメータセットに基づく計算を通じて端末デバイスによって取得され、端末デバイスの最大許容送信電力、または、端末デバイスの現在の残りの利用可能な送信電力が考慮されないときにチャネルを送信するために使用される電力であると理解するべきであり、ここで、パラメータセットは、以下のパラメータ、すなわち、経路損失値、チャネルの最初に構成された送信電力値、電力制御調整ステータス変数、ビーム（ｂｅａｍ）パラメータ、および、チャネル伝送フォーマットのうち少なくとも１つを含む。送信電力は、チャネルを送信するために端末デバイスによって使用される実際の電力である、または、電力調整後にチャネルを送信するために端末デバイスによって使用される電力であり得る。
【０１００】
５Ｇモバイル通信技術のＮＲシステムには複数のサービスタイプがあり、異なるサービスタイプは異なるサービス要件に対応する。例えば、ＵＲＬＬＣサービス、または同様のものは、短いレイテンシ、および、高い信頼性を要求する。ＮＲシステムがＬＴＥシステムおよびＬＴＥ−Ａシステムの以下のプロトコルになお従う場合、ＵＲＬＬＣサービスのチャネルを伝送することに失敗し、端末デバイスの電力設定は不適切であり、重要なサービスの伝送品質が影響を受ける。
【０１０１】
上述の問題を解決するべく、本願の実施形態は、アップリンク伝送方法を提供する。図４は、本願の実施形態に係るアップリンク伝送方法４００の概略フローチャートである。アップリンク伝送方法４００は、端末デバイスによって実行され、以下の段階を含む。
【０１０２】
Ｓ４１０．端末デバイスは、第１アップリンクチャネルの第１送信電力を、第１アップリンクチャネルのチャネル優先度、および、第１物理ランダムアクセスチャネルＰＲＡＣＨのチャネル優先度に基づいて設定し、第１アップリンクチャネルは、物理アップリンク共有チャネルＰＵＳＣＨおよび物理アップリンク制御チャネルＰＵＣＣＨのうち少なくとも１つを含み、第１アップリンクチャネルが位置する第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しく、第１送信電力は０より大きい。
【０１０３】
Ｓ４２０．端末デバイスは第１送信電力で第１アップリンクチャネルを送信する。
【０１０４】
第１アップリンクチャネルが位置する第１時間領域リソース、および、第１ＰＲＡＣＨが位置する第２時間領域リソースが重複することは、第１時間領域リソースおよび第２時間領域リソースが時間領域において部分的に、または、完全に重複することを意味することに注意すべきである。
【０１０５】
本願のこの実施形態におけるアップリンク伝送方法によれば、ＰＵＳＣＨの時間領域リソースおよび／またはＰＵＣＣＨの時間領域リソース、および、第１ＰＲＡＣＨの時間領域リソースが重複するとき、ＰＵＳＣＨのチャネル優先度および／またはＰＵＣＣＨのチャネル優先度は、第１ＰＲＡＣＨのチャネル優先度より高く、またはそれに等しく設定され、端末デバイスは、ＰＵＳＣＨおよび／またはＰＵＣＣＨのための第１送信電力を、チャネル優先度に基づいて設定し、その結果、既存の解決手段と比較して、送信電力は、ＰＵＳＣＨおよび／またはＰＵＣＣＨのために、より優先的に設定でき、電力設定は、ＰＵＳＣＨおよび／またはＰＵＣＣＨに対して、より適切に、より好適になり、それにより、サービス伝送品質が改善する。
【０１０６】
本願のこの実施形態において、第１アップリンクチャネルは、１または複数のアップリンクチャネルを含み得て、第１アップリンクチャネルが位置する時間領域リソースの長さは、同一でも、異なってもよいことを理解すべきである。例えば、第１アップリンクチャネルは、１シンボルのアップリンクチャネルを含み得る、または、２シンボルのアップリンクチャネルを含み得る、または、７シンボルのアップリンクチャネルを含み得る、または、１４シンボルのアップリンクチャネルを含み得る。第１ＰＲＡＣＨは、１または複数のＰＲＡＣＨを含み得て、第１ＰＲＡＣＨは、同一のシステムでも、または、異なるシステム、例えば、ＮＲ  ＰＲＡＣＨおよび／またはＬＴＥ  ＰＲＡＣＨでもよい。
【０１０７】
本願の実施形態において、ＰＵＳＣＨは、従来のＰＵＳＣＨであり得る、または、ショート物理アップリンク共有チャネル（ｓｈｏｒｔ  ＰＵＳＣＨ、ｓＰＵＳＣＨ）であり得て、ｓＰＵＳＣＨが位置する時間領域リソースの長さは、１シンボルから１スロットであることを更に理解すべきである。
【０１０８】
本願の実施形態において、ＰＵＣＣＨは、従来のＰＵＣＣＨであり得る、または、ショート物理アップリンク制御チャネル（ｓｈｏｒｔ  ＰＵＣＣＨ、ｓＰＵＣＣＨ）であり得て、ｓＰＵＣＣＨが位置する時間領域リソースの長さは、１シンボルから１スロットであることを更に理解すべきである。
【０１０９】
図５および図６はそれぞれ、本願のこの実施形態におけるアップリンク伝送方法の概略図である。本願のこの実施形態において、図５に示されるように、第１アップリンクチャネルのチャネル優先度が第１ＰＲＡＣＨのチャネル優先度に等しいとき、第１アップリンクチャネルの要求電力と、第１ＰＲＡＣＨの要求電力との和が、第１の利用可能な電力値より低い、またはそれに等しい場合、端末デバイスは、第１アップリンクチャネルの要求電力を、第１アップリンクチャネルの第１送信電力として使用し、第１ＰＲＡＣＨの要求電力を、第１ＰＲＡＣＨの第２送信電力として使用し、図６に示されるように、第１アップリンクチャネルの要求電力と、第１ＰＲＡＣＨの要求電力との和が第１の利用可能な電力値より大きい場合、端末デバイスは、第１アップリンクチャネルの要求電力、および、第１ＰＲＡＣＨの要求電力を同一の比率で圧縮し、第１アップリンクチャネルの圧縮された要求電力、および、第１ＰＲＡＣＨの圧縮された要求電力を、それぞれ、第１送信電力、および、第２送信電力として使用する。
【０１１０】
図７および図８はそれぞれ、本願のこの実施形態におけるアップリンク伝送方法の概略図である。本願のこの実施形態において、第１アップリンクチャネルのチャネル優先度が、第１ＰＲＡＣＨのチャネル優先度より高いとき、端末デバイスは、第１アップリンクチャネルのために、第１の利用可能な電力値から、第１送信電力を優先的に設定する。第１アップリンクチャネルの要求電力と、第１ＰＲＡＣＨの要求電力との和が、第１の利用可能な電力値より低い、またはそれに等しい場合、端末デバイスは、第１アップリンクチャネルの要求電力を、第１アップリンクチャネルの第１送信電力として使用し、第１ＰＲＡＣＨの要求電力を、第１ＰＲＡＣＨの第２送信電力として使用する。第１アップリンクチャネルの要求電力と、第１ＰＲＡＣＨの要求電力との和が、第１の利用可能な電力値より大きい場合、図７に示されるように、端末デバイスが第１アップリンクチャネルのために第１送信電力を設定した後に、第１の利用可能な電力値の電力が残っている場合、端末デバイスは、第２送信電力を第１ＰＲＡＣＨのために設定し、第２送信電力は０より大きい。第１の利用可能な電力値の電力が残っているが、電力が第１ＰＲＡＣＨの要求電力未満である場合、端末デバイスは、代替的に、第１ＰＲＡＣＨの送信を諦め得ることを理解されたい。図８に示されるように、第１の利用可能な電力値の電力が残っていない場合、端末デバイスは、第１ＰＲＡＣＨの送信を諦める、または、第２送信電力を０に設定する。
【０１１１】
本願の実施形態において、第１の利用可能な電力値は、少なくとも第１アップリンクチャネルのために端末デバイスによって設定できる送信電力であり得ることが理解されるべきである。電力が第１アップリンクチャネルのために設定された後に電力が残っている場合、第１の利用可能な電力値は、第１アップリンクチャネルおよび第１ＰＲＡＣＨのために設定できる送信電力であり得る。第１の利用可能な電力値は、チャネルの時間領域リソースの重複するステータスに基づいて、端末デバイスによって動的に決定され得る、または、ネットワークデバイスによって送信されたインジケーション情報または上位層シグナリングメッセージに基づいて端末デバイスによって決定され得る、または、予め設定された閾値であり得る。これは、本願のこの実施形態において限定はされない。
【０１１２】
本願のこの実施形態において、第１アップリンクチャネルが位置する第１時間領域リソース、および、第１ＰＲＡＣＨが位置する第２時間領域リソースが重複することは、第１時間領域リソースおよび第２時間領域リソースが完全に、または部分的に重複することを意味すると理解すべきである。第１時間領域リソースの長さ、および、第２時間領域リソースの長さは、同一でも、または、異なってもよいことを理解されたい。
【０１１３】
端末デバイスが、重複する時間領域リソースで、第１アップリンクチャネル、および、第１ＰＲＡＣＨのみを送信する必要があり、いずれかの他のチャネルを送信する必要がないとき、第１の利用可能な電力値は、端末デバイスの最大許容送信電力であり、第１アップリンクチャネルおよび第１ＰＲＡＣＨに加えて、端末デバイスが更に、重複する時間領域リソースで別のチャネルを送信する必要があるとき、第１の利用可能な電力値は、端末デバイスの最大許容送信電力より低い、またはそれに等しいことがあり得ることを更に理解すべきである。
【０１１４】
したがって、本願で着目するケースは、以下の通りである。アップリンク伝送方法は、端末デバイスが、第１ＰＲＡＣＨの第２送信電力を、第１アップリンクチャネルのチャネル優先度、および、第１ＰＲＡＣＨのチャネル優先度に基づいて設定する段階であって、第１送信電力と第２送信電力との和が端末デバイスの最大許容送信電力より低い、またはそれに等しく、第２送信電力が０より大きい、段階と、端末デバイスが、第２送信電力で第１ＰＲＡＣＨを送信する段階とを更に備える。
【０１１５】
本願で着目する別のケースは以下の通りである。第１アップリンクチャネルの要求電力と第１ＰＲＡＣＨの要求電力との和が第１の利用可能な電力値より大きいとき、第１アップリンクチャネルのチャネル優先度は第１ＰＲＡＣＨのチャネル優先度より高い、またはそれに等しいので、第２送信電力は、第１ＰＲＡＣＨの要求電力未満である。
【０１１６】
本願のこの実施形態において、第１アップリンクチャネルの要求電力と、第１ＰＲＡＣＨの要求電力との和が、第１の利用可能な電力値より大きいとき、第１送信電力と第２送信電力との和は第１の利用可能な電力値より低い、またはそれに等しい。例えば、第１アップリンクチャネルが位置する第１時間領域リソース、第１ＰＲＡＣＨが位置する第２時間領域リソース、および、高いチャネル優先度を有するＰＲＡＣＨが位置する時間領域リソースが重複するとき、この場合のチャネル優先度は、高いチャネル優先度を有するＰＲＡＣＨのチャネル優先度＞第１アップリンクチャネルのチャネル優先度≧第１ＰＲＡＣＨのチャネル優先度である。この場合、端末デバイスの利用可能な送信電力は第１の利用可能な電力値であり、第１送信電力と第２送信電力との和は、第１の利用可能な電力値未満である。例えば、第１アップリンクチャネルが位置する時間領域リソース、第１ＰＲＡＣＨが位置する時間領域リソース、および、高いチャネル優先度を有するＰＲＡＣＨが位置する時間領域リソースが重複するとき、チャネル優先度は、高いチャネル優先度を有するＰＲＡＣＨのチャネル優先度＞第１アップリンクチャネルのチャネル優先度≧第１ＰＲＡＣＨのチャネル優先度である。この場合、端末デバイスの利用可能な送信電力は、第１の利用可能な電力値＋高いチャネル優先度を有するＰＲＡＣＨの要求電力値であり、端末デバイスは、第１ＰＲＡＣＨを破棄するか、または、第１ＰＲＡＣＨを圧縮することを選択し得る。第１ＰＲＡＣＨが破棄される場合、現在の伝送において、第２送信電力は０であり、第１送信電力と第２送信電力との和は、第１の利用可能な電力値より低い、またはそれに等しいことがあり得る。または、第１ＰＲＡＣＨが圧縮される場合、現在の伝送における第１送信電力と第２送信電力との和は、第１の利用可能な電力値に等しい。第１アップリンクチャネルが位置する第１時間領域リソース、第１ＰＲＡＣＨが位置する第２時間領域リソース、および、高いチャネル優先度を有するＰＲＡＣＨが位置する時間領域リソースが重複することは、第１時間領域リソース、第２時間領域リソース、および、高いチャネル優先度を有するＰＲＡＣＨが位置する時間領域リソースが、時間領域において、部分的に、または、完全に重複すること、または、第１時間領域リソース、第２時間領域リソース、および、高いチャネル優先度を有するＰＲＡＣＨが位置する時間領域リソースが、時間領域において、交差を有することを意味することに注意すべきである。
【０１１７】
本願のこの実施形態において、第１アップリンクチャネルの要求電力と、第１ＰＲＡＣＨの要求電力との和が、第１の利用可能な電力値より大きいとき、第１送信電力と第２送信電力との和は第１の利用可能な電力値より低い、またはそれに等しい。例えば、第１アップリンクチャネルがＰＵＳＣＨおよびＰＵＣＣＨを含むとき、ＰＵＳＣＨは第１時間領域リソース＃１に位置し、ＰＵＣＣＨは第１時間領域リソース＃２に位置し、第１時間領域リソースは、第１時間領域リソース＃１および第１時間領域リソース＃２を含み、第１時間領域リソース＃１および第１時間領域リソース＃２は同一でも、または、異なってもよい。ＰＵＳＣＨが位置する第１時間領域リソース＃１、ＰＵＣＣＨが位置する第１時間領域リソース＃２、および、第１ＰＲＡＣＨが位置する第２時間領域リソースが重複するとき、この場合のチャネル優先度は、ＰＵＳＣＨのチャネル優先度＝ＰＵＣＣＨのチャネル優先度≧第１ＰＲＡＣＨのチャネル優先度であり得る、または、ＰＵＣＣＨのチャネル優先度＞ＰＵＳＣＨのチャネル優先度≧第１ＰＲＡＣＨのチャネル優先度であり得る、または、ＰＵＳＣＨのチャネル優先度＞ＰＵＣＣＨのチャネル優先度≧第１ＰＲＡＣＨのチャネル優先度であり得る。この場合、端末デバイスの利用可能な送信電力は第１の利用可能な電力値であり、ＰＵＣＣＨの送信電力とＰＵＳＣＨの送信電力との和は、第１送信電力であり、第１送信電力と第２送信電力との和は第１の利用可能な電力値未満である。例えば、ＰＵＳＣＨが位置する時間領域リソース、ＰＵＣＣＨが位置する時間領域リソース、および、第１ＰＲＡＣＨが位置する時間領域リソースが重複するとき、チャネル優先度は、ＰＵＣＣＨのチャネル優先度＞ＰＵＳＣＨのチャネル優先度≧第１ＰＲＡＣＨのチャネル優先度であり、この場合、端末デバイスの利用可能な送信電力は第１の利用可能な電力値であると想定する。第１アップリンクチャネルの要求電力が、第１の利用可能な電力値より高い、またはそれに等しいとき、端末デバイスはまず、ＰＵＣＣＨのために送信電力を設定し、ＰＵＣＣＨの送信電力が第１の利用可能な電力値から減算された後に、電力が残っている場合、ＰＵＳＣＨのために送信電力を設定する。または、ＰＵＣＣＨの送信電力が第１の利用可能な電力値から減算された後に電力が残っていない場合、ＰＵＳＣＨのために送信電力を０に設定する、または、ＰＵＳＣＨを破棄する。更に、端末デバイスは第１ＰＲＡＣＨを破棄する。第１アップリンクチャネルの要求電力が第１の利用可能な電力値未満であるとき、端末デバイスは、第１ＰＲＡＣＨを破棄する、または、第１ＰＲＡＣＨを圧縮することを選択し得る。第１ＰＲＡＣＨが破棄される場合、現在の伝送において、第２送信電力は０であり、第１送信電力と第２送信電力との和は、第１の利用可能な電力値より低い、またはそれに等しいことがあり得る。または、第１ＰＲＡＣＨが圧縮される場合、現在の伝送における第１送信電力と第２送信電力との和は、第１の利用可能な電力値に等しい。更に、ＰＵＳＣＨが位置する第１時間領域リソース＃１、ＰＵＣＣＨが位置する第１時間領域リソース＃２、および、第１ＰＲＡＣＨが位置する第２時間領域リソースが重複することは、第１時間領域リソース＃１、第１時間領域リソース＃２、および、第２時間領域リソースが、時間領域において、部分的に、または、完全に重複すること、または、第１時間領域リソース＃１、第１時間領域リソース＃２、および第２時間領域リソースが、時間領域において交差を有することを意味することに注意すべきである。
【０１１８】
本願のこの実施形態におけるアップリンク伝送方法によれば、「特定条件」において、（ＰＵＣＣＨおよび／またはＰＵＳＣＨを含む）第１アップリンクチャネルのチャネル優先度は、第１ＰＲＡＣＨのチャネル優先度より高い、またはそれに等しく、「特定条件」以外の条件において、（ＰＵＣＣＨおよび／またはＰＵＳＣＨを含む）第１アップリンクチャネルのチャネル優先度は、第１ＰＲＡＣＨのチャネル優先度より低いことを理解すべきである。説明しやすくするために、第１アップリンクチャネルに含まれるＰＵＣＣＨは、簡潔に、ＰＵＣＣＨと称され、第１アップリンクチャネルに含まれるＰＵＳＣＨは、簡潔に、ＰＵＳＣＨと称され、第１ＰＲＡＣＨは簡潔に、以下でＰＲＡＣＨと称される。
【０１１９】
任意選択で、第１アップリンクチャネルは、以下のＰＵＳＣＨ、すなわち、グラントフリーＰＵＳＣＨ伝送、再伝送ＰＵＳＣＨ、第１データ伝送リソースを要求するために端末デバイスによって使用される第１スケジューリング要求に対応するＰＵＳＣＨ、第１論理チャネルに対応するＰＵＳＣＨ、第１トランスポートブロックサイズのトランスポートブロックを搬送するＰＵＳＣＨ、第１符号レートのトランスポートブロックを搬送するＰＵＳＣＨ、第１変調方式のトランスポートブロックを搬送するＰＵＳＣＨ、および、第１時間閾値より低い、またはそれに等しい第１レイテンシ要件についての情報を搬送するＰＵＳＣＨのうち少なくとも１つを含む。第１アップリンクチャネルが上述のＰＵＳＣＨの少なくとも１つであるとき、第１アップリンクチャネルのチャネル優先度は、第１ＰＲＡＣＨのチャネル優先度より高い、またはそれに等しい。
【０１２０】
ＰＵＳＣＨがグラントフリーＰＵＳＣＨ伝送であるとき、（ＰＵＳＣＨを含む）第１アップリンクチャネルのチャネル優先度は、第１ＰＲＡＣＨのチャネル優先度より高い、またはそれに等しい。具体的には、既存の解決手段におけるＰＵＳＣＨは、スケジューリングに基づくＰＵＳＣＨ伝送であり、一方、グラントフリーＰＵＳＣＨ伝送は、５Ｇモバイル通信技術の規格において使用される。グラントフリー伝送のリソースは、ネットワークデバイスによって予め構成され、グラントフリーＰＵＳＣＨ伝送は、ＵＲＬＬＣサービスなど、高い信頼性および低いレイテンシを要求するサービスを伝送するために使用され得る、または、別の種類のサービスに使用され得る。ＰＵＳＣＨは、重要なサービスを伝送するために使用される可能性が高いので、本願のこの実施形態において、ＰＵＳＣＨがグラントフリーＰＵＳＣＨ伝送であるとき、ＰＵＳＣＨは、高いチャネル優先度を有し、グラントフリーＰＵＳＣＨ伝送のチャネル優先度は、ＰＲＡＣＨのチャネル優先度より高い、またはそれに等しいことが予め規定され得る。
【０１２１】
ＰＵＳＣＨが再伝送されたＰＵＳＣＨであるとき、ＰＵＳＣＨのチャネル優先度は、ＰＲＡＣＨのチャネル優先度より高い、またはそれに等しい。通常、通信システムにおいて、データまたはトランスポートブロックの第１の伝送は、初回伝送と称され、データまたはトランスポートブロックの第２または以降の伝送は、再伝送と称され、また、繰り返し伝送（ｒｅｐｅｔｉｔｉｏｎ）または再伝送と称される。
【０１２２】
本願のこの実施形態は、ＰＵＳＣＨの初回伝送がグラントフリー伝送であり、ＰＵＳＣＨの再伝送がグラントフリー伝送でもある場合に適用可能である。複数回の再伝送により、正確に情報を伝送する可能性を増加させることができるので、グラントフリー伝送は、いくつかのサービス（例えば、ＵＲＬＬＣサービス）の高い信頼性要件を満たすために、繰り返し送信をサポートする。ＰＵＳＣＨが再伝送ＰＵＳＣＨであるとき、ＰＵＳＣＨは、重要なサービスを伝送するのに使用される可能性が高く、再伝送ＰＵＳＣＨのチャネル優先度は、ＰＲＡＣＨのチャネル優先度より高い、またはそれに等しい。
【０１２３】
本願のこの実施形態は、ＰＵＳＣＨの初回伝送がグラントフリー伝送であり、ＰＵＳＣＨの再伝送がスケジューリングに基づく伝送である場合にも適用可能である。本願のこの実施形態は、ＰＵＳＣＨの初回伝送がスケジューリングに基づく伝送であり、ＰＵＳＣＨの再伝送がグラントフリー伝送である場合にも適用可能である。本願のこの実施形態は、ＰＵＳＣＨの初回伝送がスケジューリングに基づく伝送であり、ＰＵＳＣＨの再伝送がスケジューリングに基づく伝送でもある場合にも適用可能である。再伝送の特定の形態は、本願のこの実施形態に限定されるものではない。
【０１２４】
ＰＵＳＣＨが、第１スケジューリング要求に対応するＰＵＳＣＨであるとき、ＰＵＳＣＨのチャネル優先度は、ＰＲＡＣＨのチャネル優先度より高い、またはそれに等しい。第１スケジューリング要求（Ｓｃｈｅｄｕｌｉｎｇ  Ｒｅｑｕｅｓｔ、ＳＲ）は、第１データ伝送リソースを要求するために端末デバイスによって使用される。最初に第１スケジューリング要求を決定した後に、端末デバイスは、第１スケジューリング要求に対応するＰＵＳＣＨを決定し、ＰＵＳＣＨは、グラントフリーＰＵＳＣＨ伝送であり得る、または、スケジューリングに基づいて伝送されるＰＵＳＣＨであり得る。第１スケジューリング要求は、予め規定される、または、上位層シグナリングにおいて示されるスケジューリング要求であり得る。第１スケジューリング要求は、同様に、第１データ伝送リソースに対応する時間領域リソース、第１データ伝送リソースに対応する周波数領域リソース、および、第１データ伝送リソースに対応する優先度のうち、少なくとも１つを要求し得る。第１データ伝送リソースは、論理チャネル、伝送チャネル、または物理チャネルであり得る。
【０１２５】
第１データ伝送リソースに対応する時間領域リソースは、時間領域リソースの特定の長さを有し得る、または、特定のＴＴＩ長さを有し得る、または、特定の伝送時間長を有し得ることを理解すべきである。本願のこの実施形態において、時間領域リソースの単位は、シンボル、マイクロ秒、ミリ秒、秒、スロットまたはサブフレームなどの任意の時間長単位を含み得る。例えば、時間領域リソースの長さは、１ｍｓ、２ｍｓ、３ｍｓ、０．１２５ｍｓ、０．５ｍｓ、０．３７５ｍｓ、０．２５ｍｓ、０．０６２５ｍｓ、１シンボル、２シンボル、３シンボル、４シンボル、５シンボル、６シンボル、７シンボル、１４シンボル、２１シンボル、または同様のものであり得る。時間領域リソースの長さは、時間領域リソースの最大長さ、または、時間領域リソースの最小長さであり得る。第１データ伝送リソースに対応する時間領域リソースの具体的な表現形態は、本願のこの実施形態に限定されるものではない。
【０１２６】
第１データ伝送リソースに対応する周波数領域リソースは、特定のサブキャリア間隔を有し得る、または、特定のｎｕｍｅｒｏｌｏｇｙを有し得ることを理解すべきである。本願のこの実施形態において、第１データ伝送リソースに対応する周波数領域リソースのサブキャリア間隔は、１５ｋＨｚ、３０ｋＨｚ、６０ｋＨｚ、１２０ｋＨｚ、または同様のものを含み得る。ここでのサブキャリア間隔は、最大サブキャリア間隔、または、最小サブキャリア間隔であり得る。第１データ伝送リソースに対応する周波数領域リソースの具体的な表現形態は、本願のこの実施形態に限定されるものではない。
【０１２７】
本願のこの実施形態における第１データ伝送リソースは、特定の論理チャネル、特定の物理チャネル、または特定の伝送チャネルであり得ることを理解すべきである。関連する通信規格における定義は、論理チャネル、物理チャネルまたは伝送チャネルに適用可能である。例えば、論理チャネルは、媒体アクセス制御（Ｍｅｄｉｕｍ  Ａｃｃｅｓｓ  Ｃｏｎｔｒｏｌ、ＭＡＣ）層でデータ伝送サービスを提供するために使用されるチャネルである。伝送チャネルは、異なる伝送フォーマットに基づいて定義されるチャネルであり、データ伝送サービスのアクセスは、伝送チャネルを使用して実装される。伝送チャネルは、ＭＡＣ層と物理層との間のインタフェースチャネルである。物理層では、チャネル符号化およびインターリービングなどの、要求された操作が、伝送チャネルを使用することによって実行される。伝送チャネルと論理チャネルとの間にはマッピング関係があることに注意すべきである。データ伝送サービスが生成された後に、データ伝送サービスはまず、論理チャネルにマッピングされ、次に、論理チャネルから伝送チャネルにマッピングされ、次に、データ送信のために、伝送チャネルから物理チャネルにマッピングされる。物理チャネルは、物理層のチャネルであり、インタフェースを通じて、データおよび／または制御情報を伝送するために使用されるチャネルである。
【０１２８】
本願のこの実施形態において、端末デバイスは、第１スケジューリング要求をネットワークデバイスへ送信し、ネットワークデバイスは、アップリンクグラント情報を端末デバイスへ送信し、アップリンクグラント情報は、ＰＵＳＣＨを送信するよう端末デバイスに命令するために使用され、端末デバイスは、ネットワークデバイスによって送信されたアップリンクグラント情報に基づいてＰＵＳＣＨを送信する。ＰＵＳＣＨは、第１スケジューリング要求に対応するＰＵＳＣＨである。システムまたはプロトコルにおいて、予め規定されている、または、上位層シグナリングを使用することによって構成されるスケジューリング要求の特定の種類は、重要なサービスのスケジューリング要求であることが、予め規定され得て、その結果、ネットワークデバイスは、受信されたスケジューリング要求が特定のスケジューリング要求であるかどうかを決定し、受信されたスケジューリング要求が重要なサービスのスケジューリング要求であるかどうかを決定する。端末デバイスによって送信された第１スケジューリング要求が、スケジューリング要求の特定の種類であるとき、第１スケジューリング要求に対応するＰＵＳＣＨは、重要なサービスを伝送するために使用されるとみなされ、第１スケジューリング要求に対応するＰＵＳＣＨのチャネル優先度は、ＰＲＡＣＨのチャネル優先度より高い、またはそれに等しい。
【０１２９】
ＰＵＳＣＨが、第１論理チャネル（すなわち、特定の論理チャネル）に対応するＰＵＳＣＨであるとき、ＰＵＳＣＨのチャネル優先度は、ＰＲＡＣＨのチャネル優先度より高い、またはそれに等しい。具体的には、第１論理チャネルは、予め規定される、または、上位層シグナリングにおいて構成される特定の論理チャネルであり得る。論理チャネルに対応するＰＵＳＣＨは、重要なサービスを搬送するために使用され、第１論理チャネルに対応するＰＵＳＣＨのチャネル優先度は、ＰＲＡＣＨのチャネル優先度より高い、またはそれに等しいことが、システムまたはプロトコルにおいて予め規定され得る。
【０１３０】
（ＰＵＳＣＨを含む）第１アップリンクチャネルが、第１トランスポートブロックサイズ（すなわち、特定のサイズ、または、特定のサイズ範囲）のトランスポートブロックを搬送するＰＵＳＣＨであるとき、ＰＵＳＣＨのチャネル優先度は、ＰＲＡＣＨのチャネル優先度より高い、またはそれに等しい。ここでの第１トランスポートブロックサイズは、特定の値であり得る、または、例えば、Ｙビット（Ｙ＞０）より大きい、または、小さい範囲であり得て、または、他の例において、Ｚビットより小さい、またはそれに等しいことがあり得る（Ｚ＞０）ことを理解されたい。言い換えれば、本願のこの実施形態における第１アップリンクチャネルは、第１トランスポートブロックサイズのトランスポートブロックを搬送するＰＵＳＣＨを含み、第１トランスポートブロックサイズはＡビット（またはＡバイト）であり、Ａは正の整数である。または、本願のこの実施形態における第１アップリンクチャネルは、第１トランスポートブロックサイズのトランスポートブロックを搬送するＰＵＳＣＨを含み、第１トランスポートブロックサイズの最小値はＢビット（またはＢバイト）であり、Ｂは正の整数である。または、本願のこの実施形態における第１アップリンクチャネルは、第１トランスポートブロックサイズのトランスポートブロックを搬送するＰＵＳＣＨを含み、第１トランスポートブロックサイズの最大値はＣビット（またはＣバイト）であり、Ｃは正の整数である。または、本願のこの実施形態における第１アップリンクチャネルは、第１トランスポートブロックサイズのトランスポートブロックを搬送するＰＵＳＣＨを含み、第１トランスポートブロックサイズの範囲は、Ｐ〜Ｑビット（または、Ｐ〜Ｑバイト）であり、ＰおよびＱは正の整数である。具体例において、ＰＵＳＣＨで搬送されるトランスポートブロックのトランスポートブロックサイズが２５６ビット（代替的に、別のビット数Ｘであってもよく、Ｘ＞０）であるとき、このトランスポートブロックサイズのＰＵＳＣＨは、重要なサービスを搬送するために使用されるとみなされ、ＰＵＳＣＨのチャネル優先度は、ＰＲＡＣＨのチャネル優先度より高い、またはそれに等しい。
【０１３１】
ＰＵＳＣＨが、第１符号レート（すなわち、特定の符合レート、または、特定の符合レート範囲）のトランスポートブロックを搬送するＰＵＳＣＨであるとき、ＰＵＳＣＨのチャネル優先度は、ＰＲＡＣＨのチャネル優先度より高い、またはそれに等しい。ここでの第１符号レートは、特定の値であり得て、または、例えば、Ｄより高い、またはそれに等しい（Ｄ＞０）範囲であり得て、または、他の例では、Ｅより低い、またはそれに等しいことがあり得る（Ｅ＞０）ことを理解されたい。言い換えれば、本願のこの実施形態における第１アップリンクチャネルは、第１符号レートのトランスポートブロックを搬送するＰＵＳＣＨを含み、第１符号レートはＦであり、Ｆは正数である。または、本願のこの実施形態における第１アップリンクチャネルは、第１符号レートのトランスポートブロックを搬送するＰＵＳＣＨを含み、第１符号レートの最小値はＧであり、Ｇは正数である。または、本願のこの実施形態における第１アップリンクチャネルは、第１符号レートのトランスポートブロックを搬送するＰＵＳＣＨを含み、第１符号レートの最大値はＨであり、Ｈは正数である。または、本願のこの実施形態における第１アップリンクチャネルは、第１符号レートのトランスポートブロックを搬送するＰＵＳＣＨを含み、第１符号レートの範囲は、Ｉ〜Ｊであり、ＩおよびＪは正数である。具体例において、ＰＵＳＣＨで搬送されるトランスポートブロックの符合レートが１／６（代替的に、別の符合レートでもよい）であるとき、この符合レートのＰＵＳＣＨは、重要なサービスを搬送するために使用されるとみなされ、ＰＵＳＣＨのチャネル優先度は、ＰＲＡＣＨのチャネル優先度より高い、またはそれに等しい。
【０１３２】
ＰＵＳＣＨが、第１変調方式（すなわち、特定の変調方式、または、特定の変調方式範囲）のトランスポートブロックを搬送するＰＵＳＣＨであるとき、ＰＵＳＣＨのチャネル優先度は、ＰＲＡＣＨのチャネル優先度より高い、またはそれに等しい。ここでの第１変調方式は、特定の変調方式であり得る、または、複数の変調方式であり得ることを理解されたい。具体的には、例えば、ＰＵＳＣＨで搬送されるトランスポートブロックの変調方式が四位相偏移変調（Ｑｕａｄｒａｔｕｒｅ  Ｐｈａｓｅ  Ｓｈｉｆｔ  Ｋｅｙｉｎｇ、ＱＰＳＫ）であるとき（または、別の変調方式、例えば、１６直角位相振幅変調（Ｑｕａｄｒａｔｕｒｅ  Ａｍｐｌｉｔｕｄｅ  Ｍｏｄｕｌａｔｉｏｎ、ＱＡＭ）、６４ＱＡＭ、または２５６ＱＡＭでもよい）、この変調方式のＰＵＳＣＨは、重要なサービスを搬送するために使用されるとみなされ、ＰＵＳＣＨのチャネル優先度は、ＰＲＡＣＨのチャネル優先度より高い、またはそれに等しい。
【０１３３】
ＰＵＳＣＨで搬送されるトランスポートブロックが、第１トランスポートブロックサイズ、第１符号レート、および、第１変調方式のうち、任意の１または複数を満たすとき、ＰＵＳＣＨのチャネル優先度は、ＰＲＡＣＨのチャネル優先度より高い、またはそれに等しいことが理解されるべきである。具体例において、ＰＵＳＣＨで搬送されるトランスポートブロックのトランスポートブロックサイズが２５６ビットであるとき、符合レートは１／６であり、変調方式はＱＰＳＫであり、ＰＵＳＣＨのチャネル優先度は、ＰＲＡＣＨのチャネル優先度より高い、またはそれに等しい。
【０１３４】
ＰＵＳＣＨで搬送される情報のレイテンシ要件が第１レイテンシ要件であり、かつ、第１レイテンシ要件が、第１時間閾値より低い、またはそれに等しいとき、ＰＵＳＣＨのチャネル優先度は、ＰＲＡＣＨのチャネル優先度より高い、またはそれに等しい。具体的には、第１時間閾値は、予め規定され得る、または、システムまたはプロトコルにおいて上位層シグナリングを使用することによって構成され得る。ＰＵＳＣＨの第１レイテンシ要件は、第１時間閾値と比較され、第１レイテンシ要件が第１時間閾値より低い、またはそれに等しい場合、ＰＵＳＣＨで搬送される情報は、緊急サービスについての情報であるとみなされ得て、ＰＵＳＣＨのチャネル優先度はＰＲＡＣＨのチャネル優先度より高い、またはそれに等しい。または、第１レイテンシ要件が第１時間閾値より大きい場合、ＰＵＳＣＨで搬送される情報は、至急でないサービスについての情報であるとみなされ得て、ＰＵＳＣＨのチャネル優先度は、ＰＲＡＣＨのチャネル優先度より低い。
【０１３５】
図９は、ＵＲＬＬＣサービスの伝送の概略図である。例えば、現在の５Ｇモバイル通信技術におけるＵＲＬＬＣサービスは、伝送正確度が１ｍｓあたり１〜１０―５であることを要求するサービスタイプである。したがって、時間のみの観点から、ＰＵＳＣＨ伝送の最大時間は１ｍｓである。ＰＵＳＣＨが伝送された後は毎回、より短い時間が、ＵＲＬＬＣサービスのために残っていることが分かり得る。例えば、図９に示されるように、各ＰＵＳＣＨ伝送の時間が０．２ｍｓであり、ＰＵＳＣＨは、中断なしで３回連続で伝送されると想定すると、第１ＰＵＳＣＨの伝送後に残っているレイテンシ要件は、０．８ｍｓであり、第２ＰＵＳＣＨの伝送後に残っているレイテンシ要件は０．６ｍｓであり、第３ＰＵＳＣＨの伝送後に残っているレイテンシ要件は０．４ｍｓである。第１時間閾値が０．５ｍｓに設定される場合、第１ＰＵＳＣＨのチャネル優先度、および、第２ＰＵＳＣＨのチャネル優先度は、ＰＲＡＣＨのチャネル優先度より低く、第３ＰＵＳＣＨのチャネル優先度は、ＰＲＡＣＨのチャネル優先度より高い、またはそれに等しい。
【０１３６】
任意選択で、第１アップリンクチャネルは、ＰＵＣＣＨおよび／またはＰＵＳＣＨを含み、ＰＵＣＣＨおよび／またはＰＵＳＣＨは、以下のアップリンク制御情報、すなわち、肯定応答ＡＣＫ情報、第２時間閾値より低い、またはそれに等しい第２レイテンシ要件に対応する情報、および、第２データ伝送リソースを要求するために端末デバイスによって使用される第２スケジューリング要求のうち少なくとも１つを含む。
【０１３７】
ＰＵＣＣＨが、予め規定されたアップリンク制御情報（Ｕｐｌｉｎｋ  Ｃｏｎｔｒｏｌ  Ｉｎｆｏｒｍａｔｉｏｎ、ＵＣＩ）を搬送するＰＵＣＣＨであるとき、ＰＵＣＣＨのチャネル優先度は、ＰＲＡＣＨのチャネル優先度より高い、またはそれに等しい。代替的に、ＰＵＳＣＨが、予め規定されたＵＣＩを搬送するＰＵＳＣＨであるとき、ＰＵＳＣＨのチャネル優先度は、ＰＲＡＣＨのチャネル優先度より高い、またはそれに等しい。
【０１３８】
任意選択で、アップリンク制御情報は、具体的には、ＡＣＫであり得る、例えば、アップリンク制御情報は、具体的には、ＰＤＳＣＨの第Ｍ回目の再伝送後のＨＡＲＱ（ＡＣＫ）であり得て、Ｍは予め設定された閾値より低い、またはそれに等しい。具体的には、例えば、ＰＤＳＣＨを使用することによって、ダウンリンクデータが複数回にわたって再伝送されているとき、再伝送に対応するアップリンク制御情報はＡＣＫであり、ネットワークデバイスがＡＣＫを受信する場合、ＰＤＳＣＨの複数回の再伝送は、予め終了し得る。このように、ダウンリンクシステムのリソース消費を低減でき、システム効率を改善できる。したがって、システムまたはプロトコルでは、ＡＣＫを搬送するＰＵＣＣＨは重要なＰＵＣＣＨであることが予め規定され得る。または、ＡＣＫを搬送するＰＵＳＣＨは重要なＰＵＳＣＨであることがシステムまたはプロトコルにおいて予め規定され得る。更に、再伝送の回数が比較的小さいとき、ＡＣＫを復調後、ネットワークデバイスは、予め再伝送を終了するための時間をなお有する。再伝送の回数が比較的大きい、または、再伝送の最大回数に近いとき、ＡＣＫを復調後、ネットワークデバイスには、処理のための時間が無い、または、再伝送が完了したので、予め再伝送を終了する必要はない。したがって、閾値Ｍが、上述の例において導入され、Ｍは０より高い、またはそれに等しい整数である。ＰＤＳＣＨの第０回目の再伝送後のＨＡＲＱ（ＡＣＫ）は、ＰＤＳＣＨの初回伝送後のＨＡＲＱ（ＡＣＫ）であることに注意すべきである。
【０１３９】
任意選択で、アップリンク制御情報は、具体的には、第２レイテンシ要件に対応する情報であり得て、第２レイテンシ要件は第２時間閾値より低い、またはそれに等しい。具体的には、第２時間閾値は、予め規定され得る、または、システムまたはプロトコルにおいて、上位層シグナリングを使用することによって構成され得る。ＰＤＳＣＨで搬送される情報に対応するアップリンク制御情報に対応する第２レイテンシ要件は、第２時間閾値と比較される。第２レイテンシ要件が第２時間閾値より低い、またはそれに等しい場合、ＰＤＳＣＨで搬送される情報は、緊急サービスについての情報であるとみなされ得て、ＰＤＳＣＨについての情報を搬送するＰＵＣＣＨのチャネル優先度は、ＰＲＡＣＨのチャネル優先度より高い、またはそれに等しい、または、ＰＤＳＣＨについての情報を搬送するＰＵＳＣＨのチャネル優先度は、ＰＲＡＣＨのチャネル優先度より高い、またはそれに等しい。または、第２レイテンシ要件が第２時間閾値より大きい場合、ＰＤＳＣＨで搬送される情報は、至急でないサービスについての情報であるとみなされ得て、ＰＤＳＣＨについての情報を搬送するＰＵＣＣＨのチャネル優先度は、ＰＲＡＣＨのチャネル優先度より低い、または、ＰＤＳＣＨについての情報を搬送するＰＵＳＣＨのチャネル優先度は、ＰＲＡＣＨのチャネル優先度より高い、またはそれに等しい。
【０１４０】
任意選択で、アップリンク制御情報は、具体的には、第２スケジューリング要求（すなわち、特定のスケジューリング要求）であり得て、第２スケジューリング要求は、第２データ伝送リソースを要求するために端末デバイスによって使用される。システムまたはプロトコルにおいて、予め規定されている、または、上位層シグナリングを使用することによって構成されるスケジューリング要求の特定の種類は、重要なサービスのスケジューリング要求であることが、予め規定され得て、その結果、ネットワークデバイスは、受信されたスケジューリング要求が特定のスケジューリング要求であるかどうかを決定し、受信されたスケジューリング要求が重要なサービスのスケジューリング要求であるかどうかを決定する。ＰＵＣＣＨを使用することによって端末デバイスによって送信された第２スケジューリング要求が、スケジューリング要求の特定の種類であるとき、第２スケジューリング要求を搬送するＰＵＣＣＨのチャネル優先度は、ＰＲＡＣＨのチャネル優先度より高い、またはそれに等しいとみなされる。
【０１４１】
任意選択で、第１ＰＲＡＣＨは、以下のＰＲＡＣＨ、すなわち、二次タイムアライメントグループｓＴＡＧのサービングセル上のＰＲＡＣＨ、および、第１フォーマットのＰＲＡＣＨのうち、少なくとも１つを含む。具体的には、ＰＲＡＣＨが、いくつかの特定のＰＲＡＣＨであるとき、（ＰＵＳＣＨおよび／またはＰＵＣＣＨを含む）第１アップリンクチャネルのチャネル優先度は、ＰＲＡＣＨのチャネル優先度より高い、またはそれに等しい。
【０１４２】
任意選択で、ＰＲＡＣＨが、二次タイムアライメントグループ（ｓｅｃｏｎｄａｒｙ  Ｔｉｍｅ  Ａｌｉｇｎｍｅｎｔ  Ｇｒｏｕｐ、ｓＴＡＧ）のサービングセル上のＰＲＡＣＨであるとき、第１アップリンクチャネルのチャネル優先度は、ＰＲＡＣＨのチャネル優先度より高い、またはそれに等しい。同期ずれ、または同様のものなどの要因に起因して、いくつかの場合、ＰＲＡＣＨは、ｓＴＡＧにおいて送信される必要があり、ＰＵＳＣＨまたはＰＵＣＣＨは、一次タイムアライメントグループ（ｐｒｉｍａｒｙ  Ｔｉｍｅ  Ａｌｉｇｎｍｅｎｔ  Ｇｒｏｕｐ、ｐＴＡＧ）、または、別のＴＡＧ上で送信される必要がある。既存の電力設定の解決手段において、ＰＲＡＣＨのチャネル優先度は高く、したがって、ＰＵＳＣＨの送信電力、および／または、ＰＵＣＣＨの送信電力は、非効率的であり得る。５Ｇモバイル通信技術において、ＰＵＳＣＨおよび／またはＰＵＣＣＨは、より多くの重要な情報を搬送する可能性が、より高い。５Ｇモバイル通信技術の電力設定の解決手段にまだ従っている場合、重要な情報の伝送は失敗し得る。したがって、本願のこの実施形態では、標準的なプロトコルまたはシステムにおいて、二次タイムアライメントグループｓＴＡＧのサービングセル上のＰＲＡＣＨの伝送が遅延し、第１アップリンクチャネルのチャネル優先度がＰＲＡＣＨのチャネル優先度より高い、またはそれに等しいことが規定され得る。
【０１４３】
任意選択で、ＰＲＡＣＨが第１フォーマットのＰＲＡＣＨであるとき、第１アップリンクチャネルのチャネル優先度は、ＰＲＡＣＨのチャネル優先度より高い、またはそれに等しい。具体的には、ＰＲＡＣＨのフォーマットは、フォーマット１、フォーマット２、フォーマット３、およびフォーマット４を含む。上述のフォーマットの特定の第１フォーマット（例えば、フォーマット１）のＰＲＡＣＨは至急でないことがシステムにおいて予め規定され得る。ＰＲＡＣＨのフォーマットが第１フォーマットであるとき、第１アップリンクチャネルのチャネル優先度は、ＰＲＡＣＨのチャネル優先度より高い、またはそれに等しい。
【０１４４】
任意選択で、第２時間領域リソースの長さが第２時間長である、および／または、第１ＰＲＡＣＨが位置する周波数領域リソースのサブキャリア間隔が第２サブキャリア間隔であるとき、第１アップリンクチャネルのチャネル優先度は、ＰＲＡＣＨのチャネル優先度より高い、またはそれに等しい。具体的には、以下は、予め規定され得る、または、プロトコルもしくはシステムにおいて、上位層シグナリングを使用することによって構成され得る。ＰＲＡＣＨに対応する第２時間領域リソースの長さが特定の時間長（例えば、第２時間長）であるとき、または、特定のＴＴＩを有する、および／または、ＰＲＡＣＨに対応する第２周波数領域リソースは、特定のｎｕｍｅｒｏｌｏｇｙを有する、すなわち、特定のサブキャリア間隔（例えば、第２サブキャリア間隔）を有するとき、第１アップリンクチャネルのチャネル優先度は、ＰＲＡＣＨのチャネル優先度より高い、またはそれに等しい。
【０１４５】
この実施形態において、第２時間長は、値または範囲であり得ることを理解すべきである。例えば、第２時間長は具体的には、２シンボルであり得る、または、７シンボルより小さい、またはそれに等しいことがあり得る、または、Ｓシンボルより大きい、またはそれに等しく、Ｔシンボルより小さい、またはそれに等しいことがあり得て、ＳおよびＴは、１より高い、またはそれに等しい正の整数である。ここでの時間長は、シンボル、スロット、ミニスロット、サブフレームまたはフレームであり得ることに注意すべきである。第２サブキャリア間隔は値または範囲であり得る。例えば、第２サブキャリア間隔は具体的には６０ｋＨｚであり得る、または、６０ｋＨｚより大きい、またはそれに等しいことが得る、または、３０ｋＨｚより大きい、またはそれに等しく、１２０ｋＨｚより小さい、またはそれに等しいことがあり得る。
【０１４６】
任意選択で、アップリンク伝送方法は、端末デバイスが第１の情報を受信する段階であって、第１の情報は、第１ＰＲＡＣＨを送信するよう端末デバイスに命令するために使用される、段階を更に備える。第１の情報が上位層シグナリングにおいて構成される、または、物理チャネルで搬送されるとき、第１アップリンクチャネルのチャネル優先度は、ＰＲＡＣＨのチャネル優先度より高い、またはそれに等しい。
【０１４７】
本願のこの実施形態において、第１の情報は、ＲＲＣシグナリングまたはＭＡＣシグナリングを使用することによって構成され得る。すなわち、ＰＲＡＣＨは、ＲＲＣパラメータまたはＭＡＣパラメータによってトリガされるＰＲＡＣＨである。第１の情報は代替的に、ＰＤＣＣＨで搬送され得る、すなわち、第１の情報は、ＰＤＣＣＨで搬送されるインジケーション（ＰＤＣＣＨ命令）情報であり、ＰＲＡＣＨは、ＰＤＣＣＨ命令によってトリガされるＰＲＡＣＨである。上述の２つのケースにおいて、ＰＲＡＣＨは、ネットワークデバイスによってトリガされるＰＲＡＣＨである。ネットワークデバイスによってＰＵＳＣＨおよび／またはＰＵＣＣＨをトリガする時間から、ＰＵＳＣＨおよび／またはＰＵＣＣＨを送信する時間までの時間間隔は概して、ネットワークデバイスによってＰＲＡＣＨをトリガする時間から、ＰＲＡＣＨを送信する時間までの時間間隔より低い、またはそれに等しい。したがって、ネットワークデバイスが最初にＰＲＡＣＨをトリガし、次に、ＰＵＳＣＨおよび／またはＰＵＣＣＨをトリガする場合、ネットワークデバイスは、デフォルトで、ＰＵＳＣＨおよび／またはＰＵＣＣＨは、より至急性が高いとみなし、より高いチャネル優先度を要求すると想定され得る。対照的に、ＰＲＡＣＨがＰＵＳＣＨおよび／またはＰＵＣＣＨのトリガ後にトリガされる場合、ＰＲＡＣＨのチャネル優先度は高いとみなされるべきである。端末デバイスは、第１アップリンクチャネルのチャネル優先度、および、ＰＲＡＣＨのチャネル優先度を、トリガ時間に基づいて決定し得る。端末デバイスは代替的に、ＰＲＡＣＨがネットワークデバイスによってトリガされるＰＲＡＣＨであるかどうかに基づいて、第１アップリンクチャネルのチャネル優先度、および、ＰＲＡＣＨのチャネル優先度を決定し得る。
【０１４８】
同様に、ネットワークデバイスは、第１の情報を送信し、第１の情報は、第１ＰＲＡＣＨを送信するよう端末デバイスに命令するために使用され、第１の情報は、上位層シグナリングにおいて構成され、または、物理チャネルで搬送され、第１ＰＲＡＣＨが位置する第２時間領域リソース、および、第１アップリンクチャネルが位置する第１時間領域リソースは重複し、第１アップリンクチャネルは、物理アップリンク共有チャネルＰＵＳＣＨ、および、物理アップリンク制御チャネルＰＵＣＣＨのうち少なくとも１つを含み、第１アップリンクチャネルのチャネル優先度は、第１ＰＲＡＣＨのチャネル優先度より高い、またはそれに等しく、ネットワークデバイスは、第２時間領域リソースで第１ＰＲＡＣＨを検出する。
【０１４９】
この場合の第１アップリンクチャネルは、端末デバイスによって送信される第１アップリンクチャネルであると理解されるべきである。第１アップリンクチャネルは、ネットワークデバイスによって示され得る、または、端末デバイス自体によって送信され得る。ここでの第１アップリンクチャネルの具体的な内容は、上で説明したので、ここでは詳細を再度説明しない。
【０１５０】
ネットワークデバイスは、第１ＰＲＡＣＨを送信するよう端末デバイスに命令するが、第１アップリンクチャネルのチャネル優先度は、第１ＰＲＡＣＨのチャネル優先度より高い、またはそれに等しいので、端末デバイスは、非常に小さい電力で第１ＰＲＡＣＨを送信し得る、または、端末デバイスは、第１ＰＲＡＣＨの送信を諦め得ることが理解されるべきである。ネットワークデバイスは第１ＰＲＡＣＨを検出するが、検出を通じて第１ＰＲＡＣＨを取得しなくてよい。
【０１５１】
端末デバイスは更に第１アップリンクチャネルを送信するので、ネットワークデバイスは更に第１アップリンクチャネルを検出し得ることを更に理解するべきである。
【０１５２】
任意選択で、アップリンク伝送方法が以下のケース、すなわち、端末デバイスが、第３時間領域リソースで第２の情報を受信し、第２の情報は、第１時間領域リソースで第１アップリンクチャネルを送信するよう端末デバイスに命令するために使用され、第１アップリンクチャネルのチャネル優先度は、第１ＰＲＡＣＨのチャネル優先度より高い、またはそれに等しいケース、または、端末デバイスが、第３時間領域リソースで第２の情報を受信し、第２の情報は、第１時間領域リソースで第１アップリンクチャネルを送信するよう端末デバイスに命令するために使用され、第３時間領域リソースの開始時点から第１時間領域リソースの開始時点までの時間間隔は第３時間閾値より低い、またはそれに等しいケースを更に含むとき、第１アップリンクチャネルのチャネル優先度は、ＰＲＡＣＨのチャネル優先度より高い、またはそれに等しい。
【０１５３】
任意選択で、端末デバイスは、第１時間領域リソースで（ＰＵＳＣＨおよび／またはＰＵＣＣＨを含む）第１アップリンクチャネルを送信するよう端末デバイスに命令するために使用される第２の情報を受信し得る。第２の情報がビットステータスインジケーション（例えば、このビットステータスは、第１アップリンクチャネルの優先度をサポートするために使用され、例えば、ビットステータスが０であるとき、端末デバイスは、第１アップリンクチャネルのチャネル優先度が第１ＰＲＡＣＨのチャネル優先度より高い、またはそれに等しいと認識し得て、ビットステータスが１であるとき、端末デバイスは、第１アップリンクチャネルのチャネル優先度が第１ＰＲＡＣＨのチャネル優先度より低いと認識し得る）を搬送するとき、端末デバイスは、第１アップリンクチャネルのチャネル優先度が第１ＰＲＡＣＨのチャネル優先度より高い、またはそれに等しいと認識し得る。代替的に、端末デバイスは、第２の情報のフォーマット（例えば、第２の情報のフォーマットは、特定のフォーマット、すなわち、ダウンリンク制御情報（Ｄｏｗｎｌｉｎｋ  Ｃｏｎｔｒｏｌ  Ｉｎｆｏｒｍａｔｉｏｎ、ＤＣＩ）フォーマットであり、例えば、ＤＣＩフォーマットがフォーマット１であるとき、端末デバイスは、第１アップリンクチャネルのチャネル優先度が第１ＰＲＡＣＨのチャネル優先度より高い、またはそれに等しいと認識し得て、ＤＣＩフォーマットが別のフォーマットであるとき、端末デバイスは、第１アップリンクチャネルのチャネル優先度が第１ＰＲＡＣＨのチャネル優先度より低いと認識し得る）を使用することによって、第１アップリンクチャネルのチャネル優先度が第１ＰＲＡＣＨのチャネル優先度より高い、またはそれに等しいことを認識し得る。代替的に、第２の情報が特定のスクランブリングされた無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）であるとき、端末デバイスは、第１アップリンクチャネルのチャネル優先度が第１ＰＲＡＣＨのチャネル優先度より高い、またはそれに等しいと認識し得る。例えば、ＲＮＴＩが第１ＲＮＴＩであるとき、端末デバイスは、第１アップリンクチャネルのチャネル優先度が第１ＰＲＡＣＨのチャネル優先度より高い、またはそれに等しいと認識し得て、ＲＮＴＩが別のＲＮＴＩであるとき、端末デバイスは、第１アップリンクチャネルのチャネル優先度が第１ＰＲＡＣＨのチャネル優先度より低いと認識し得る。
【０１５４】
ネットワークデバイスは、現在スケジューリングされているＰＵＳＣＨおよび／またはＰＵＣＣＨで搬送された情報の重要性に基づいて、ＰＵＳＣＨのチャネル優先度および／またはＰＵＣＣＨのチャネル優先度がＰＲＡＣＨのチャネル優先度より高いかどうかを示し得て、重要なサービスを伝送するのに使用されるＰＵＳＣＨのチャネル優先度および／またはＰＵＣＣＨのチャネル優先度がより高く、重要でないサービスに使用されるＰＵＳＣＨのチャネル優先度および／またはＰＵＣＣＨのチャネル優先度がより低いことを確実にすることが理解されるべきである。ネットワークデバイスは、各ＰＵＳＣＨおよび／またはＰＵＣＣＨで搬送される情報の重要性を知っていると想定する。
【０１５５】
任意選択で、第２の情報は、対応する物理ダウンリンク制御チャネル（Ｐｈｙｓｉｃａｌ  ｄｏｗｎｌｉｎｋ  Ｃｏｎｔｒｏｌ  ＣＨａｎｎｅｌ、ＰＤＣＣＨ）で搬送されるアップリンクグラント情報および／またはダウンリンクグラント情報であり得る。
【０１５６】
任意選択で、端末デバイスは、第３時間領域リソースで第２の情報を受信し、第３時間領域リソースの開始時点から、第１時間領域リソースの開始時点までの時間間隔は、第３時間閾値より低い、またはそれに等しく、第２の情報は、第１時間領域リソースで第１アップリンクチャネルを送信するよう端末デバイスに命令するために使用される。第３時間閾値は、予め規定され得る、または、システムまたはプロトコルにおいて上位層シグナリングを使用することによって構成され得る。端末デバイスは、第３時間領域リソースの開始時点から第１時間領域リソースの開始時点までの時間間隔を、第３時間閾値と比較して、時間間隔が第３時間閾値より低い、またはそれに等しい場合、第１アップリンクチャネルで搬送される情報は、緊急サービスについての情報とみなされ得る。したがって、第１アップリンクチャネルのチャネル優先度は、ＰＲＡＣＨのチャネル優先度より高い。
【０１５７】
既存のＬＴＥ周波数分割複信（Ｆｒｅｑｕｅｎｃｙ  Ｄｉｖｉｓｉｏｎ  Ｄｕｐｌｅｘ、ＦＤＤ）システムにおいて、スケジューリング情報（すなわち、第２の情報）を送信する時間から、ＰＵＳＣＨおよび／またはＰＵＣＣＨを送信する時間までの時間間隔は、４サブフレームである。５Ｇモバイル通信システムにおいて、時間間隔の値は、スケジューリング情報を使用することによって示される。すなわち、値は、０より高い、またはそれに等しいシンボルの任意の整数の数であり得る。例えば、スケジューリング情報を送信する時間から、ＰＵＳＣＨおよび／またはＰＵＣＣＨを送信する時間までの時間間隔が８シンボルであり、第３時間閾値が１４シンボルであるとき、ＰＵＳＣＨのチャネル優先度および／またはＰＵＣＣＨのチャネル優先度は、ＰＲＡＣＨのチャネル優先度より高い、またはそれに等しい。スケジューリング情報を送信する時間から、ＰＵＳＣＨおよび／またはＰＵＣＣＨを送信する時間までの時間間隔が２８シンボルであり、第３時間閾値が１４シンボルであるとき、ＰＵＳＣＨのチャネル優先度および／またはＰＵＣＣＨのチャネル優先度は、ＰＲＡＣＨのチャネル優先度より低い。
【０１５８】
同様に、ネットワークデバイスは、第３時間領域リソースで第２の情報を送信し、第２の情報は、第１時間領域リソースで第１アップリンクチャネルを送信するよう端末デバイスに命令するために使用され、第１アップリンクチャネルのチャネル優先度は、第１ＰＲＡＣＨのチャネル優先度より高い、またはそれに等しく、または、ネットワークデバイスは、第３時間領域リソースで第２の情報を送信し、第２の情報は、第１時間領域リソースで第１アップリンクチャネルを送信するよう端末デバイスに命令するために使用され、第３時間領域リソースの開始時点から第１時間領域リソースの開始時点までの時間間隔は、第３時間閾値より低い、またはそれに等しく、第１アップリンクチャネルは、物理アップリンク共有チャネルＰＵＳＣＨ、および、物理アップリンク制御チャネルＰＵＣＣＨのうち少なくとも１つを含み、第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しく、および、ネットワークデバイスは、第１時間領域リソースで第１アップリンクチャネルを検出する。
【０１５９】
この場合の第１ＰＲＡＣＨは、端末デバイスによって送信される第１ＰＲＡＣＨであることを理解すべきである。第１ＰＲＡＣＨは、ネットワークデバイスによって示され得る、または、端末デバイス自体によって送信され得る。ここでの第１ＰＲＡＣＨの具体的な内容は、上で説明したので、ここでは詳細を再度説明しない。
【０１６０】
端末デバイスは、第１ＰＲＡＣＨを送信することを計画するが、第１アップリンクチャネルのチャネル優先度は、第１ＰＲＡＣＨのチャネル優先度より高い、またはそれに等しいので、端末デバイスは、非常に小さい電力で第１ＰＲＡＣＨを送信し得る、または、端末デバイスは、第１ＰＲＡＣＨの送信を諦め得ることが理解されるべきである。
【０１６１】
ネットワークデバイスは更に、第１アップリンクチャネルに加えて第１ＰＲＡＣＨを検出し得るが、検出を通じて第１ＰＲＡＣＨを取得しなくてよい。
【０１６２】
任意選択で、第１アップリンクチャネルの第１時間領域リソースの長さは第１時間長であり、および／または、第１アップリンクチャネルが位置する周波数領域リソースのサブキャリア間隔は第１サブキャリア間隔である。
【０１６３】
具体的には、以下は、予め規定され得る、または、上位層シグナリングを使用することによって構成され得る、または、システムにおいて物理チャネルを使用することによって通知され得る。ＰＵＳＣＨおよび／またはＰＵＣＣＨに対応する第１時間領域リソースの長さが特定の時間長（例えば、第１時間長）である、または、特定のＴＴＩを有するとき、および／または、ＰＵＳＣＨおよび／またはＰＵＣＣＨに対応する第１周波数領域リソースが特定のｎｕｍｅｒｏｌｏｇｙを有する、すなわち、特定のサブキャリア間隔（例えば、第１サブキャリア間隔）を有するとき、第１アップリンクチャネルのチャネル優先度はＰＲＡＣＨのチャネル優先度より高い、またはそれに等しい。
【０１６４】
本願のこの実施形態において、特定の時間周波数領域リソースで送信されるＰＵＳＣＨおよび／またはＰＵＣＣＨは、重要なサービスを搬送するために使用されることが、システムまたはプロトコルにおいて予め規定され得て、重要なＰＵＳＣＨおよび／または重要なＰＵＣＣＨが、より高いチャネル優先度を有することを確実にする。例えば、２シンボル時間領域リソースで伝送されるＰＵＳＣＨおよび／またはＰＵＣＣＨは、より高いチャネル優先度を有する。他の例として、６０ｋＨｚ周波数領域リソースで伝送されるＰＵＳＣＨおよび／またはＰＵＣＣＨは、より高いチャネル優先度を有する。更に他の例として、２シンボル時間領域リソース、および、６０ｋＨｚ周波数領域リソースで伝送されるＰＵＳＣＨおよび／またはＰＵＣＣＨは、より高いチャネル優先度を有する。本願のこの実施形態において、第１時間領域リソースの最大時間長は、第１時間長に設定され得て、または、第１時間領域リソースの最小時間長は、第１時間長に設定され得て、第１周波数領域リソースの最小サブキャリア間隔は、第１サブキャリア間隔に設定され得て、第１周波数領域リソースの最大サブキャリア間隔は、第１サブキャリア間隔に設定され得ることが理解されるべきである。
【０１６５】
この実施形態において、第１時間長は、値または範囲であり得ることが理解されるべきである。例えば、第１時間長は具体的には、１シンボルであり得る、または、１４シンボルより小さい、またはそれに等しいことがあり得る、または、Ｅシンボルより大きい、またはそれに等しく、Ｆシンボルより小さい、またはそれに等しいことがあり得る。ここで、ＥおよびＦは、１より高い、またはそれに等しい正の整数である。ここでの時間長は、シンボル、スロット、ミニスロット、サブフレームまたはフレームであり得ることに注意すべきである。第１サブキャリア間隔は、値または範囲であり得る。例えば、第１サブキャリア間隔は具体的には６０ｋＨｚであり得る、または、３０ｋＨｚより大きい、またはそれに等しいことがあり得る、または、３０ｋＨｚより大きい、またはそれに等しく、１２０ｋＨｚより小さい、またはそれに等しいことがあり得る。
【０１６６】
任意選択で、第１アップリンクチャネルは、第Ｋ回目に再伝送される第１アップリンクチャネルであり得る。ここで、Ｋは、１より高い、またはそれに等しい整数である。
【０１６７】
具体的には、以下は予め規定され得る、または、上位層シグナリングを使用することによって構成され得る、または、システムまたはプロトコルにおいて物理チャネルを使用することによって通知され得る。ＰＵＳＣＨおよび／またはＰＵＣＣＨが予め規定されたＰＵＳＣＨおよび／またはＰＵＣＣＨである、例えば、ＰＵＳＣＨおよび／またはＰＵＣＣＨが、第Ｋ回目に再伝送されるＰＵＳＣＨおよび／またはＰＵＣＣＨであるとき、第１アップリンクチャネルのチャネル優先度は、ＰＲＡＣＨのチャネル優先度より高い、またはそれに等しい。Ｋは１より高い、またはそれに等しい整数であり、Ｋは予め設定された閾値であり得る。
【０１６８】
上記のように、ＰＵＳＣＨおよび／またはＰＵＣＣＨの送信は、複数回の再伝送をサポートし得る。Ｋの値は、予め規定され得る、または、上位層シグナリングを使用することによって構成され得る、または、システムまたはプロトコルにおいて物理チャネルを使用することによって構成され得る。ＰＵＳＣＨおよび／またはＰＵＣＣＨの再伝送の回数の現在の数がＫより高い、またはそれに等しいとき、ＰＵＳＣＨおよび／またはＰＵＣＣＨは、複数回にわたって再伝送され、ＰＵＳＣＨおよび／またはＰＵＣＣＨで搬送されるサービスは非常に重要であり正確に伝送される必要があるとみなされ、第１アップリンクチャネルのチャネル優先度は、ＰＲＡＣＨのチャネル優先度より高い、またはそれに等しい。ＰＵＳＣＨおよび／またはＰＵＣＣＨの再伝送の回数の現在の数がＫ未満であるとき、ＰＵＳＣＨおよび／またはＰＵＣＣＨの伝送が開始したばかりであり得て、ＰＵＳＣＨおよび／またはＰＵＣＣＨを再伝送する機会がまだあるとみなされ、第１アップリンクチャネルのチャネル優先度はＰＲＡＣＨのチャネル優先度より低い。
【０１６９】
この明細書における第１スケジューリング要求、第１データ伝送リソース、第１論理チャネル、第１トランスポートブロックサイズ、第１符号レート、第１変調方式、第１レイテンシ要件、第１時間閾値、第２レイテンシ要件、第２時間閾値、第２スケジューリング要求、第２データ伝送リソース、第１フォーマット、第３時間閾値、第１時間長、第１サブキャリア間隔、第２時間長、第２サブキャリア間隔、Ｋ、および同様のものは、上位層シグナリングを使用することによって構成され得る、または、予め規定され得る、または、物理チャネルを使用することによって通知され得ることを理解すべきである。このことは、本願の実施形態において限定されるものではない。
【０１７０】
第１アップリンクチャネルが、本願の実施形態において説明される（ＰＵＳＣＨおよび／またはＰＵＣＣＨを含む）第１アップリンクチャネルのうち任意の１または複数を含む、または、第１ＰＲＡＣＨが、本願の実施形態において説明されるＰＲＡＣＨのうち任意の１または複数を含む、または、第１アップリンクチャネルが本願の実施形態において説明される第１アップリンクチャネルのうち任意の１または複数を含み、第１ＰＲＡＣＨが、本願の実施形態において説明されるＰＲＡＣＨのうち任意の１または複数を含むとき、第１アップリンクチャネルのチャネル優先度は、第１ＰＲＡＣＨチャネル優先度より高い、またはそれに等しいことが更に理解されるべきである。
【０１７１】
上記では、本願の実施形態において提供されるアップリンク伝送方法を説明した。以下では、本願の実施形態において提供される端末デバイスおよびネットワークデバイスを説明する。
【０１７２】
図１０は、本願の実施形態に係る端末デバイス１０００の概略ブロック図である。  図１０に示されるように、端末デバイス１０００は、第１アップリンクチャネルの第１送信電力を、第１アップリンクチャネルのチャネル優先度、および、第１物理ランダムアクセスチャネルＰＲＡＣＨのチャネル優先度に基づいて設定するよう構成される処理モジュール１０１０であって、第１アップリンクチャネルは、物理アップリンク共有チャネルＰＵＳＣＨ、および、物理アップリンク制御チャネルＰＵＣＣＨのうち少なくとも１つを含み、第１アップリンクチャネルが位置する第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しく、第１送信電力は０より大きい、処理モジュール１０１０と、処理モジュール１０１０によって取得された第１送信電力で、第１アップリンクチャネルを送信するよう構成される送信モジュール１０２０とを備える。
【０１７３】
ＰＵＳＣＨの時間領域リソースおよび／またはＰＵＣＣＨの時間領域リソース、および、第１ＰＲＡＣＨの時間領域リソースが重複するとき、ＰＵＳＣＨのチャネル優先度および／またはＰＵＣＣＨのチャネル優先度は、第１ＰＲＡＣＨのチャネル優先度より高く、またはそれに等しく設定され、本願のこの実施形態における端末デバイスは、ＰＵＳＣＨおよび／またはＰＵＣＣＨのための第１送信電力を、チャネル優先度に基づいて設定し、その結果、既存の解決手段と比較して、送信電力は、ＰＵＳＣＨおよび／またはＰＵＣＣＨのために、より優先的に設定でき、電力設定は、ＰＵＳＣＨおよび／またはＰＵＣＣＨに対して、より適切に、より好適になり、それにより、サービス伝送品質が改善する。
【０１７４】
任意選択で、実施形態において、第１アップリンクチャネルは、以下のＰＵＳＣＨ、すなわち、グラントフリーＰＵＳＣＨ伝送、再伝送ＰＵＳＣＨ、第１データ伝送リソースを要求するために端末デバイスによって使用される第１スケジューリング要求に対応するＰＵＳＣＨ、第１論理チャネルに対応するＰＵＳＣＨ、第１トランスポートブロックサイズのトランスポートブロックを搬送するＰＵＳＣＨ、第１符号レートのトランスポートブロックを搬送するＰＵＳＣＨ、第１変調方式のトランスポートブロックを搬送するＰＵＳＣＨ、および、第１時間閾値より低い、またはそれに等しい第１レイテンシ要件についての情報を搬送するＰＵＳＣＨのうち少なくとも１つを含む。
【０１７５】
任意選択で、実施形態において、第１アップリンクチャネルは、ＰＵＣＣＨおよび／またはＰＵＳＣＨを含み、ＰＵＣＣＨおよび／またはＰＵＳＣＨは、以下のアップリンク制御情報、すなわち、肯定応答ＡＣＫ情報、第２時間閾値より低い、またはそれに等しい第２レイテンシ要件に対応する情報、および、第２データ伝送リソースを要求するために端末デバイスによって使用される第２スケジューリング要求のうち少なくとも１つを含む。
【０１７６】
任意選択で、実施形態において、第１ＰＲＡＣＨは、以下のＰＲＡＣＨ、すなわち、二次タイムアライメントグループｓＴＡＧのサービングセル上のＰＲＡＣＨ、および、第１フォーマットのＰＲＡＣＨのうち、少なくとも１つを含む。
【０１７７】
任意選択で、実施形態において、端末デバイスは受信モジュール１０３０を更に備え、第１の情報を受信するよう構成され、第１の情報は、第１ＰＲＡＣＨを送信するよう端末デバイスに命令するために使用され、第１の情報は、上位層シグナリングにおいて構成される、または、物理チャネルで搬送される。
【０１７８】
任意選択で、実施形態において、端末デバイスは更に、受信モジュール１０３０を備え、受信モジュール１０３０は、第３時間領域リソースで第２の情報を受信するよう構成され、第２の情報は、第１時間領域リソースで第１アップリンクチャネルを送信するよう端末デバイスに命令するために使用され、第１アップリンクチャネルのチャネル優先度は、第１ＰＲＡＣＨのチャネル優先度より高い、またはそれに等しい、または、受信モジュール１０３０は、第３時間領域リソースで第２の情報を受信するよう構成され、第２の情報は、第１時間領域リソースで第１アップリンクチャネルを送信するよう端末デバイスに命令するために使用され、第３時間領域リソースの開始時点から第１時間領域リソースの開始時点までの時間間隔は、第３時間閾値より低い、またはそれに等しい。
【０１７９】
任意選択で、実施形態において、第１時間領域リソースの長さは、第１時間長であり、および／または、第１アップリンクチャネルが位置する周波数領域リソースのサブキャリア間隔は、第１サブキャリア間隔である、および／または、第２時間領域リソースの長さは、第２時間長であり、および／または、第１ＰＲＡＣＨが位置する周波数領域リソースのサブキャリア間隔は、第２サブキャリア間隔である、および／または、第１アップリンクチャネルは第Ｋ回目に再伝送される第１アップリンクチャネルであり、Ｋは１より高い、またはそれに等しい整数である。
【０１８０】
任意選択で、実施形態において、処理モジュール１０１０は更に、第１ＰＲＡＣＨの第２送信電力を、第１アップリンクチャネルのチャネル優先度、および、第１ＰＲＡＣＨのチャネル優先度に基づいて設定するよう構成され、第１送信電力および第２送信電力の和は、端末デバイスの最大許容送信電力より低い、またはそれに等しく、第２送信電力は０より大きく、送信モジュール１０２０は更に、処理モジュールによって取得された第２送信電力で、第１ＰＲＡＣＨを送信するよう構成される。
【０１８１】
任意選択で、実施形態において、第２送信電力は、第１ＰＲＡＣＨの要求電力未満である。
【０１８２】
任意選択で、実施形態において、第１アップリンクチャネルの要求電力、および、第１ＰＲＡＣＨの要求電力の和は、第１の利用可能な電力値より大きく、第１の利用可能な電力値は、最大許容送信電力より低い、またはそれに等しく、第１送信電力および第２送信電力の和は、第１の利用可能な電力値より低い、またはそれに等しい。
【０１８３】
本願のこの実施形態において、処理モジュール１０１０は、プロセッサによって実装され得て、送信モジュール１０２０および受信モジュール１０３０は、送受信機によって実装され得ることに注意すべきである。図１１に示されるように、端末デバイス１１００は、プロセッサ１１１０、送受信機１１２０およびメモリ１１３０を含み得る。メモリ１１３０は、プロセッサ１１１０および送受信機１１２０が対応する機能を実行するよう制御するためのコードを格納するよう構成される。
【０１８４】
言い換えれば、端末デバイス１１００は、プロセッサ１１１０、送受信機１１２０およびメモリ１１３０を含み得る。メモリ１１３０は、命令を格納するよう構成され、プロセッサ１１１０および送受信機１１２０は、メモリ１１３０に格納された命令を実行するよう構成される。プロセッサ１１１０は、第１アップリンクチャネルの第１送信電力を、第１アップリンクチャネルのチャネル優先度、および、第１物理ランダムアクセスチャネルＰＲＡＣＨのチャネル優先度に基づいて設定するよう構成され、第１アップリンクチャネルは、物理アップリンク共有チャネルＰＵＳＣＨ、および、物理アップリンク制御チャネルＰＵＣＣＨのうち少なくとも１つを含み、第１アップリンクチャネルが位置する第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しく、第１送信電力は０より大きく、送受信機１１２０は、プロセッサ１１１０によって取得された第１送信電力で、第１アップリンクチャネルを送信するよう構成される。
【０１８５】
端末デバイス１１００のコンポーネントは、内部接続チャネルを通じて互いに通信し得て、制御および／またはデータ信号を転送する。
【０１８６】
図１１に示される端末デバイス１１００、または、図１０に示される端末デバイス１０００は、上記方法の実施形態における様々なプロセスを実装できる。繰り返しを避けるべく、詳細についてはここで改めて説明しない。
【０１８７】
図１２は、本願の実施形態に係るネットワークデバイス１２００の概略ブロック図である。図１２に示されるように、ネットワークデバイス１０００は、第１の情報を送信するよう構成される送信モジュール１２１０であって、第１の情報は、第１ＰＲＡＣＨを送信するよう端末デバイスに命令するために使用され、第１の情報は、上位層シグナリングにおいて構成され、または、物理チャネルで搬送され、第１ＰＲＡＣＨが位置する第２時間領域リソース、および、第１アップリンクチャネルが位置する第１時間領域リソースは重複し、第１アップリンクチャネルは、物理アップリンク共有チャネルＰＵＳＣＨ、および、物理アップリンク制御チャネルＰＵＣＣＨのうち少なくとも１つを含み、第１アップリンクチャネルのチャネル優先度は、第１ＰＲＡＣＨのチャネル優先度より高い、またはそれに等しい、送信モジュール１２１０と、第２時間領域リソースで第１ＰＲＡＣＨを検出するよう構成される処理モジュール１２２０とを備える。
【０１８８】
本願のこの実施形態におけるネットワークデバイスは、第１ＰＲＡＣＨを送信するよう端末デバイスに命令し、ＰＵＳＣＨの時間領域リソースおよび／またはＰＵＣＣＨの時間領域リソース、および、第１ＰＲＡＣＨの時間領域リソースが重複するとき、ＰＵＳＣＨのチャネル優先度および／またはＰＵＣＣＨのチャネル優先度を、第１ＰＲＡＣＨのチャネル優先度より高く、またはそれに等しく設定し、その結果、既存の解決手段と比較して、端末デバイスは、ＰＵＳＣＨおよび／またはＰＵＣＣＨのために、送信電力をより優先的に設定でき、電力設定は、ＰＵＳＣＨおよび／またはＰＵＣＣＨに対して、より適切に、より好適になり、それにより、サービス伝送品質が改善する。
【０１８９】
本願のこの実施形態において、処理モジュール１２２０は、プロセッサによって実装され得て、送信モジュール１２１０は、送受信機によって実装され得ることに注意すべきである。図１３に示されるように、ネットワークデバイス１３００は、プロセッサ１３１０、送受信機１３２０、メモリ１３３０を含み得る。メモリ１３３０は、プロセッサ１３１０および送受信機１３２０が対応する機能を実行するよう制御するためのコードを格納するよう構成される。
【０１９０】
言い換えれば、ネットワークデバイス１３００は、プロセッサ１３１０、送受信機１３２０およびメモリ１３３０を含み得る。メモリ１３３０は、命令を格納するよう構成され、プロセッサ１３１０および送受信機１３２０は、メモリ１３３０に格納された命令を実行するよう構成される。  送受信機１３２０は、第１の情報を送信するよう構成され、第１の情報は、第１ＰＲＡＣＨを送信するよう端末デバイスに命令するために使用され、第１の情報は、上位層シグナリングにおいて構成され、または、物理チャネルで搬送され、第１ＰＲＡＣＨが位置する第２時間領域リソース、および、第１アップリンクチャネルが位置する第１時間領域リソースは重複し、第１アップリンクチャネルは、物理アップリンク共有チャネルＰＵＳＣＨ、および、物理アップリンク制御チャネルＰＵＣＣＨのうち少なくとも１つを含み、第１アップリンクチャネルのチャネル優先度は、第１ＰＲＡＣＨのチャネル優先度より高い、またはそれに等しく、プロセッサ１３１０は、第２時間領域リソースで第１ＰＲＡＣＨを検出するよう構成される。
【０１９１】
ネットワークデバイス１３００のコンポーネントは、内部接続チャネルを通じて互いに通信し得て、制御および／またはデータ信号を転送する。
【０１９２】
図１３に示されるネットワークデバイス１３００、または、図１２に示されるネットワークデバイス１２００は、上記方法の実施形態における様々なプロセスを実装できる。繰り返しを避けるために、詳細は再度ここで説明しない。
【０１９３】
本願の実施形態は更に、ネットワークデバイスを提供する。ネットワークデバイスは、図１２に示されるネットワークデバイス１２００と同様の構造を有し、第３時間領域リソースで第２の情報を送信することであって、第２の情報は、第１時間領域リソースで第１アップリンクチャネルを送信するよう端末デバイスに命令するために使用され、第１アップリンクチャネルのチャネル優先度は、第１ＰＲＡＣＨのチャネル優先度より高い、またはそれに等しい、ことを行うよう構成される、または、第３時間領域リソースで第２の情報を送信することであって、第２の情報は、第１時間領域リソースで第１アップリンクチャネルを送信するよう端末デバイスに命令するために使用される、ことを行うよう構成される送信モジュールであって、第３時間領域リソースの開始時点から第１時間領域リソースの開始時点までの時間間隔は、第３時間閾値より低い、またはそれに等しく、第１アップリンクチャネルは、物理アップリンク共有チャネルＰＵＳＣＨ、および、物理アップリンク制御チャネルＰＵＣＣＨのうち少なくとも１つを含み、第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しい、送信モジュールと、第１時間領域リソースで第１アップリンクチャネルを検出するよう構成される処理モジュールとを備える。
【０１９４】
本願のこの実施形態におけるネットワークデバイスは、第１アップリンクチャネルを送信するよう端末デバイスに命令し、ＰＵＳＣＨの時間領域リソースおよび／またはＰＵＣＣＨの時間領域リソース、および、第１ＰＲＡＣＨの時間領域リソースが重複するとき、第１アップリンクチャネルは、重要なチャネルとして、明示的に、または暗示的に示され、および／または、第１アップリンクチャネルをスケジューリングするのに使用される第２の情報を送信する時間から、第１アップリンクチャネルを送信する時間までの時間間隔が、特定の閾値未満であるとき、第１アップリンクチャネルは、暗示的に、重要度が比較的高いと示され、第１アップリンクチャネルのチャネル優先度は、第１ＰＲＡＣＨのチャネル優先度より高い、またはそれに等しく、その結果、既存の解決手段と比較して、端末デバイスは、ＰＵＳＣＨおよび／またはＰＵＣＣＨの送信電力をより優先的に設定でき、電力設定は、ＰＵＳＣＨおよび／またはＰＵＣＣＨに、より適切に、より好適であり、それにより、サービス伝送品質が改善する。
【０１９５】
同様に、ネットワークデバイスの構造は、代替的に、図１３に示されるネットワークデバイス１３００と同様であり得て、プロセッサ、送受信機およびメモリを含む。メモリは、プロセッサおよび送受信機が対応する機能を実行するよう制御するためのコードを格納するよう構成される。送受信機は、第３時間領域リソースで第２の情報を送信することであって、第２の情報は、第１時間領域リソースで第１アップリンクチャネルを送信するよう端末デバイスに命令するために使用され、第１アップリンクチャネルのチャネル優先度は、第１ＰＲＡＣＨのチャネル優先度より高い、またはそれに等しい、ことを行うよう構成される、または、第３時間領域リソースで第２の情報を送信することであって、第２の情報は、第１時間領域リソースで第１アップリンクチャネルを送信するよう端末デバイスに命令するために使用され、第３時間領域リソースの開始時点から第１時間領域リソースの開始時点までの時間間隔は、第３時間閾値より低い、またはそれに等しく、第１アップリンクチャネルは、物理アップリンク共有チャネルＰＵＳＣＨ、および、物理アップリンク制御チャネルＰＵＣＣＨのうち少なくとも１つを含み、第１時間領域リソース、および、第１ＰＲＡＣＨが位置する第２時間領域リソースは重複し、第１アップリンクチャネルのチャネル優先度は、第１ＰＲＡＣＨのチャネル優先度より高い、またはそれに等しい、こととを行うよう構成される。プロセッサは、第１時間領域リソースで第１アップリンクチャネルを検出するよう構成される。
【０１９６】
ネットワークデバイスは、上記方法の実施形態における様々なプロセスを実装できる。繰り返しを避けるために、詳細は再度ここで説明しない。
【０１９７】
本願の実施形態において言及されるプロセッサは、中央演算処理装置（Ｃｅｎｔｒａｌ  Ｐｒｏｃｅｓｓｉｎｇ  Ｕｎｉｔ、ＣＰＵ）であり得る、または、別の汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または、別のプログラマブル論理デバイス、ディスクリートゲートまたはトランジスタ論理デバイス、ディスクリートハードウェアコンポーネント、または同様のものであり得ることが理解されるべきである。汎用プロセッサはマイクロプロセッサであってよく、またはプロセッサは任意の従来のプロセッサなどであってよい。
【０１９８】
本願の実施形態において言及されるメモリは、揮発性メモリまたは不揮発性メモリであり得る、または、揮発性メモリおよび不揮発性メモリを含み得ることが更に理解されるべきである。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、またはフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、外部キャッシュとして使用される。限定的な説明ではなく、例として、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、エンハンストシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）、およびダイレクトランバスランダムアクセスメモリ（Ｄｉｒｅｃｔ  Ｒａｍｂｕｓ  ＲＡＭ、ＤＲ  ＲＡＭ）など、多くの形態のＲＡＭが使用され得る。
【０１９９】
プロセッサが汎用プロセッサ、ＤＳＰ、ＡＳＩＣ、ＦＰＧＡ、または別のプログラマブル論理デバイス、ディスクリートゲートまたはトランジスタ論理デバイス、またはディスクリートハードウェアコンポーネントであるとき、メモリ（ストレージモジュール）はプロセッサに統合されることに注意すべきである。
【０２００】
本明細書において説明されるメモリは、これらに限定されるものではなく、別の適切な種類の任意のメモリを含むことに注意すべきである。
【０２０１】
本願の実施形態は更に、コンピュータ可読記憶媒体を提供し、コンピュータ可読記憶媒体は命令を格納し、命令がコンピュータ上で実行されるとき、コンピュータは、上記方法の実施形態における端末デバイスによって実行される方法を実行することが可能になる。
【０２０２】
本願の実施形態は更に、コンピュータ可読記憶媒体を提供し、コンピュータ可読記憶媒体は命令を格納し、命令がコンピュータ上で実行されるとき、コンピュータは、上記方法の実施形態におけるネットワークデバイスによって実行される方法を実行することが可能になる。
【０２０３】
本願の実施形態は、命令を含むコンピュータプログラムプロダクトを更に提供し、コンピュータプログラムプロダクトの命令がコンピュータ上で実行されるとき、コンピュータは、上記方法の実施形態における端末デバイスによって実行される方法を実行する。
【０２０４】
本願の実施形態は、命令を含むコンピュータプログラムプロダクトを更に提供し、コンピュータプログラムプロダクトの命令がコンピュータ上で実行されるとき、コンピュータは、上記方法の実施形態におけるネットワークデバイスによって実行される方法を実行する。
【０２０５】
上述の実施形態の全部または一部は、ソフトウェア、ハードウェア、ファームウェア、またはこれらの任意の組み合わせを使用することによって実装されてよい。実施形態の実装にソフトウェアが使用されるとき、実施形態は完全にまたは部分的にコンピュータプログラムプロダクトの形態で実装されてよい。コンピュータプログラムプロダクトは１または複数のコンピュータ命令を含む。コンピュータ命令がコンピュータにロードされて実行されるとき、本願の実施形態の手順または機能は、完全に、または、部分的に生成される。コンピュータは、汎用コンピュータ、特定用途向けコンピュータ、コンピュータネットワーク、または別のプログラマブル機器であり得る。コンピュータ命令は、コンピュータ可読記憶媒体に格納されてもよく、または、あるコンピュータ可読記憶媒体から別のコンピュータ可読記憶媒体に伝送されてもよい。例えば、コンピュータ命令は、有線（例えば、同軸ケーブル、光ファイバ、またはデジタル加入者線（Ｄｉｇｉｔａｌ  ｓｕｂｓｃｒｉｂｅｒ  ｌｉｎｅ、ＤＳＬ））または無線（例えば、赤外線、ラジオ、またはマイクロ波）の方式で、ウェブサイト、コンピュータ、サーバ、またはデータセンタから別のウェブサイト、コンピュータ、サーバ、またはデータセンタに伝送されてよい。コンピュータ可読記憶媒体は、コンピュータによってアクセスされる任意の利用可能な媒体、または、１または複数の利用可能な媒体を統合するサーバもしくはデータセンタなどのデータストレージデバイスであり得る。使用可能な媒体は、磁気媒体（例えばフロッピーディスク、ハードディスクまたは磁気テープ）、光媒体（例えば、高密度デジタルビデオディスク（Ｄｉｇｉｔａｌ  Ｖｉｄｅｏ  Ｄｉｓｃ、ＤＶＤ）、半導体媒体（例えば、ソリッドステートディスク（Ｓｏｌｉｄ  Ｓｔａｔｅ  Ｄｉｓｋ、ＳＳＤ））、または同様のものであり得る。
【０２０６】
本明細書における第１、第２および様々な数値は単に、説明しやすくするために区別されているに過ぎず、本願の範囲を限定することは意図されていないことが理解されるべきである。
【０２０７】
本明細書における「および／または」という用語は、関連する対象を説明するための関連関係に過ぎず、３つの関係が存在し得ることを示すことが理解されるべきである。例えば、Ａおよび／またはＢは、Ａのみが存在する場合、ＡおよびＢの両方が存在する場合、および、Ｂのみが存在する場合の３つの場合を示し得る。更に、本明細書において符号「／」は概して、関連する対象間の「または」の関係を示す。
【０２０８】
上述のプロセスの順序番号は、本願の様々な実施形態における実行順序を意味するものではないことを理解すべきである。プロセスの実行順序は、プロセスの機能および内部論理に従って決定されるべきであり、本願の実施形態の実装プロセスに対していかなる制限も構成するべきでない。
【０２０９】
当業者は、本明細書において開示される実施形態を参照して説明される例におけるユニットおよびアルゴリズムのステップは、電子的ハードウェア、または、コンピュータソフトウェアおよび電子的ハードウェアの組み合わせによって実装され得ることを理解し得る。機能がハードウェアによって実行されるか、またはソフトウェアによって実行されるかは、特定の用途、および、技術的解決手段の設計上の制限条件に依存する。当業者は、特定の用途ごとに、説明された諸機能を実装するために異なる方法を用いてよいが、当該実装が本願の範囲を超えるとみなされるべきではない。
【０２１０】
当業者であれば、説明の便宜および簡潔性のために、上述のシステム、機器およびユニットの詳細な動作プロセスについて、上記方法の実施形態における対応するプロセスを参照してよく、ここでは詳細を再度説明しないことを明確に理解し得る。
【０２１１】
本願において提供されたいくつかの実施形態において、開示されたシステム、装置、および方法は、別の方式で実装され得ることが理解されるべきである。例えば、説明されている装置の実施形態は単に例に過ぎない。例えば、ユニットの分割は、論理的な機能分割に過ぎず、実際の実装においては、別の分割であってもよい。例えば、複数のユニットまたはコンポーネントが別のシステムに組み合わされまたは統合されてもよく、あるいはいくつかの特徴が無視されてもよい、または実行されなくてもよい。加えて、表示または議論されている相互結合もしくは直接結合または通信接続は、幾つかのインタフェースを使用して実装され得る。機器またはユニットの間の間接的な連結または通信接続は、電子的な形態、機械的な形態、または、別の形態で実装され得る。
【０２１２】
個別の部分として説明されているユニットは、物理的に個別であってもなくてもよく、ユニットとして表示されている部分は、物理ユニットであってもなくてもよいし、一箇所に配置されてもよいし、複数のネットワークユニットに分散されてもよい。それらユニットの一部または全てが、実施形態の解決手段の目的を実現するために実際の要件に基づいて選択されてよい。
【０２１３】
加えて、本願の実施形態における機能ユニットは、１つの処理ユニットに組み込まれてもよく、当該ユニットの各々は、物理的に単独で存在してもよく、２つまたはそれよりも多くのユニットが１つのユニットに組み込まれてもよい。
【０２１４】
当該機能がソフトウェア機能ユニットの形態で実装され、独立のプロダクトとして販売または使用される場合、当該機能は、コンピュータ可読記憶媒体に記憶され得る。そのような理解に基づいて、基本的に本願の技術的解決手段または従来技術に対して貢献する部分または技術的解決手段のいくつかが、ソフトウェアプロダクトの形式で実装されてよい。コンピュータソフトウェアのプロダクトは、記憶媒体に記憶され、本願の実施形態において説明される方法の段階のすべてまたはいくつかを実行するようコンピュータデバイス（パーソナルコンピュータ、サーバ、ネットワークデバイス、または、同様のなどであり得る）に指示するためのいくつかの命令を含む。上述の記憶媒体は、プログラムコードを格納できる任意の媒体、例えば、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または、光ディスクを含む。
【０２１５】
上述の説明は、本願の特定の実装に過ぎず、本願の保護範囲を限定する意図はない。本願で開示した技術的範囲内において、当業者が容易に想起する任意の変形例または置換例は、本願の保護範囲に属するものとする。従って、本願の保護範囲は、特許請求の範囲の保護範囲の対象になるものとする。
【図１】
2020530246.tif 000003
【図２】
2020530246.tif 000004
【図３】
2020530246.tif 000005
【図４】
2020530246.tif 000006
【図５】
2020530246.tif 000007
【図６】
2020530246.tif 000008
【図７】
2020530246.tif 000009
【図８】
2020530246.tif 000010
【図９】
2020530246.tif 000011
【図１０】
2020530246.tif 000012
【図１１】
2020530246.tif 000013
【図１２】
2020530246.tif 000014
【図１３】
2020530246.tif 000015
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
アップリンク伝送方法であって、
端末デバイスが、第１アップリンクチャネルの第１送信電力を、前記第１アップリンクチャネルのチャネル優先度、および、第１物理ランダムアクセスチャネル（第１ＰＲＡＣＨ）のチャネル優先度に基づいて設定する段階であって、前記第１アップリンクチャネルは、物理アップリンク共有チャネル（ＰＵＳＣＨ）および物理アップリンク制御チャネル（ＰＵＣＣＨ）のうち少なくとも１つを含み、前記第１アップリンクチャネルが位置する第１時間領域リソース、および、前記第１ＰＲＡＣＨが位置する第２時間領域リソースは重複し、前記第１アップリンクチャネルの前記チャネル優先度は、前記第１ＰＲＡＣＨの前記チャネル優先度より高い、またはそれに等しく、前記第１送信電力は０より大きい、段階と、
前記端末デバイスが、前記第１送信電力で前記第１アップリンクチャネルを送信する段階と
を備える方法。
【請求項２】
前記第１ＰＲＡＣＨは、二次タイムアライメントグループ（ｓＴＡＧ）のサービングセルにおけるＰＲＡＣＨのうち少なくとも１つを含む、請求項１に記載の方法。
【請求項３】
端末デバイスが、第１アップリンクチャネルの第１送信電力を、前記第１アップリンクチャネルのチャネル優先度、および、第１ＰＲＡＣＨのチャネル優先度に基づいて設定する前記段階は、
前記端末デバイスが、前記第１アップリンクチャネルの前記第１送信電力を、第２ＰＲＡＣＨのチャネル優先度、前記第１アップリンクチャネルの前記チャネル優先度、および、前記第１ＰＲＡＣＨの前記チャネル優先度に基づいて設定する段階であって、前記第１アップリンクチャネルが位置する前記第１時間領域リソース、前記第１ＰＲＡＣＨが位置する前記第２時間領域リソース、および、前記第２ＰＲＡＣＨが位置する第３時間領域リソースは、重複し、前記第２ＰＲＡＣＨの前記チャネル優先度は、前記第１アップリンクチャネルの前記チャネル優先度より高い、段階を含む、請求項１または２に記載の方法。
【請求項４】
前記方法は、前記端末デバイスが、前記第１ＰＲＡＣＨを破棄し、前記第１ＰＲＡＣＨのために、第２送信電力を０に設定する段階を更に備える、請求項１から３のいずれか一項に記載の方法。
【請求項５】
前記方法は、
前記端末デバイスが、前記第１ＰＲＡＣＨの第２送信電力を、前記第１アップリンクチャネルの前記チャネル優先度、および、前記第１ＰＲＡＣＨの前記チャネル優先度に基づいて設定する段階であって、前記第１送信電力および前記第２送信電力の和は、前記端末デバイスの最大許容送信電力より低い、またはそれに等しく、前記第２送信電力は０より大きい、段階と、
前記端末デバイスが、前記第１ＰＲＡＣＨを前記第２送信電力で送信する段階と
を更に備える、請求項１から３のいずれか一項に記載の方法。
【請求項６】
前記第２送信電力は、前記第１ＰＲＡＣＨの要求電力未満である、請求項５に記載の方法。
【請求項７】
前記第１アップリンクチャネルの要求電力、および、前記第１ＰＲＡＣＨの前記要求電力の和は、第１の利用可能な電力値より大きく、前記第１の利用可能な電力値は、前記最大許容送信電力より低い、またはそれに等しく、前記第１送信電力および前記第２送信電力の前記和は、前記第１の利用可能な電力値より低い、またはそれに等しい、請求項５または６に記載の方法。
【請求項８】
前記第１の利用可能な電力値は、前記端末デバイスの利用可能な送信電力から第２ＰＲＡＣＨの要求電力を減算したものである、請求項７に記載の方法。
【請求項９】
前記第１アップリンクチャネルは、以下のＰＵＳＣＨ、すなわち、
グラントフリーＰＵＳＣＨ伝送、
再伝送ＰＵＳＣＨ、
第１データ伝送リソースを要求するために前記端末デバイスによって使用される第１スケジューリング要求に対応するＰＵＳＣＨ、
第１論理チャネルに対応するＰＵＳＣＨ、
第１トランスポートブロックサイズのトランスポートブロックを搬送するＰＵＳＣＨ、
第１符号レートのトランスポートブロックを搬送するＰＵＳＣＨ、
第１変調方式のトランスポートブロックを搬送するＰＵＳＣＨ、および、
第１時間閾値より低い、またはそれに等しい第１レイテンシ要件についての情報を搬送するＰＵＳＣＨ
のうち少なくとも１つを含む、請求項１から８のいずれか一項に記載の方法。
【請求項１０】
前記ＰＵＣＣＨおよび前記ＰＵＳＣＨの少なくとも１つは、以下のアップリンク制御情報、すなわち、
肯定応答（ＡＣＫ）情報、
第２時間閾値より低い、またはそれに等しい第２レイテンシ要件に対応する情報、および、
第２データ伝送リソースを要求するために前記端末デバイスによって使用される第２スケジューリング要求
のうち少なくとも１つを含む、請求項１から９のいずれか一項に記載の方法。
【請求項１１】
端末デバイスであって、
第１アップリンクチャネルの第１送信電力を、前記第１アップリンクチャネルのチャネル優先度、および、第１物理ランダムアクセスチャネル（第１ＰＲＡＣＨ）のチャネル優先度に基づいて設定するよう構成される処理モジュールであって、前記第１アップリンクチャネルは、物理アップリンク共有チャネル（ＰＵＳＣＨ）、および、物理アップリンク制御チャネル（ＰＵＣＣＨ）のうち少なくとも１つを含み、前記第１アップリンクチャネルが位置する第１時間領域リソース、および、前記第１ＰＲＡＣＨが位置する第２時間領域リソースは重複し、前記第１アップリンクチャネルの前記チャネル優先度は、前記第１ＰＲＡＣＨの前記チャネル優先度より高い、またはそれに等しく、前記第１送信電力は０より大きい、処理モジュールと、
前記処理モジュールによって取得された前記第１送信電力で、前記第１アップリンクチャネルを送信するよう構成される送信モジュールと
を備える端末デバイス。
【請求項１２】
前記第１ＰＲＡＣＨは、二次タイムアライメントグループ（ｓＴＡＧ）のサービングセル上のＰＲＡＣＨのうち少なくとも１つを含む、請求項１１に記載の端末デバイス。
【請求項１３】
前記処理モジュールは、
前記第１アップリンクチャネルの前記第１送信電力を、第２ＰＲＡＣＨのチャネル優先度、前記第１アップリンクチャネルの前記チャネル優先度、および、前記第１ＰＲＡＣＨの前記チャネル優先度に基づいて設定するよう構成され、前記第１アップリンクチャネルが位置する前記第１時間領域リソース、前記第１ＰＲＡＣＨが位置する前記第２時間領域リソース、および、前記第２ＰＲＡＣＨが位置する第３時間領域リソースは重複し、前記第２ＰＲＡＣＨの前記チャネル優先度は、前記第１アップリンクチャネルの前記チャネル優先度より高い、請求項１１または１２に記載の端末デバイス。
【請求項１４】
前記処理モジュールは更に、前記第１ＰＲＡＣＨを破棄し、前記第１ＰＲＡＣＨのために第２送信電力を０に設定するよう構成される、請求項１１から１３のいずれか一項に記載の端末デバイス。
【請求項１５】
前記処理モジュールは更に、前記第１ＰＲＡＣＨの第２送信電力を、前記第１アップリンクチャネルの前記チャネル優先度、および、前記第１ＰＲＡＣＨの前記チャネル優先度に基づいて設定するよう構成され、前記第１送信電力および前記第２送信電力の和は、前記端末デバイスの最大許容送信電力より低い、またはそれに等しく、前記第２送信電力は０より大きく、
前記送信モジュールは更に、前記処理モジュールによって取得された前記第２送信電力で、前記第１ＰＲＡＣＨを送信するよう構成される、
請求項１１から１４のいずれか一項に記載の端末デバイス。
【請求項１６】
前記第２送信電力は、前記第１ＰＲＡＣＨの要求電力未満である、請求項１５に記載の端末デバイス。
【請求項１７】
前記第１アップリンクチャネルの要求電力、および、前記第１ＰＲＡＣＨの前記要求電力の和は、第１の利用可能な電力値より大きく、前記第１の利用可能な電力値は、前記最大許容送信電力より低い、またはそれに等しく、前記第１送信電力および前記第２送信電力の前記和は、前記第１の利用可能な電力値より低い、またはそれに等しい、請求項１５または１６に記載の端末デバイス。
【請求項１８】
前記第１の利用可能な電力値は、前記端末デバイスの利用可能な送信電力から第２ＰＲＡＣＨの要求電力を減算したものである、請求項１７に記載の端末デバイス。
【請求項１９】
前記第１アップリンクチャネルは、以下のＰＵＳＣＨ、すなわち、
グラントフリーＰＵＳＣＨ伝送、
再伝送ＰＵＳＣＨ、
第１データ伝送リソースを要求するために前記端末デバイスによって使用される第１スケジューリング要求に対応するＰＵＳＣＨ、
第１論理チャネルに対応するＰＵＳＣＨ、
第１トランスポートブロックサイズのトランスポートブロックを搬送するＰＵＳＣＨ、
第１符号レートのトランスポートブロックを搬送するＰＵＳＣＨ、
第１変調方式のトランスポートブロックを搬送するＰＵＳＣＨ、および、
第１時間閾値より低い、またはそれに等しい第１レイテンシ要件についての情報を搬送するＰＵＳＣＨ
のうち少なくとも１つを含む、請求項１１に記載の端末デバイス。
【請求項２０】
ＰＵＣＣＨおよびＰＵＳＣＨのうち少なくとも１つは、以下のアップリンク制御情報、すなわち、
肯定応答（ＡＣＫ）情報、
第２時間閾値より低い、またはそれに等しい第２レイテンシ要件に対応する情報、および、
第２データ伝送リソースを要求するために前記端末デバイスによって使用される第２スケジューリング要求
のうち少なくとも１つを含む、請求項１１から１９のいずれか一項に記載の端末デバイス。
【請求項２１】
アップリンク受信方法であって、
ネットワークデバイスが第１の情報を送信する段階であって、前記第１の情報は、第１物理ランダムアクセスチャネル（第１ＰＲＡＣＨ）を送信するよう端末デバイスに命令するために使用され、前記第１の情報は、上位層シグナリングにおいて構成され、または、物理チャネルで搬送され、前記第１ＰＲＡＣＨが位置する第２時間領域リソース、および、第１アップリンクチャネルが位置する第１時間領域リソースは重複し、前記第１アップリンクチャネルは、物理アップリンク共有チャネル（ＰＵＳＣＨ）、および、物理アップリンク制御チャネル（ＰＵＣＣＨ）のうち少なくとも１つを含み、前記第１アップリンクチャネルのチャネル優先度は、前記第１ＰＲＡＣＨのチャネル優先度より高い、またはそれに等しい、段階と、
前記ネットワークデバイスが、前記第２時間領域リソースで前記第１ＰＲＡＣＨを検出する段階と
を備える方法。
【請求項２２】
アップリンク受信方法であって、
ネットワークデバイスが、第３時間領域リソースで第２の情報を送信する段階であって、前記第２の情報は、第１時間領域リソースで第１アップリンクチャネルを送信するよう端末デバイスに命令するために使用され、前記第１アップリンクチャネルのチャネル優先度は、第１ＰＲＡＣＨのチャネル優先度より高い、またはそれに等しい、段階、または、ネットワークデバイスが、第３時間領域リソースで第２の情報を送信する段階であって、前記第２の情報は、第１時間領域リソースで第１アップリンクチャネルを送信するよう端末デバイスに命令するために使用され、前記第３時間領域リソースの開始時点から前記第１時間領域リソースの開始時点までの時間間隔は、第３時間閾値より低い、またはそれに等しく、
前記第１アップリンクチャネルは、物理アップリンク共有チャネルＰＵＳＣＨ、および、物理アップリンク制御チャネルＰＵＣＣＨのうち少なくとも１つを含み、前記第１時間領域リソース、および、前記第１ＰＲＡＣＨが位置する第２時間領域リソースは重複し、前記第１アップリンクチャネルの前記チャネル優先度は、前記第１ＰＲＡＣＨの前記チャネル優先度より高い、またはそれに等しい、段階と、
前記ネットワークデバイスが、前記第１時間領域リソースで前記第１アップリンクチャネルを検出する段階と
を備える方法。
【請求項２３】
ネットワークデバイスであって、
第１の情報を送信するよう構成される送信モジュールであって、前記第１の情報は、第１物理ランダムアクセスチャネル（第１ＰＲＡＣＨ）を送信するよう端末デバイスに命令するために使用され、前記第１の情報は、上位層シグナリングにおいて構成され、または、物理チャネルで搬送され、前記第１ＰＲＡＣＨが位置する第２時間領域リソース、および、第１アップリンクチャネルが位置する第１時間領域リソースは重複し、前記第１アップリンクチャネルは、物理アップリンク共有チャネル（ＰＵＳＣＨ）、および、物理アップリンク制御チャネル（ＰＵＣＣＨ）のうち少なくとも１つを含み、前記第１アップリンクチャネルのチャネル優先度は、前記第１ＰＲＡＣＨのチャネル優先度より高い、またはそれに等しい、送信モジュールと、
前記第２時間領域リソースで前記第１ＰＲＡＣＨを検出するよう構成される処理モジュールと
を備えるネットワークデバイス。
【請求項２４】
ネットワークデバイスであって、
第３時間領域リソースで第２の情報を送信することであって、前記第２の情報は、第１時間領域リソースで第１アップリンクチャネルを送信するよう端末デバイスに命令するために使用され、前記第１アップリンクチャネルのチャネル優先度は、第１ＰＲＡＣＨのチャネル優先度より高い、またはそれに等しい、ことを行うよう構成される、または、第３時間領域リソースで第２の情報を送信することであって、前記第２の情報は、第１時間領域リソースで第１アップリンクチャネルを送信するよう端末デバイスに命令するために使用される、ことを行うよう構成される送信モジュールであって、前記第３時間領域リソースの開始時点から前記第１時間領域リソースの開始時点までの時間間隔は、第３時間閾値より低い、またはそれに等しく、
前記第１アップリンクチャネルは、物理アップリンク共有チャネルＰＵＳＣＨ、および、物理アップリンク制御チャネルＰＵＣＣＨのうち少なくとも１つを含み、前記第１時間領域リソース、および、前記第１ＰＲＡＣＨが位置する第２時間領域リソースは重複し、前記第１アップリンクチャネルの前記チャネル優先度は、前記第１ＰＲＡＣＨの前記チャネル優先度より高い、またはそれに等しい、送信モジュールと、
前記第１時間領域リソースで前記第１アップリンクチャネルを検出するよう構成される処理モジュールと
を備えるネットワークデバイス。
【請求項２５】
命令を含むコンピュータプログラムであって、前記命令は、コンピュータによって実行されるときに、請求項１から１０のいずれか一項に記載の方法をコンピュータに実行させる、コンピュータプログラム。
【請求項２６】
命令を含むコンピュータプログラムであって、前記命令は、コンピュータによって実行されるときに、請求項２１または２２に記載の方法をコンピュータに実行させる、コンピュータプログラム。
【手続補正２】
【補正対象書類名】明細書
【補正対象項目名】０００１
【補正方法】変更
【補正の内容】
【０００１】
本願は、「アップリンク伝送方法、端末デバイス、およびネットワークデバイス」と題する、２０１７年８月１０日に出願された中国特許出願第２０１７１０６８２５７１．１号に対する優先権を主張するものであり、それは、参照によって全体が本明細書に組み込まれる。
【手続補正３】
【補正対象書類名】明細書
【補正対象項目名】０１４２
【補正方法】変更
【補正の内容】
【０１４２】
任意選択で、ＰＲＡＣＨが、二次タイムアライメントグループ（ｓｅｃｏｎｄａｒｙ  Ｔｉｍｅ  Ａｌｉｇｎｍｅｎｔ  Ｇｒｏｕｐ、ｓＴＡＧ）のサービングセル上のＰＲＡＣＨであるとき、第１アップリンクチャネルのチャネル優先度は、ＰＲＡＣＨのチャネル優先度より高い、またはそれに等しい。同期ずれ、または同様のものなどの要因に起因して、いくつかの場合、ＰＲＡＣＨは、ｓＴＡＧにおいて送信される必要があり、ＰＵＳＣＨまたはＰＵＣＣＨは、一次タイムアライメントグループ（ｐｒｉｍａｒｙ  Ｔｉｍｅ  Ａｌｉｇｎｍｅｎｔ  Ｇｒｏｕｐ、ｐＴＡＧ）、または、別のＴＡＧ上で送信される必要がある。既存の電力設定の解決手段において、ＰＲＡＣＨのチャネル優先度は高く、したがって、ＰＵＳＣＨの送信電力、および／または、ＰＵＣＣＨの送信電力は、非効率的であり得る。５Ｇモバイル通信技術において、ＰＵＳＣＨおよび／またはＰＵＣＣＨは、より多くの重要な情報を搬送する可能性が、より高い。４Ｇモバイル通信技術の電力設定の解決手段にまだ従っている場合、重要な情報の伝送は失敗し得る。したがって、本願のこの実施形態では、標準的なプロトコルまたはシステムにおいて、二次タイムアライメントグループｓＴＡＧのサービングセル上のＰＲＡＣＨの伝送が遅延し、第１アップリンクチャネルのチャネル優先度がＰＲＡＣＨのチャネル優先度より高い、またはそれに等しいことが規定され得る。
【手続補正４】
【補正対象書類名】明細書
【補正対象項目名】０２１５
【補正方法】変更
【補正の内容】
【０２１５】
上述の説明は、本願の特定の実装に過ぎず、本願の保護範囲を限定する意図はない。本願で開示した技術的範囲内において、当業者が容易に想起する任意の変形例または置換例は、本願の保護範囲に属するものとする。従って、本願の保護範囲は、特許請求の範囲の保護範囲の対象になるものとする。
（項目１）
アップリンク伝送方法であって、
端末デバイスが、第１アップリンクチャネルの第１送信電力を、上記第１アップリンクチャネルのチャネル優先度、および、第１物理ランダムアクセスチャネルＰＲＡＣＨのチャネル優先度に基づいて設定する段階であって、上記第１アップリンクチャネルは、物理アップリンク共有チャネルＰＵＳＣＨおよび物理アップリンク制御チャネルＰＵＣＣＨのうち少なくとも１つを含み、上記第１アップリンクチャネルが位置する第１時間領域リソース、および、上記第１ＰＲＡＣＨが位置する第２時間領域リソースは重複し、上記第１アップリンクチャネルの上記チャネル優先度は、上記第１ＰＲＡＣＨの上記チャネル優先度より高い、またはそれに等しく、上記第１送信電力は０より大きい、段階と、
上記端末デバイスが、上記第１送信電力で上記第１アップリンクチャネルを送信する段階と
を備える方法。
（項目２）
上記第１ＰＲＡＣＨは、以下のＰＲＡＣＨ、すなわち、
二次タイムアライメントグループｓＴＡＧのサービングセルにおけるＰＲＡＣＨと、
第１フォーマットのＰＲＡＣＨと
のうち少なくとも１つを含む、項目１に記載の方法。
（項目３）
端末デバイスが、第１アップリンクチャネルの第１送信電力を、上記第１アップリンクチャネルのチャネル優先度、および、第１ＰＲＡＣＨのチャネル優先度に基づいて設定する上記段階は、
上記端末デバイスが、上記第１アップリンクチャネルの上記第１送信電力を、第２ＰＲＡＣＨのチャネル優先度、上記第１アップリンクチャネルの上記チャネル優先度、および、上記第１ＰＲＡＣＨの上記チャネル優先度に基づいて設定する段階であって、上記第１アップリンクチャネルが位置する上記第１時間領域リソース、上記第１ＰＲＡＣＨが位置する上記第２時間領域リソース、および、上記第２ＰＲＡＣＨが位置する第３時間領域リソースは、重複し、上記第２ＰＲＡＣＨの上記チャネル優先度は、上記第１アップリンクチャネルの上記チャネル優先度より高い、段階を含む、項目１または２に記載の方法。
（項目４）
上記方法は、上記端末デバイスが、上記第１ＰＲＡＣＨを破棄し、上記第１ＰＲＡＣＨのために、第２送信電力を０に設定する段階を更に備える、項目１から３のいずれか一項に記載の方法。
（項目５）
上記方法は、
上記端末デバイスが、上記第１ＰＲＡＣＨの第２送信電力を、上記第１アップリンクチャネルの上記チャネル優先度、および、上記第１ＰＲＡＣＨの上記チャネル優先度に基づいて設定する段階であって、上記第１送信電力および上記第２送信電力の和は、上記端末デバイスの最大許容送信電力より低い、またはそれに等しく、上記第２送信電力は０より大きい、段階と、
上記端末デバイスが、上記第１ＰＲＡＣＨを上記第２送信電力で送信する段階と
を更に備える、項目１から３のいずれか一項に記載の方法。
（項目６）
上記第２送信電力は、上記第１ＰＲＡＣＨの要求電力未満である、項目５に記載の方法。
（項目７）
上記第１アップリンクチャネルの要求電力、および、上記第１ＰＲＡＣＨの上記要求電力の和は、第１の利用可能な電力値より大きく、上記第１の利用可能な電力値は、上記最大許容送信電力より低い、またはそれに等しく、上記第１送信電力および上記第２送信電力の上記和は、上記第１の利用可能な電力値より低い、またはそれに等しい、項目５または６に記載の方法。
（項目８）
上記第１の利用可能な電力値は、上記端末デバイスの利用可能な送信電力から上記第２ＰＲＡＣＨの要求電力を減算したものである、項目７に記載の方法。
（項目９）
上記第１アップリンクチャネルは、以下のＰＵＳＣＨ、すなわち、
グラントフリーＰＵＳＣＨ伝送、
再伝送ＰＵＳＣＨ、
第１データ伝送リソースを要求するために上記端末デバイスによって使用される第１スケジューリング要求に対応するＰＵＳＣＨ、
第１論理チャネルに対応するＰＵＳＣＨ、
第１トランスポートブロックサイズのトランスポートブロックを搬送するＰＵＳＣＨ、
第１符号レートのトランスポートブロックを搬送するＰＵＳＣＨ、
第１変調方式のトランスポートブロックを搬送するＰＵＳＣＨ、および、
第１時間閾値より低い、またはそれに等しい第１レイテンシ要件についての情報を搬送するＰＵＳＣＨ
のうち少なくとも１つを含む、項目１に記載の方法。
（項目１０）
上記第１アップリンクチャネルは、上記ＰＵＣＣＨおよび／または上記ＰＵＳＣＨを含み、上記ＰＵＣＣＨおよび／または上記ＰＵＳＣＨは、以下のアップリンク制御情報、すなわち、
肯定応答ＡＣＫ情報、
第２時間閾値より低い、またはそれに等しい第２レイテンシ要件に対応する情報、および、
第２データ伝送リソースを要求するために上記端末デバイスによって使用される第２スケジューリング要求
のうち少なくとも１つを含む、項目１または９に記載の方法。
（項目１１）
上記第１ＰＲＡＣＨは、以下のＰＲＡＣＨ、すなわち、
二次タイムアライメントグループｓＴＡＧのサービングセルにおけるＰＲＡＣＨ、および、
第１フォーマットのＰＲＡＣＨ
のうち少なくとも１つを含む、項目９または１０に記載の方法。
（項目１２）
上記方法は、上記端末デバイスが第１の情報を受信する段階であって、上記第１の情報は、上記第１ＰＲＡＣＨを送信するよう上記端末デバイスに命令するために使用され、上記第１の情報は、上位層シグナリングにおいて構成される、または、物理チャネルで搬送される、段階を更に備える、項目１または９から１１のいずれか一項に記載の方法。
（項目１３）
上記方法は更に、
上記端末デバイスが、第３時間領域リソースで第２の情報を受信する段階であって、上記第２の情報は、上記第１時間領域リソースで上記第１アップリンクチャネルを送信するよう上記端末デバイスに命令するために使用され、上記第１アップリンクチャネルの上記チャネル優先度は、上記第１ＰＲＡＣＨの上記チャネル優先度より高い、またはそれに等しい、段階、または、
上記端末デバイスが、第３時間領域リソースで第２の情報を受信する段階であって、上記第２の情報は、上記第１時間領域リソースで上記第１アップリンクチャネルを送信するよう上記端末デバイスに命令するために使用され、上記第３時間領域リソースの開始時点から上記第１時間領域リソースの開始時点までの時間間隔は第３時間閾値より低い、またはそれに等しい、段階
を備える、項目１または９から１２のいずれか一項に記載の方法。
（項目１４）
上記第１時間領域リソースの長さは、第１時間長であり、および／または、上記第１アップリンクチャネルが位置する周波数領域リソースのサブキャリア間隔は、第１サブキャリア間隔である、および／または、
上記第２時間領域リソースの長さは、第２時間長であり、および／または、上記第１ＰＲＡＣＨが位置する周波数領域リソースのサブキャリア間隔は、第２サブキャリア間隔である、および／または、
上記第１アップリンクチャネルは第Ｋ回目に再伝送される第１アップリンクチャネルであり、Ｋは１より高い、またはそれに等しい整数である、
項目１または９から１３のいずれか一項に記載の方法。
（項目１５）
上記方法は更に、
上記端末デバイスが、上記第１ＰＲＡＣＨの第２送信電力を、上記第１アップリンクチャネルの上記チャネル優先度、および、上記第１ＰＲＡＣＨの上記チャネル優先度に基づいて設定する段階であって、上記第１送信電力および上記第２送信電力の和は、上記端末デバイスの最大許容送信電力より低い、またはそれに等しく、上記第２送信電力は０より大きい、段階と、
上記端末デバイスが、上記第２送信電力で、上記第１ＰＲＡＣＨを送信する段階と
を備える、項目９から１４のいずれか一項に記載の方法。
（項目１６）
上記第２送信電力は、上記第１ＰＲＡＣＨの要求電力未満である、項目１５に記載の方法。
（項目１７）
上記第１アップリンクチャネルの要求電力、および、上記第１ＰＲＡＣＨの上記要求電力の和は、第１の利用可能な電力値より大きく、上記第１の利用可能な電力値は、上記最大許容送信電力より低い、またはそれに等しく、上記第１送信電力および上記第２送信電力の上記和は、上記第１の利用可能な電力値より低い、またはそれに等しい、項目９から１６のいずれか一項に記載の方法。
（項目１８）
端末デバイスであって、
第１アップリンクチャネルの第１送信電力を、上記第１アップリンクチャネルのチャネル優先度、および、第１物理ランダムアクセスチャネルＰＲＡＣＨのチャネル優先度に基づいて設定するよう構成される処理モジュールであって、上記第１アップリンクチャネルは、物理アップリンク共有チャネルＰＵＳＣＨ、および、物理アップリンク制御チャネルＰＵＣＣＨのうち少なくとも１つを含み、上記第１アップリンクチャネルが位置する第１時間領域リソース、および、上記第１ＰＲＡＣＨが位置する第２時間領域リソースは重複し、上記第１アップリンクチャネルの上記チャネル優先度は、上記第１ＰＲＡＣＨの上記チャネル優先度より高い、またはそれに等しく、上記第１送信電力は０より大きい、処理モジュールと、
上記処理モジュールによって取得された上記第１送信電力で、上記第１アップリンクチャネルを送信するよう構成される送信モジュールと
を備える端末デバイス。
（項目１９）
上記第１ＰＲＡＣＨは、以下のＰＲＡＣＨ、すなわち、
二次タイムアライメントグループｓＴＡＧのサービングセル上のＰＲＡＣＨ、および、
第１フォーマットのＰＲＡＣＨ
のうち少なくとも１つを含む、項目１８に記載の端末デバイス。
（項目２０）
上記処理モジュールは、具体的には、
上記第１アップリンクチャネルの上記第１送信電力を、第２ＰＲＡＣＨのチャネル優先度、上記第１アップリンクチャネルの上記チャネル優先度、および、上記第１ＰＲＡＣＨの上記チャネル優先度に基づいて設定するよう構成され、上記第１アップリンクチャネルが位置する上記第１時間領域リソース、上記第１ＰＲＡＣＨが位置する上記第２時間領域リソース、および、上記第２ＰＲＡＣＨが位置する第３時間領域リソースは重複し、上記第２ＰＲＡＣＨの上記チャネル優先度は、上記第１アップリンクチャネルの上記チャネル優先度より高い、項目１８または１９に記載の端末デバイス。
（項目２１）
上記処理モジュールは更に、上記第１ＰＲＡＣＨを破棄し、上記第１ＰＲＡＣＨのために第２送信電力を０に設定するよう構成される、項目１８から２０のいずれか一項に記載の端末デバイス。
（項目２２）
上記処理モジュールは更に、上記第１ＰＲＡＣＨの上記第２送信電力を、上記第１アップリンクチャネルの上記チャネル優先度、および、上記第１ＰＲＡＣＨの上記チャネル優先度に基づいて設定するよう構成され、上記第１送信電力および上記第２送信電力の和は、上記端末デバイスの最大許容送信電力より低い、またはそれに等しく、上記第２送信電力は０より大きく、
上記送信モジュールは更に、上記処理モジュールによって取得された上記第２送信電力で、上記第１ＰＲＡＣＨを送信するよう構成される、
項目１８から２１のいずれか一項に記載の端末デバイス。
（項目２３）
上記第２送信電力は、上記第１ＰＲＡＣＨの要求電力未満である、項目２２に記載の端末デバイス。
（項目２４）
上記第１アップリンクチャネルの要求電力、および、上記第１ＰＲＡＣＨの上記要求電力の和は、第１の利用可能な電力値より大きく、上記第１の利用可能な電力値は、上記最大許容送信電力より低い、またはそれに等しく、上記第１送信電力および上記第２送信電力の上記和は、上記第１の利用可能な電力値より低い、またはそれに等しい、項目２２または２３に記載の端末デバイス。
（項目２５）
上記第１の利用可能な電力値は、上記端末デバイスの利用可能な送信電力から上記第２ＰＲＡＣＨの要求電力を減算したものである、項目２４に記載の端末デバイス。
（項目２６）
上記第１アップリンクチャネルは、以下のＰＵＳＣＨ、すなわち、
グラントフリーＰＵＳＣＨ伝送、
再伝送ＰＵＳＣＨ、
第１データ伝送リソースを要求するために上記端末デバイスによって使用される第１スケジューリング要求に対応するＰＵＳＣＨ、
第１論理チャネルに対応するＰＵＳＣＨ、
第１トランスポートブロックサイズのトランスポートブロックを搬送するＰＵＳＣＨ、
第１符号レートのトランスポートブロックを搬送するＰＵＳＣＨ、
第１変調方式のトランスポートブロックを搬送するＰＵＳＣＨ、および、
第１時間閾値より低い、またはそれに等しい第１レイテンシ要件についての情報を搬送するＰＵＳＣＨ
のうち少なくとも１つを含む、項目１８に記載の端末デバイス。
（項目２７）
上記第１アップリンクチャネルは、上記ＰＵＣＣＨおよび／または上記ＰＵＳＣＨを含み、上記ＰＵＣＣＨおよび／または上記ＰＵＳＣＨは、以下のアップリンク制御情報、すなわち、
肯定応答ＡＣＫ情報、
第２時間閾値より低い、またはそれに等しい第２レイテンシ要件に対応する情報、および、
第２データ伝送リソースを要求するために上記端末デバイスによって使用される第２スケジューリング要求
のうち少なくとも１つを含む、項目１８または２６に記載の端末デバイス。
（項目２８）
上記第１ＰＲＡＣＨは、以下のＰＲＡＣＨ、すなわち、
二次タイムアライメントグループｓＴＡＧのサービングセル上のＰＲＡＣＨ、および、
第１フォーマットのＰＲＡＣＨ
のうち少なくとも１つを含む、項目２６または２７に記載の端末デバイス。
（項目２９）
上記端末デバイスは更に、第１の情報を受信するよう構成される受信モジュールを備え、上記第１の情報は、上記第１ＰＲＡＣＨを送信するよう上記端末デバイスに命令するために使用され、上記第１の情報は、上位層シグナリングにおいて構成される、または、物理チャネルで搬送される、項目１８または２６から２８のいずれか一項に記載の端末デバイス。
（項目３０）
上記端末デバイスは更に、受信モジュールを備え、
上記受信モジュールは、第３時間領域リソースで第２の情報を受信するよう構成され、上記第２の情報は、上記第１時間領域リソースで上記第１アップリンクチャネルを送信するよう上記端末デバイスに命令するために使用され、上記第１アップリンクチャネルの上記チャネル優先度は、上記第１ＰＲＡＣＨの上記チャネル優先度より高い、またはそれに等しい、または、
上記受信モジュールは、第３時間領域リソースで第２の情報を受信するよう構成され、上記第２の情報は、上記第１時間領域リソースで上記第１アップリンクチャネルを送信するよう上記端末デバイスに命令するために使用され、上記第３時間領域リソースの開始時点から上記第１時間領域リソースの開始時点までの時間間隔は、第３時間閾値より低い、またはそれに等しい、
項目１８または２６から２９のいずれか一項に記載の端末デバイス。
（項目３１）
上記第１時間領域リソースの長さは、第１時間長であり、および／または、上記第１アップリンクチャネルが位置する周波数領域リソースのサブキャリア間隔は、第１サブキャリア間隔である、および／または、
上記第２時間領域リソースの長さは、第２時間長であり、および／または、上記第１ＰＲＡＣＨが位置する周波数領域リソースのサブキャリア間隔は、第２サブキャリア間隔である、および／または、
上記第１アップリンクチャネルは第Ｋ回目に再伝送される第１アップリンクチャネルであり、Ｋは１より高い、またはそれに等しい整数である、
項目１８または２６から３０のいずれか一項に記載の端末デバイス。
（項目３２）
上記処理モジュールは更に、上記第１ＰＲＡＣＨの第２送信電力を、上記第１アップリンクチャネルの上記チャネル優先度、および、上記第１ＰＲＡＣＨの上記チャネル優先度に基づいて設定するよう構成され、上記第１送信電力および上記第２送信電力の和は、上記端末デバイスの最大許容送信電力より低い、またはそれに等しく、上記第２送信電力は０より大きく、
上記送信モジュールは更に、上記処理モジュールによって取得された上記第２送信電力で、上記第１ＰＲＡＣＨを送信するよう構成される、
項目２６から３１のいずれか一項に記載の端末デバイス。
（項目３３）
上記第２送信電力は、上記第１ＰＲＡＣＨの要求電力未満である、項目３２に記載の端末デバイス。
（項目３４）
上記第１アップリンクチャネルの要求電力、および、上記第１ＰＲＡＣＨの上記要求電力の和は、第１の利用可能な電力値より大きく、上記第１の利用可能な電力値は、上記最大許容送信電力より低い、またはそれに等しく、上記第１送信電力および上記第２送信電力の上記和は、上記第１の利用可能な電力値より低い、またはそれに等しい、項目２６から３３のいずれか一項に記載の端末デバイス。
（項目３５）
アップリンク受信方法であって、
ネットワークデバイスが第１の情報を送信する段階であって、上記第１の情報は、第１ＰＲＡＣＨを送信するよう端末デバイスに命令するために使用され、上記第１の情報は、上位層シグナリングにおいて構成され、または、物理チャネルで搬送され、上記第１ＰＲＡＣＨが位置する第２時間領域リソース、および、第１アップリンクチャネルが位置する第１時間領域リソースは重複し、上記第１アップリンクチャネルは、物理アップリンク共有チャネルＰＵＳＣＨ、および、物理アップリンク制御チャネルＰＵＣＣＨのうち少なくとも１つを含み、上記第１アップリンクチャネルのチャネル優先度は、上記第１ＰＲＡＣＨのチャネル優先度より高い、またはそれに等しい、段階と、
上記ネットワークデバイスが、上記第２時間領域リソースで上記第１ＰＲＡＣＨを検出する段階と
を備えるアップリンク受信方法。
（項目３６）
アップリンク受信方法であって、
ネットワークデバイスが、第３時間領域リソースで第２の情報を送信する段階であって、上記第２の情報は、第１時間領域リソースで第１アップリンクチャネルを送信するよう端末デバイスに命令するために使用され、上記第１アップリンクチャネルのチャネル優先度は、第１ＰＲＡＣＨのチャネル優先度より高い、またはそれに等しい、段階、または、ネットワークデバイスが、第３時間領域リソースで第２の情報を送信する段階であって、上記第２の情報は、第１時間領域リソースで第１アップリンクチャネルを送信するよう端末デバイスに命令するために使用され、上記第３時間領域リソースの開始時点から上記第１時間領域リソースの開始時点までの時間間隔は、第３時間閾値より低い、またはそれに等しく、
上記第１アップリンクチャネルは、物理アップリンク共有チャネルＰＵＳＣＨ、および、物理アップリンク制御チャネルＰＵＣＣＨのうち少なくとも１つを含み、上記第１時間領域リソース、および、上記第１ＰＲＡＣＨが位置する第２時間領域リソースは重複し、上記第１アップリンクチャネルの上記チャネル優先度は、上記第１ＰＲＡＣＨの上記チャネル優先度より高い、またはそれに等しい、段階と、
上記ネットワークデバイスが、上記第１時間領域リソースで上記第１アップリンクチャネルを検出する段階と
を備えるアップリンク受信方法。
（項目３７）
ネットワークデバイスであって、
第１の情報を送信するよう構成される送信モジュールであって、上記第１の情報は、第１ＰＲＡＣＨを送信するよう端末デバイスに命令するために使用され、上記第１の情報は、上位層シグナリングにおいて構成され、または、物理チャネルで搬送され、上記第１ＰＲＡＣＨが位置する第２時間領域リソース、および、第１アップリンクチャネルが位置する第１時間領域リソースは重複し、
上記第１アップリンクチャネルは、物理アップリンク共有チャネルＰＵＳＣＨ、および、物理アップリンク制御チャネルＰＵＣＣＨのうち少なくとも１つを含み、上記第１アップリンクチャネルのチャネル優先度は、上記第１ＰＲＡＣＨのチャネル優先度より高い、またはそれに等しい、送信モジュールと、
上記第２時間領域リソースで上記第１ＰＲＡＣＨを検出するよう構成される処理モジュールと
を備えるネットワークデバイス。
（項目３８）
ネットワークデバイスであって、
第３時間領域リソースで第２の情報を送信することであって、上記第２の情報は、第１時間領域リソースで第１アップリンクチャネルを送信するよう端末デバイスに命令するために使用され、上記第１アップリンクチャネルのチャネル優先度は、第１ＰＲＡＣＨのチャネル優先度より高い、またはそれに等しい、ことを行うよう構成される、または、第３時間領域リソースで第２の情報を送信することであって、上記第２の情報は、第１時間領域リソースで第１アップリンクチャネルを送信するよう端末デバイスに命令するために使用される、ことを行うよう構成される送信モジュールであって、上記第３時間領域リソースの開始時点から上記第１時間領域リソースの開始時点までの時間間隔は、第３時間閾値より低い、またはそれに等しく、上記第１アップリンクチャネルは、物理アップリンク共有チャネルＰＵＳＣＨ、および、物理アップリンク制御チャネルＰＵＣＣＨのうち少なくとも１つを含み、上記第１時間領域リソース、および、上記第１ＰＲＡＣＨが位置する第２時間領域リソースは重複し、上記第１アップリンクチャネルの上記チャネル優先度は、上記第１ＰＲＡＣＨの上記チャネル優先度より高い、またはそれに等しい、送信モジュールと、
上記第１時間領域リソースで上記第１アップリンクチャネルを検出するよう構成される処理モジュールと
を備えるネットワークデバイス。
（項目３９）
プロセッサおよびメモリを備える通信機器であって、
上記メモリは、命令を格納するよう構成され、上記プロセッサは、上記メモリに格納された上記命令を実行するよう構成され、その結果、上記通信機器は、項目１から１７のいずれか一項に記載の方法を実行する、通信機器。
（項目４０）
命令を格納するコンピュータ記憶媒体であって、上記命令がコンピュータ上で実行されるとき、上記コンピュータは、項目１から１７のいずれか一項に記載の方法を実行することが可能になる、コンピュータ記憶媒体。
（項目４１）
プロセッサおよびメモリを備える通信機器であって、上記メモリは命令を格納するよう構成され、上記プロセッサは、上記メモリに格納された上記命令を実行するよう構成され、その結果、上記通信機器は、項目３５または３６に記載の方法を実行する、通信機器。
（項目４２）
命令を格納するコンピュータ記憶媒体であって、上記命令がコンピュータ上で実行されるとき、上記コンピュータは、項目３５または３６に記載の方法を実行することが可能になる、コンピュータ記憶媒体。
【国際調査報告】
2020530246.tif 000016
2020530246.tif 000017
2020530246.tif 000018
2020530246.tif 000019